(57)【要約】  上壁（１４２）と、上壁から垂下する一対の側壁（１４４）とを備えるターミナル端部（１４０）まで延在するワイパアーム（１１４）の取り付け部材（１３８）に取り付けるためのアダプタ（１２４）。側壁の各々は、内向きの突出部（１４６）と、端部に形成されて上側切り欠き縁部（１５０）および下側切り欠き縁部（１５２）を画定するＵ形の切り欠き部（１４８）とを有する。上壁がアパーチャ（１５６）を有する。アダプタが第１の端部（１６０）および第２の端部（１６２）を備えるボディ（１５８）有する。第１の端部に形成される停止部（１６４）が取り付け部材の端部に当接する。第２の端部に形成されるスロット（１６６）が突出部のうちの１つを受ける。ボディに取り付けられる弾性フィンガ（１６８）がアパーチャに係合される歯（１７０）を有し、それにより、取り付け部材とアダプタとの間での長手方向の移動を防止する。歯がアパーチャに係合されるとき、第１の端部に形成されるブレース（１７２）が切り欠き部のうちの１つで受けられる。ブレースが下側切り欠き縁部に少なくとも部分的に当接し、上側切り欠き縁部から離間された状態を維持する。【選択図】図４Ａ
2019504793.tif 000002
【特許請求の範囲】
【請求項１】
ワイパ組立体をワイパアーム取り付け部材に着脱自在に取り付けるのに使用されるアダプタにおいて、前記ワイパアーム取り付け部材は、上壁と、前記上壁から垂下する一対の側壁とを備えるターミナル端部まで延在し、前記側壁の各々は、長手方向において前記ターミナル端部から離間される内側に延在する突出部と、前記ターミナル端部に形成されて上側および下側切り欠き縁部を画定するＵ形の切り欠き部とを有し、前記上壁は、長手方向において前記ターミナル端部から離間されるアパーチャを有する、アダプタであって、
第１および第２の端部を有するボディと、
前記取り付け部材の前記ターミナル端部に当接するために前記ボディ上の前記第１の端部に形成される停止部と、
前記取り付け部材の前記突出部のうちの１つを受けるために前記ボディ内の前記第２の端部に形成される少なくとも１つのスロットと、
前記ボディに動作可能に取り付けられ、前記取り付け部材の前記アパーチャに係合されるための歯を有する弾性フィンガであって、それにより、前記取り付け部材の前記ターミナル端部に対して前記停止部が当接するときに前記アダプタと前記ワイパアームの前記取り付け部材との間での長手方向の移動を防止する、弾性フィンガと、
前記取り付け部材の前記アパーチャに対して前記弾性フィンガの前記歯が係合されるときに前記取り付け部材の前記切り欠き部のうちの１つで受けられるために前記ボディ上の前記第１の端部に形成される少なくとも１つのブレースであって、前記取り付け部材の前記下側切り欠き縁部に少なくとも部分的に当接し、前記取り付け部材の前記上側切り欠き縁部から離間された状態を維持する、少なくとも１つのブレースと
を備える
アダプタ。
【請求項２】
上壁と、前記上壁から垂下する一対の側壁とを備えるターミナル端部まで延在するワイパアーム取り付け部材に着脱自在に取り付けられるのに使用されるためのワイパ組立体において、前記側壁の各々は、長手方向において前記ターミナル端部から離間される内側に延在する突出部と、前記ターミナル端部に形成されて上側および下側切り欠き縁部を画定するＵ形の切り欠き部とを有し、前記上壁は、長手方向において前記ターミナル端部から離間されるアパーチャを有する、ワイパ組立体であって、
掃拭されることになる表面に接触するように適合される掃拭要素と、
前記掃拭要素を支持するように機能する少なくとも１つの細長いスプラインであって、両側の長手方向端部を有する、少なくとも１つの細長いスプラインと、
前記スプラインに動作可能に取り付けられるエアフォイルと、
前記スプラインの前記長手方向端部の各々に動作可能に取り付けられる一対の端部キャップと、
前記長手方向端部の間で前記スプラインに動作可能に取り付けられるカプラと、
前記カプラに枢動可能に取り付けられるアダプタとを備え、前記アダプタは、
第１および第２の端部を有するボディ、
前記取り付け部材の前記ターミナル端部に当接するために前記ボディ上の前記第１の端部に形成される停止部、
前記取り付け部材の前記突出部のうちの１つを受けるために前記ボディ内の前記第２の端部に形成される少なくとも１つのスロット、
前記ボディに動作可能に取り付けられ、前記取り付け部材の前記アパーチャに係合されるための歯を有する弾性フィンガであって、それにより、前記取り付け部材の前記ターミナル端部に対して前記停止部が当接するときに前記アダプタと前記ワイパアームの前記取り付け部材との間での長手方向の移動を防止する、弾性フィンガ、ならびに、
前記取り付け部材の前記アパーチャに対して前記弾性フィンガの前記歯が係合されるときに前記取り付け部材の前記切り欠き部のうちの１つで受けられるために前記ボディ上の前記第１の端部に形成される少なくとも１つのブレースであって、前記取り付け部材の前記下側切り欠き縁部に少なくとも部分的に当接し、前記取り付け部材の前記上側切り欠き縁部から離間された状態を維持する、少なくとも１つのブレース
を有する
ワイパ組立体。
【請求項３】
ワイパ組立体をワイパアーム取り付け部材に着脱自在に取り付けるのに使用されるアダプタにおいて、前記ワイパアーム取り付け部材は、上壁と、前記上壁から垂下する一対の側壁とを備えるターミナル端部まで延在し、前記側壁の各々は、長手方向において前記ターミナル端部から離間される内側に延在する突出部と、前記ターミナル端部に形成されて上側および下側切り欠き縁部を画定するＵ形の切り欠き部とを有し、前記上壁は、長手方向において前記ターミナル端部から離間されるアパーチャを有する、アダプタであって、
第１および第２の端部を有するボディと、
前記取り付け部材の前記ターミナル端部に当接するために前記ボディ上の前記第１の端部に形成される停止部と、
前記取り付け部材の前記突出部のうちの１つを受けるために前記ボディ内の前記第２の端部に形成される少なくとも１つのスロットと、
前記ボディに動作可能に取り付けられ、前記取り付け部材の前記アパーチャに係合されるための歯を有する弾性フィンガであって、それにより、前記取り付け部材の前記ターミナル端部に対して前記停止部が当接するときに前記アダプタと前記ワイパアームの前記取り付け部材との間での長手方向の移動を防止する、弾性フィンガと
を備える
アダプタ。
【請求項４】
上壁と、前記上壁から垂下する一対の側壁とを備えるターミナル端部まで延在するワイパアーム取り付け部材に着脱自在に取り付けられるのに使用されるためのワイパ組立体において、前記側壁の各々は、長手方向において前記ターミナル端部から離間される内側に延在する突出部と、前記ターミナル端部に形成されて上側および下側切り欠き縁部を画定するＵ形の切り欠き部とを有し、前記上壁は、長手方向において前記ターミナル端部から離間されるアパーチャを有する、ワイパ組立体であって、
掃拭されることになる表面に接触するように適合される掃拭要素と、
前記掃拭要素を支持するように機能する少なくとも１つの細長いスプラインであって、両側の長手方向端部を有する、少なくとも１つの細長いスプラインと、
前記スプラインに動作可能に取り付けられるエアフォイルと、
前記スプラインの前記長手方向端部の各々に動作可能に取り付けられる一対の端部キャップと、
前記長手方向端部の間で前記スプラインに動作可能に取り付けられるカプラと、
前記カプラに枢動可能に取り付けられるアダプタとを備え、前記アダプタは、
第１および第２の端部を有するボディ、
前記取り付け部材の前記ターミナル端部に当接するために前記ボディ上の前記第１の端部に形成される停止部、
前記取り付け部材の前記突出部のうちの１つを受けるために前記ボディ内の前記第２の端部に形成される少なくとも１つのスロット、ならびに、
前記ボディに動作可能に取り付けられ、前記取り付け部材の前記アパーチャに係合されるための歯を有する弾性フィンガであって、それにより、前記取り付け部材の前記ターミナル端部に対して前記停止部が当接するときに前記アダプタと前記ワイパアームの前記取り付け部材との間での長手方向の移動を防止する、弾性フィンガ
を有する
ワイパ組立体。
【請求項５】
ワイパ組立体をワイパアーム取り付け部材に着脱自在に取り付けるのに使用されるアダプタにおいて、前記ワイパアーム取り付け部材は、上壁と、前記上壁から垂下する一対の側壁とを備えるターミナル端部まで延在し、前記側壁の各々は、長手方向において前記ターミナル端部から離間される内側に延在する突出部と、前記ターミナル端部に形成されて上側および下側切り欠き縁部を画定するＵ形の切り欠き部とを有し、前記上壁は、長手方向において前記ターミナル端部から離間されるアパーチャを有する、アダプタであって、
第１および第２の端部を有するボディと、
前記取り付け部材の前記ターミナル端部に当接するために前記ボディ上の前記第１の端部に形成される停止部と、
前記取り付け部材の前記突出部のうちの１つを受けるために前記ボディ内の前記第２の端部に形成される少なくとも１つのスロットと、
前記ボディに動作可能に取り付けられ、前記取り付け部材の前記アパーチャに係合されるための歯を有する弾性フィンガであって、それにより、前記取り付け部材の前記ターミナル端部に対して前記停止部が当接するときに前記アダプタと前記ワイパアームの前記取り付け部材との間での長手方向の移動を防止する、弾性フィンガと、
前記取り付け部材の前記アパーチャに対して前記弾性フィンガの前記歯が係合されるときに前記取り付け部材の前記切り欠き部のうちの１つで受けられるために前記ボディ上の前記第１の端部に形成される少なくとも１つのブレースであって、前記取り付け部材の前記下側切り欠き縁部に少なくとも部分的に当接する、少なくとも１つのブレースと
を備える
アダプタ。
【請求項６】
上壁と、前記上壁から垂下する一対の側壁とを備えるターミナル端部まで延在するワイパアーム取り付け部材に着脱自在に取り付けられるのに使用されるためのワイパ組立体において、前記側壁の各々は、長手方向において前記ターミナル端部から離間される内側に延在する突出部と、前記ターミナル端部に形成されて上側および下側切り欠き縁部を画定するＵ形の切り欠き部とを有し、前記上壁は、長手方向において前記ターミナル端部から離間されるアパーチャを有する、ワイパ組立体であって、
掃拭されることになる表面に接触するように適合される掃拭要素と、
前記掃拭要素を支持するように機能する少なくとも１つの細長いスプラインであって、両側の長手方向端部を有する、少なくとも１つの細長いスプラインと、
前記スプラインに動作可能に取り付けられるエアフォイルと、
前記スプラインの前記長手方向端部の各々に動作可能に取り付けられる一対の端部キャップと、
前記長手方向端部の間で前記スプラインに動作可能に取り付けられるカプラと、
前記カプラに枢動可能に取り付けられるアダプタとを備え、前記アダプタは、
第１および第２の端部を有するボディ、
前記取り付け部材の前記ターミナル端部に当接するために前記ボディ上の前記第１の端部に形成される停止部、
前記取り付け部材の前記突出部のうちの１つを受けるために前記ボディ内の前記第２の端部に形成される少なくとも１つのスロット、
前記ボディに動作可能に取り付けられ、前記取り付け部材の前記アパーチャに係合されるための歯を有する弾性フィンガであって、それにより、前記取り付け部材の前記ターミナル端部に対して前記停止部が当接するときに前記アダプタと前記ワイパアームの前記取り付け部材との間での長手方向の移動を防止する、弾性フィンガ、ならびに、
前記取り付け部材の前記アパーチャに対して前記弾性フィンガの前記歯が係合されるときに前記取り付け部材の前記切り欠き部のうちの１つで受けられるために前記ボディ上の前記第１の端部に形成される少なくとも１つのブレースであって、前記取り付け部材の前記下側切り欠き縁部に少なくとも部分的に当接する、少なくとも１つのブレース
を有する
ワイパ組立体。
【請求項７】
ワイパ組立体をワイパアーム取り付け部材に着脱自在に取り付けるのに使用されるアダプタにおいて、前記ワイパアーム取り付け部材は、上壁と、前記上壁から垂下する一対の側壁とを備えるターミナル端部まで延在し、前記側壁の各々は、長手方向において前記ターミナル端部から離間される内側に延在する突出部と、前記ターミナル端部に形成されて上側および下側切り欠き縁部を画定するＵ形の切り欠き部とを有し、前記上壁は、長手方向において前記ターミナル端部から離間されるアパーチャを有する、アダプタであって、
第１および第２の端部を有するボディと、
前記ワイパアームの前記取り付け部材の前記突出部のうちの１つを受けるために前記ボディ内の前記第２の端部に形成される少なくとも１つのスロットであって、前記取り付け部材の前記突出部のうちの１つに当接するように構成されるフロアを有し、それにより、前記突出部に対して前記フロアが当接するときに前記アダプタの前記ボディの前記第１の端部に向かう前記取り付け部材の長手方向の移動を制限する、少なくとも１つのスロットと、
前記ボディに動作可能に取り付けられ、前記取り付け部材の前記アパーチャに係合されるための歯を有する弾性フィンガであって、それにより、前記取り付け部材の前記突出部に対して前記スロットの前記フロアが当接するときに前記アダプタと前記ワイパアームの前記取り付け部材との間での長手方向の移動を防止する、弾性フィンガと、
前記取り付け部材の前記アパーチャに対して前記弾性フィンガの前記歯が係合されるときに前記取り付け部材の前記切り欠き部のうちの１つで受けられるために前記ボディ上の前記第１の端部に形成される少なくとも１つのブレースであって、前記取り付け部材の前記下側切り欠き縁部に少なくとも部分的に当接し、前記取り付け部材の前記上側切り欠き縁部から離間された状態を維持する、少なくとも１つのブレースと
を備える
アダプタ。
【請求項８】
上壁と、前記上壁から垂下する一対の側壁とを備えるターミナル端部まで延在するワイパアーム取り付け部材に着脱自在に取り付けられるのに使用されるためのワイパ組立体において、前記側壁の各々は、長手方向において前記ターミナル端部から離間される内側に延在する突出部と、前記ターミナル端部に形成されて上側および下側切り欠き縁部を画定するＵ形の切り欠き部とを有し、前記上壁は、長手方向において前記ターミナル端部から離間されるアパーチャを有する、ワイパ組立体であって、
掃拭されることになる表面に接触するように適合される掃拭要素と、
前記掃拭要素を支持するように機能する少なくとも１つの細長いスプラインであって、両側の長手方向端部を有する、少なくとも１つの細長いスプラインと、
前記スプラインに動作可能に取り付けられるエアフォイルと、
前記スプラインの前記長手方向端部の各々に動作可能に取り付けられる一対の端部キャップと、
前記長手方向端部の間で前記スプラインに動作可能に取り付けられるカプラと、
前記カプラに枢動可能に取り付けられるアダプタとを備え、前記アダプタは、
第１および第２の端部を有するボディ、
前記ワイパアームの前記取り付け部材の前記突出部のうちの１つを受けるために前記ボディ内の前記第２の端部に形成される少なくとも１つのスロットであって、前記取り付け部材の前記突出部のうちの１つに当接するように構成されるフロアを有し、それにより、前記突出部に対して前記フロアが当接するときに前記アダプタの前記ボディの前記第１の端部に向かう前記取り付け部材の長手方向の移動を制限する、少なくとも１つのスロット、
前記ボディに動作可能に取り付けられ、前記取り付け部材の前記アパーチャに係合されるための歯を有する弾性フィンガであって、それにより、前記取り付け部材の前記突出部に対して前記スロットの前記フロアが当接するときに前記アダプタと前記ワイパアームの前記取り付け部材との間での長手方向の移動を防止する、弾性フィンガ、ならびに、
前記取り付け部材の前記アパーチャに対して前記弾性フィンガの前記歯が係合されるときに前記取り付け部材の前記切り欠き部のうちの１つで受けられるために前記ボディ上の前記第１の端部に形成される少なくとも１つのブレースであって、前記取り付け部材の前記下側切り欠き縁部に少なくとも部分的に当接し、前記取り付け部材の前記上側切り欠き縁部から離間された状態を維持する、少なくとも１つのブレース
を有する
ワイパ組立体。
【発明の詳細な説明】
【技術分野】
【０００１】
関連出願の相互参照
[0001]本出願は、２０１６年２月５日に出願された米国仮特許出願第６２／２９１，８１０号および２０１６年４月２２日に出願された米国仮特許出願第６２／３２６，０９６号の優先権およびすべての利益を主張するものである。
【０００２】
[0002]本発明は、概して、ワイパシステムに関し、より詳細には、ワイパ組立体のためのワイパアダプタに関する。
【背景技術】
【０００３】
[0003]当技術分野で既知の従来の自動車ワイパシステムは、ワイパアームに設置されるいくつかの種類のワイパ組立体（ワイパブレードと称される場合もある）を有し、ワイパアームがさらに、自動車のフロントガラスなどの掃拭されることになる表面に隣接して設置され、フロントガラスを横断するような往復運動をワイパ組立体に加えるように枢動可能に駆動される。ワイパ組立体は、通常、掃拭されることになる表面を横断するようにフロントガラスに接触するゴム製掃拭要素（ｒｕｂｂｅｒ  ｗｉｐｉｎｇ  ｅｌｅｍｅｎｔ）を有する。ワイパ組立体は、しばしば、掃拭要素を補強して、通常は湾曲ガラス表面であるものを横断するような掃拭要素による掃拭的な接触（ｗｉｐｉｎｇ  ｃｏｎｔａｃｔ）を容易にするように機能する１つまたは複数の金属ストリップを組み込む。ワイパ組立体がまた、通常、１つまたは複数の金属ストリップに取り付けられて支持するカプラ、およびカプラに枢動可能に取り付けられるアダプタを有する。アダプタは、ワイパ組立体をワイパアームに着脱自在に取り付けるのを可能にする。この文脈では、ワイパアームは、ワイパアームの全体に分布する下向きの力をワイパ組立体に加え、ワイパ組立体を押圧してフロントガラスに接触させる。ワイパ組立体がまた、通常、金属ストリップに取り付けられるエアフォイルを有し、ワイパ組立体の遠位端に位置するペアの端部キャップをさらに有することができる。
【０００４】
[0004]上述した種類のワイパ組立体の構成要素の各々は、掃拭されることになる表面を効果的に洗浄するために協働しなければならない。加えて、構成要素の各々は、掃拭の質を向上させるのを促進することに加えて、ワイパ組立体を組み立てることのコストおよび複雑さを軽減するようにも設計されなければならない。
【０００５】
[0005]関連技術で既知のワイパ組立体はそれらの意図される目的のために概して良好に機能するが、当技術分野では、優れた動作特性を有し、組立体の製造コストを低減し、ワイパアームに対しての単純な形の着脱自在の取り付けを実現するようなワイパ組立体の要求が依然として存在する。
【発明の概要】
【課題を解決するための手段】
【０００６】
[0006]本発明は、ワイパ組立体をワイパアーム取り付け部材に着脱自在に取り付けるのに使用されるアダプタにおける、関連技術の欠点を克服する。取り付け部材は、上壁と、上壁から垂下する一対の側壁とを備えるターミナル端部まで延在する。側壁の各々は、長手方向においてターミナル端部から離間される内側に延在する突出部と、ターミナル端部に形成されて上側および下側切り欠き縁部を画定するＵ形の切り欠き部とを有する。上壁は、長手方向においてターミナル端部から離間されるアパーチャを有する。アダプタが第１および第２の端部を備えるボディを有する。停止部は、取り付け部材のターミナル端部に当接するためにボディ上の第１の端部に形成される。少なくとも１つのスロットは、取り付け部材の突出部のうちの１つを受けるためにボディ内の第２の端部に形成される。弾性フィンガがボディに動作可能に取り付けられ、取り付け部材のアパーチャに係合されるための歯を有し、それにより、取り付け部材のターミナル端部に対して停止部が当接するときにアダプタとワイパアームの取り付け部材との間での長手方向の移動を防止する。少なくとも１つのブレースは、取り付け部材のアパーチャに対して弾性フィンガの歯が係合されるときに取り付け部材の切り欠き部のうちの１つで受けられるためにボディ上の第１の端部に形成される。ブレースが取り付け部材の下側切り欠き縁部に少なくとも部分的に当接し、取り付け部材の上側切り欠き縁部から離間された状態を維持する。
【０００７】
[0007]加えて、本発明は、上壁と、上壁から垂下する一対の側壁とを備えるターミナル端部まで延在するワイパアーム取り付け部材に着脱自在に取り付けられるのに使用されるためのワイパ組立体を対象とする。側壁の各々は、長手方向においてターミナル端部から離間される内側に延在する突出部と、ターミナル端部に形成されて上側および下側切り欠き縁部を画定するＵ形の切り欠き部とを有する。上壁は、長手方向においてターミナル端部から離間されるアパーチャを有する。ワイパ組立体は、掃拭されることになる表面に接触するように適合される掃拭要素と、掃拭要素を支持するように機能する少なくとも１つの細長いスプラインとを有する。スプラインが両側の長手方向端部を有する。エアフォイルがスプラインに動作可能に取り付けられる。一対の端部キャップがスプラインの長手方向端部の各々に動作可能に取り付けられる。カプラが長手方向端部の間でスプラインに動作可能に取り付けられる。アダプタがカプラに枢動可能に取り付けられる。アダプタが第１および第２の端部を備えるボディを有する。停止部は、取り付け部材のターミナル端部に当接するためにボディ上の第１の端部に形成される。少なくとも１つのスロットは、取り付け部材の突出部のうちの１つを受けるためにボディ内の第２の端部に形成される。弾性フィンガがボディに動作可能に取り付けられ、取り付け部材のアパーチャに係合されるための歯を有し、それにより、取り付け部材のターミナル端部に対して停止部が当接するときにアダプタとワイパアームの取り付け部材との間での長手方向の移動を防止する。少なくとも１つのブレースは、取り付け部材のアパーチャに対して弾性フィンガの歯が係合されるときに取り付け部材の切り欠き部のうちの１つで受けられるためにボディ上の第１の端部に形成される。ブレースが取り付け部材の下側切り欠き縁部に少なくとも部分的に当接し、取り付け部材の上側切り欠き縁部から離間された状態を維持する。
【０００８】
[0008]加えて、本発明は、ワイパ組立体をワイパアーム取り付け部材に着脱自在に取り付けるのに使用されるアダプタを対象とする。取り付け部材は、上壁と、上壁から垂下する一対の側壁とを備えるターミナル端部まで延在する。側壁の各々は、長手方向においてターミナル端部から離間される内側に延在する突出部と、ターミナル端部に形成されて上側および下側切り欠き縁部を画定するＵ形の切り欠き部とを有する。上壁は、長手方向においてターミナル端部から離間されるアパーチャを有する。アダプタが第１および第２の端部を備えるボディを有する。停止部は、取り付け部材のターミナル端部に当接するためにボディ上の第１の端部に形成される。少なくとも１つのスロットは、取り付け部材の突出部のうちの１つを受けるためにボディ内の第２の端部に形成される。弾性フィンガがボディに動作可能に取り付けられ、取り付け部材のアパーチャに係合されるための歯を有し、それにより、取り付け部材のターミナル端部に対して停止部が当接するときにアダプタとワイパアームの取り付け部材との間での長手方向の移動を防止する。
【０００９】
[0009]加えて、本発明は、上壁と、上壁から垂下する一対の側壁とを備えるターミナル端部まで延在するワイパアーム取り付け部材に着脱自在に取り付けられるのに使用されるためのワイパ組立体を対象とする。側壁の各々は、長手方向においてターミナル端部から離間される内側に延在する突出部と、ターミナル端部に形成されて上側および下側切り欠き縁部を画定するＵ形の切り欠き部とを有する。上壁は、長手方向においてターミナル端部から離間されるアパーチャを有する。ワイパ組立体は、掃拭されることになる表面に接触するように適合される掃拭要素と、掃拭要素を支持するように機能する少なくとも１つの細長いスプラインとを有する。スプラインが両側の長手方向端部を有する。エアフォイルがスプラインに動作可能に取り付けられる。一対の端部キャップがスプラインの長手方向端部の各々に動作可能に取り付けられる。カプラが長手方向端部の間でスプラインに動作可能に取り付けられる。アダプタがカプラに枢動可能に取り付けられる。アダプタが第１および第２の端部を備えるボディを有する。停止部は、取り付け部材のターミナル端部に当接するためにボディ上の第１の端部に形成される。少なくとも１つのスロットは、取り付け部材の突出部のうちの１つを受けるためにボディ内の第２の端部に形成される。弾性フィンガがボディに動作可能に取り付けられ、取り付け部材のアパーチャに係合されるための歯を有し、それにより、取り付け部材のターミナル端部に対して停止部が当接するときにアダプタとワイパアームの取り付け部材との間での長手方向の移動を防止する。
【００１０】
[0010]加えて、本発明は、ワイパ組立体をワイパアーム取り付け部材に着脱自在に取り付けるのに使用されるアダプタを対象とする。取り付け部材は、上壁と、上壁から垂下する一対の側壁とを備えるターミナル端部まで延在する。側壁の各々は、長手方向においてターミナル端部から離間される内側に延在する突出部と、ターミナル端部に形成されて上側および下側切り欠き縁部を画定するＵ形の切り欠き部とを有する。上壁は、長手方向においてターミナル端部から離間されるアパーチャを有する。アダプタが第１および第２の端部を備えるボディを有する。停止部は、取り付け部材のターミナル端部に当接するためにボディ上の第１の端部に形成される。少なくとも１つのスロットは、取り付け部材のターミナル端部に対して停止部が当接するときにアダプタとワイパアームの取り付け部材との間の長手方向の移動を防止するために取り付け部材のアパーチャに係合されるための歯を有する・・・のうちの１つを受けるためにボディ内の第２の端部に形成される。少なくとも１つのブレースは、取り付け部材のアパーチャに対して弾性フィンガの歯が係合されるときに取り付け部材の切り欠き部のうちの１つで受けられるためにボディ上の第１の端部に形成され、ここでは、ブレースが取り付け部材の下側切り欠き縁部に少なくとも部分的に当接する。
【００１１】
[0011]加えて、本発明は、上壁と、上壁から垂下する一対の側壁とを備えるターミナル端部まで延在するワイパアーム取り付け部材に着脱自在に取り付けられるのに使用されるためのワイパ組立体を対象とする。側壁の各々は、長手方向においてターミナル端部から離間される内側に延在する突出部と、ターミナル端部に形成されて上側および下側切り欠き縁部を画定するＵ形の切り欠き部とを有する。上壁は、長手方向においてターミナル端部から離間されるアパーチャを有する。ワイパ組立体は、掃拭されることになる表面に接触するように適合される掃拭要素と、掃拭要素を支持するように機能する少なくとも１つの細長いスプラインとを有する。スプラインが両側の長手方向端部を有する。エアフォイルがスプラインに動作可能に取り付けられる。一対の端部キャップがスプラインの長手方向端部の各々に動作可能に取り付けられる。カプラが長手方向端部の間でスプラインに動作可能に取り付けられる。アダプタがカプラに枢動可能に取り付けられる。アダプタが第１および第２の端部を備えるボディを有する。停止部は、取り付け部材のターミナル端部に当接するためにボディ上の第１の端部に形成される。少なくとも１つのスロットは、取り付け部材のターミナル端部に対して停止部が当接するときにアダプタとワイパアームの取り付け部材との間の長手方向の移動を防止するために取り付け部材のアパーチャに係合されるための歯を有する・・・のうちの１つを受けるためにボディ内の第２の端部に形成される。少なくとも１つのブレースは、取り付け部材のアパーチャに対して弾性フィンガの歯が係合されるときに取り付け部材の切り欠き部のうちの１つで受けられるためにボディ上の第１の端部に形成され、ここでは、ブレースが取り付け部材の下側切り欠き縁部に少なくとも部分的に当接する。
【００１２】
[0012]加えて、本発明は、ワイパ組立体をワイパアーム取り付け部材に着脱自在に取り付けるのに使用されるアダプタを対象とする。取り付け部材は、上壁と、上壁から垂下する一対の側壁とを備えるターミナル端部まで延在する。側壁の各々は、長手方向においてターミナル端部から離間される内側に延在する突出部と、ターミナル端部に形成されて上側および下側切り欠き縁部を画定するＵ形の切り欠き部とを有する。上壁は、長手方向においてターミナル端部から離間されるアパーチャを有する。アダプタが第１および第２の端部を備えるボディを有する。少なくとも１つのスロットは、ワイパアームの取り付け部材の突出部のうちの１つを受けるためにボディ内の第２の端部に形成される。スロットは、取り付け部材の突出部のうちの１つに当接するように構成されるフロアを有し、それにより、突出部に対してフロアが当接するときにアダプタのボディの第１の端部に向かう取り付け部材の長手方向の移動を制限する。弾性フィンガがボディに動作可能に取り付けられ、取り付け部材のアパーチャに係合されるための歯を有し、それにより、取り付け部材の突出部に対してスロットのフロアが当接するときにアダプタとワイパアームの取り付け部材との間での長手方向の移動を防止する。少なくとも１つのブレースは、取り付け部材のアパーチャに対して弾性フィンガの歯が係合されるときに取り付け部材の切り欠き部のうちの１つで受けられるためにボディ上の第１の端部に形成される。ブレースが取り付け部材の下側切り欠き縁部に少なくとも部分的に当接し、取り付け部材の上側切り欠き縁部から離間された状態を維持する。
【００１３】
[0013]加えて、本発明は、上壁と、上壁から垂下する一対の側壁とを備えるターミナル端部まで延在するワイパアーム取り付け部材に着脱自在に取り付けられるのに使用されるためのワイパ組立体を対象とする。側壁の各々は、長手方向においてターミナル端部から離間される内側に延在する突出部と、ターミナル端部に形成されて上側および下側切り欠き縁部を画定するＵ形の切り欠き部とを有する。上壁は、長手方向においてターミナル端部から離間されるアパーチャを有する。ワイパ組立体は、掃拭されることになる表面に接触するように適合される掃拭要素と、掃拭要素を支持するように機能する少なくとも１つの細長いスプラインとを有する。スプラインが両側の長手方向端部を有する。エアフォイルがスプラインに動作可能に取り付けられる。一対の端部キャップがスプラインの長手方向端部の各々に動作可能に取り付けられる。カプラが長手方向端部の間でスプラインに動作可能に取り付けられる。アダプタがカプラに枢動可能に取り付けられる。アダプタが第１および第２の端部を備えるボディを有する。少なくとも１つのスロットは、ワイパアームの取り付け部材の突出部のうちの１つを受けるためにボディ内の第２の端部に形成される。スロットは、取り付け部材の突出部のうちの１つに当接するように構成されるフロアを有し、それにより、突出部に対してフロアが当接するときにアダプタのボディの第１の端部に向かう取り付け部材の長手方向の移動を制限する。弾性フィンガがボディに動作可能に取り付けられ、取り付け部材のアパーチャに係合されるための歯を有し、それにより、取り付け部材の突出部に対してスロットのフロアが当接するときにアダプタとワイパアームの取り付け部材との間での長手方向の移動を防止する。少なくとも１つのブレースは、取り付け部材のアパーチャに対して弾性フィンガの歯が係合されるときに取り付け部材の切り欠き部のうちの１つで受けられるためにボディ上の第１の端部に形成される。ブレースが取り付け部材の下側切り欠き縁部に少なくとも部分的に当接し、取り付け部材の上側切り欠き縁部から離間された状態を維持する。
【００１４】
[0014]このようにして、本発明のアダプタおよびワイパ組立体は、掃拭されることになる表面を効果的に洗浄し、また同時に、ワイパアーム取り付け部材に対しての単純な形の着脱自在の取り付けを実現するように協働する。さらに、本発明のアダプタおよびワイパ組立体は、有用性、製造、構成要素の組み立て、および使用性能に関連する利点を提供する。
【００１５】
[0015]本発明の他の目的、特徴、および利点は、添付図面と併せて以下の説明を読むことにより良く理解され、それにより容易に認識されるであろう。
【図面の簡単な説明】
【００１６】
【図１】[0016]車両のフロントガラスを横断するような往復運動のためにそれぞれのワイパアームに枢動可能に設置される一対のワイパ組立体を有する車両の前方部分を示す部分斜視図である。
【図２】[0017]本発明の第１の実施形態による、カプラ、およびカプラに枢動可能に設置されるアダプタを有するワイパ組立体を示す拡大斜視図である。
【図３】[0018]図２のワイパ組立体を示す分解斜視図である。
【図４Ａ】[0019]図２〜図３のアダプタを示す拡大斜視図である。
【図４Ｂ】[0020]図２〜図４Ａのアダプタを示す回転した斜視図である。
【図５】[0021]図５Ａは、図２〜図４Ｂのアダプタに着脱自在に取り付けられるように構成される取り付け部材を示している、図１のワイパアームを示す斜視図である。[0022]図５Ｂは、取り付け部材のいくつかの部分を想像線で示している、図５Ａのワイパアームおよび取り付け部材を示す回転した斜視図である。
【図６Ａ】[0023]図５Ａ〜５Ｂの取り付け部材から離間される第１の構成で示される図２〜図４Ｂのアダプタを示す斜視図である。
【図６Ｂ】[0024]アダプタに係合されるように取り付け部材が摺動し始めている第２の構成で示される図６Ａのアダプタおよび取り付け部材を示す斜視図である。
【図６Ｃ】[0025]アダプタに係合されるように取り付け部材が継続して摺動している第３の構成で示される図６Ａ〜図６Ｂのアダプタおよび取り付け部材を示す斜視図である。
【図６Ｄ】[0026]アダプタが取り付け部材に固定される第４の構成で示される図６Ａ〜図６Ｃのアダプタおよび取り付け部材を示す斜視図である。
【図７】[0027]図７Ａは、第１の構成で示される図６Ａのアダプタおよび取り付け部材を示す上面図である。[0028]図７Ｂは、第１の構成で示される図６Ａのアダプタおよび取り付け部材を示す右側面図である。
【図８】[0029]図８Ａは、第４の構成で固定されて示される図６Ｄのアダプタおよび取り付け部材を示す上面図である。[0030]図８Ｂは、第４の構成で固定されて示される図６Ｄのアダプタおよび取り付け部材を示す右側面図である。
【図９】[0031]アダプタの一部分を想像線で示しており、第４の構成で固定されるアダプタおよび取り付け部材を示している、図８Ａの線９−９に沿う断面図である。
【図１０】[0032]第４の構成で固定されるアダプタおよび取り付け部材を示している、図８Ｂの線１０−１０に沿う断面図である。
【図１１】[0033]第４の構成で固定されるアダプタおよび取り付け部材を示している、図８Ｂの線１１−１１に沿う断面図である。
【図１２Ａ】[0034]第２の実施形態によるアダプタを示す斜視図である。
【図１２Ｂ】[0035]図１２Ａのアダプタを示す回転した斜視図である。
【図１３Ａ】[0036]第３の実施形態によるアダプタを示す斜視図である。
【図１３Ｂ】[0037]図１３Ａのアダプタを示す回転した斜視図である。
【図１４】[0038]図１３Ａのアダプタの第３の実施形態を示す別の斜視図である。
【図１５】[0039]第４の実施形態によるアダプタを示す斜視図である。
【図１６】[0040]第５の実施形態によるアダプタを示す斜視図である。
【図１７】[0041]図５Ａ〜図５Ｂの取り付け部材に固定されて示される図１３Ａ〜図１３Ｂのアダプタの第３の実施形態を示す上面図である。
【図１８】[0042]図１７の線１８−１８に沿う断面図である。
【図１９】[0043]図５Ａ〜図５Ｂの取り付け部材に固定されて示される図１５のアダプタの第４の実施形態を示す上面図である。
【図２０】[0044]図１９の線２０−２０に沿う断面図である。
【図２１】[0045]図５Ａ〜図５Ｂの取り付け部材に固定されて示される図１６のアダプタの第５の実施形態を示す上面図である。
【図２２】[0046]図２１の線２２−２２に沿う断面図である。
【図２３】[0047]図１３Ａのアダプタの第３の実施形態を示す別の斜視図である。
【図２４】[0048]第６の実施形態によるアダプタを示す斜視図である。
【図２５】[0049]第７の実施形態によるアダプタを示す斜視図である。
【図２６】[0050]図２６Ａは、図５Ａ〜図５Ｂの取り付け部材から離間されて示される図１３Ａ〜図１３Ｂおよび図２３のアダプタの第３の実施形態を示す右側面図である。[0051]図２６Ｂは、アダプタに係合されるように取り付け部材が摺動して示される図２６Ａのアダプタおよび取り付け部材を示す右側面図である。[0052]図２６Ｃは、アダプタが取り付け部材に固定されて示されている、図２６Ａ〜図２６Ｂのアダプタおよび取り付け部材を示す右側面図である。
【図２７】[0053]図２７Ａは、図５Ａ〜図５Ｂの取り付け部材から離間されて示される図２４のアダプタの第６の実施形態を示す右側面図である。[0054]図２７Ｂは、アダプタに係合されるように取り付け部材が摺動して示される図２７Ａのアダプタおよび取り付け部材を示す右側面図である。[0055]図２７Ｃは、アダプタが取り付け部材に固定されて示されている図２７Ａ〜図２７Ｂのアダプタおよび取り付け部材を示す右側面図である。
【図２８】[0056]図２８Ａは、図５Ａ〜図５Ｂの取り付け部材から離間されて示される図２５のアダプタの第７の実施形態を示す右側面図である。[0057]図２８Ｂは、アダプタに係合されるように取り付け部材が摺動して示される図２８Ａのアダプタおよび取り付け部材を示す右側面図である。[0058]図２８Ｃは、アダプタが取り付け部材に固定されて示されている図２８Ａ〜図２８Ｂのアダプタおよび取り付け部材を示す右側面図である。
【図２９】[0059]図１３Ａのアダプタの第３の実施形態を示す別の斜視図である。
【図３０】[0060]第８の実施形態によるアダプタを示す斜視図である。
【図３１】[0061]第９の実施形態によるアダプタを示す斜視図である。
【図３２】[0062]第１０の実施形態によるアダプタを示す斜視図である。
【図３３Ａ】[0063]第１１の実施形態によるアダプタを示す斜視図である。
【図３３Ｂ】[0064]図３３Ａのアダプタを示す回転した斜視図である。
【図３４】[0065]図５Ａ〜図５Ｂの取り付け部材に固定されて示される図３３Ａ〜図３３Ｂのアダプタの第１１の実施形態を示す上面図である。
【図３５】[0066]図３４の線３５−３５に沿う断面図である。
【図３６Ａ】[0067]第１２の実施形態によるアダプタを示す斜視図である。
【図３６Ｂ】[0068]図３６Ａのアダプタを示す回転した斜視図である。
【図３７】[0069]図５Ａ〜図５Ｂの取り付け部材に固定されて示される図３６Ａ〜図３６Ｂのアダプタの第１２の実施形態を示す上面図である。
【図３８】[0070]図３７の線３８−３８に沿う断面図である。
【図３９Ａ】[0071]第１３の実施形態によるアダプタを示す斜視図である。
【図３９Ｂ】[0072]図３９Ａのアダプタを示す回転した斜視図である。
【図４０】[0073]図５Ａ〜図５Ｂの取り付け部材に固定されて示される図３９Ａ〜図３９Ｂのアダプタの第１３の実施形態を示す上面図である。
【図４１】[0074]図４０の線４１〜４１に沿う断面図である。
【図４２Ａ】[0075]第１４の実施形態によるアダプタを示す斜視図である。
【図４２Ｂ】[0076]図４２Ａのアダプタを示す回転した斜視図である。
【図４３】[0077]図５Ａ〜図５Ｂの取り付け部材に固定されて示される図４２Ａ〜図４２Ｂのアダプタの第１４の実施形態を示す上面図である。
【図４４】[0078]図４３の線４４−４４に沿う断面図である。
【図４５Ａ】[0079]アダプタがボディおよびキャップを有している、第１５の実施形態によるアダプタを示す斜視図である。
【図４５Ｂ】[0080]図４５Ａのアダプタを示す回転した斜視図である。
【図４６】[0081]図４５Ａ〜図４５Ｂのアダプタを示す分解斜視図である。
【図４７】[0082]開構成で示される図４５Ａ〜図４６のアダプタを示す斜視図である。
【図４８】[0083]図４８Ａは、図５Ａ〜図５Ｂの取り付け部材から離間される開構成で示される図４７のアダプタの第１５の実施形態を示す右側面図である。[0084]図４８Ｂは、取り付け部材がアダプタのボディに係合される開構成で示される図４８Ａのアダプタおよび取り付け部材を示す右側面図である。[0085]図４８Ｃは、アダプタが取り付け部材に固定される閉構成で示される図４８Ａ〜図４８Ｂのアダプタおよび取り付け部材を示す右側面図である。
【図４９】[0086]図５Ａ〜図５Ｂの取り付け部材に固定されて示される図４５Ａ〜図４８Ｃのアダプタを示す第１５の実施形態を示す上面図である。
【図５０】[0087]図４９の線５０−５０に沿う断面図である。
【図５１】[0088]図４９のアダプタおよび取り付け部材の第１５の実施形態を示す別の上面図である。
【図５２】[0089]図５１の線５２−５２に沿う断面図である。
【図５３Ａ】[0090]アダプタがボディおよびキャップを有している、第１６の実施形態によるアダプタを示す斜視図である。
【図５３Ｂ】[0091]図５３Ａのアダプタを示す回転した斜視図である。
【図５４】[0092]図５３Ａ〜図５３Ｂのアダプタを示す分解斜視図である。
【図５５】[0093]開構成で示される図５３Ａ〜図５４のアダプタを示す斜視図である。
【図５６】[0094]図５６Ａは、図５Ａ〜図５Ｂの取り付け部材から離間される開構成で示される図５５のアダプタの第１６の実施形態を示す右側面図である。[0095]図５６Ｂは、取り付け部材がアダプタのボディに係合される開構成で示される図５６Ａのアダプタおよび取り付け部材を示す右側面図である。[0096]図５６Ｃは、アダプタが取り付け部材に固定される閉構成で示される図５６Ａ〜図５６Ｂのアダプタおよび取り付け部材を示す右側面図である。
【図５７】[0097]図５Ａ〜図５Ｂの取り付け部材に固定されて示される図５３Ａ〜図５６Ｃのアダプタの第１６の実施形態を示す上面図である。
【図５８】[0098]図５７の線５８−５８に沿う断面図である。
【図５９】[0099]図５７のアダプタおよび取り付け部材の第１６の実施形態を示す別の上面図である。
【図６０】[00100]図５９の線６０−６０に沿う断面図である。
【図６１Ａ】[00101]第１７の実施形態によるアダプタを示す斜視図である。
【図６１Ｂ】[00102]図６１Ａのアダプタを示す回転した斜視図である。
【図６２】[00103]図６２Ａは、図５Ａ〜図５Ｂの取り付け部材から離間されて示される図６１Ａ〜図６１Ｂのアダプタの第１７の実施形態を示す右側面図である。[00104]図６２Ｂは、取り付け部材がアダプタと係合して示される図６２Ａのアダプタおよび取り付け部材を示す右側面図である。[00105]図６２Ｃは、アダプタが取り付け部材に固定されて示されている図６２Ａ〜図６２Ｂのアダプタおよび取り付け部材を示す右側面図である。
【図６３】[00106]図５Ａ〜５Ｂの取り付け部材に固定されて示される図６１Ａ〜図６２Ｃのアダプタの第１７の実施形態を示す上面図である。
【図６４】[00107]図６３の線６４−６４に沿う断面図である。
【図６５】[00108]図６３の線６５−６５に沿う断面図である。
【図６６Ａ】[00109]第１８の実施形態によるアダプタを示す斜視図である。
【図６６Ｂ】[00110]図６６Ａのアダプタを示す回転した斜視図である。
【図６７】[00111]図６７Ａは、図５Ａ〜図５Ｂの取り付け部材から離間されて示される図６６Ａ〜図６６Ｂのアダプタの第１８の実施形態を示す右側面図である。[00112]図６７Ｂは、取り付け部材がアダプタと係合して示される図６７Ａのアダプタおよび取り付け部材を示す右側面図である。[00113]図６７Ｃは、アダプタが取り付け部材に固定されて示されている図６７Ａ〜図６７Ｂのアダプタおよび取り付け部材を示す右側面図である。
【図６８】[00114]図５Ａ〜図５Ｂの取り付け部材に固定されて示される図６６Ａ〜図６７Ｃのアダプタの第１８の実施形態を示す上面図である。
【図６９】[00115]図６８の線６９−６９に沿う断面図である。
【図７０】[00116]図６８の線７０−７０に沿う断面図である。
【図７１Ａ】[00117]第１９の実施形態によるアダプタを示す斜視図である。
【図７１Ｂ】[00118]図７１Ａのアダプタを示す回転した斜視図である。
【図７２Ａ】[00119]図５Ａ〜図５Ｂの取り付け部材から離間されて示される図７１Ａ〜図７１Ｂのアダプタの第１９の実施形態を示す斜視図である。
【図７２Ｂ】[00120]アダプタに係合されるように取り付け部材が摺動し始めている状態で示される図７２Ａのアダプタおよび取り付け部材を示す斜視図である。
【図７２Ｃ】[00121]アダプタに係合されるように取り付け部材が継続して摺動している状態で示される図７２Ａ〜図７２Ｂのアダプタおよび取り付け部材を示す斜視図である。
【図７２Ｄ】[00122]アダプタが取り付け部材に固定される状態で示される図７２Ａ〜図７２Ｃのアダプタおよび取り付け部材を示す斜視図である。
【図７３】[00123]図５Ａ〜図５Ｂの取り付け部材に固定されて示される図７１Ａ〜図７２Ｄのアダプタの第１９の実施形態を示す上面図である。
【図７４】[00124]図７３の線７４−７４に沿う断面図である。
【図７５Ａ】[00125]第２０の実施形態によるアダプタを示す斜視図である。
【図７５Ｂ】[00126]図７５Ａのアダプタを示す回転した斜視図である。
【図７６】[00127]図５Ａ〜図５Ｂの取り付け部材に固定されて示される図７５Ａ〜図７５Ｂのアダプタの第２０の実施形態を示す斜視図である。
【図７７】[00128]図５Ａ〜図５Ｂの取り付け部材に固定されて示される図７５Ａ〜図７６のアダプタの第２０の実施形態を示す上面図である。
【図７８】[00129]図７７の線１５８−１５８に沿う断面図である。
【図７９】[00130]図７７の線７９−７９に沿う断面図である。
【発明を実施するための形態】
【００１７】
[00131]複数の図を通して同様の構造を示すのに等しい符号を使用している図面を参照すると、車両の一部分が図１の２０に概略的に示されている。車両１００は、カウル１０２と、屋根１０４と、屋根１０４とカウル１０２との間を延在する一対の側方に離間されるフロントＡピラー１０６とを有する。Ａピラー１０６、屋根１０４、およびカウル１０２が協働して概略長方形の開口部１０８を画定し、概略長方形の開口部１０８の中で湾曲するかまたは「後ろに伸びる」ガラス製のフロントガラス１１０が支持される。示されるように、車両１００は自動車であるが、大型トラック、列車、飛行機、船舶、建設車両または設備、軍用車、あるいは表面ワイパシステムを含む任意の他の種類の乗り物などの、任意の種類の乗り物であってもよい。
【００１８】
[00132]ワイパシステムが図１内に１１２で概して示され、フロントガラス１１０を洗浄するのに採用される。ワイパシステム１１２は、概して１１４で示される一対のワイパアームと、概して１１６で示される一対のワイパ組立体とを有し、これらが車両１００の運転手側および助手席側に対応する。しかし、ワイパシステム１１２は、本発明の範囲から逸脱することなく、シングルワイパアーム１１４およびシングルワイパ組立体１１６、あるいは３つ以上のワイパアーム１１４および３つ以上のワイパ組立体１１６を採用することもできることが当業者には認識されよう。本明細書で示される代表的な実施例では、各ワイパ組立体１１６が対応するワイパアーム１１４によって担持される。ワイパシステム１１２は、フロントガラス１１０の表面の全体を横断して往復するような形でワイパ組立体１１６を移動させるための電気モータ（図示されないが、当技術分野で一般に知られる）をさらに有する。
【００１９】
[00133]図１に示されるワイパ組立体１１６は車両１００のフロントガラス１１０に関連して示されるが、ワイパ組立体１１６は、リヤウィンド（図示せず）または前照灯（図示せず）などの、ワイパシステム１１２を採用する車両１００の他の領域でも使用され得ることが当業者には認識されよう。したがって、本発明は、車両のフロントガラス１１０上で使用されるように適合されるワイパアーム１１４のみに関連して使用されることに限定されず、ワイパシステム３２を採用するあらゆる用途で使用されるためのものであることが理解されよう。
【００２０】
[00134]図２および図３を参照すると、ワイパ組立体１１６は、この代表的な実施例ではフロントガラス１１０である掃拭されることになる車両１００の表面に接触するように適合される掃拭要素１１８を有する。ワイパ組立体１１６は、長手方向軸を画定して掃拭要素１１８を補強または支持するように機能する少なくとも１つの支持部材１２０をさらに有する。本明細書で示される代表的な実施例では、支持部材１２０は、掃拭要素１１８を動作可能に補強または支持する一対のスプライン１２０Ａである。しかし、以下の説明から、支持部材１２０がモノリシックであってもまたは一対のスプライン１２０Ａによって画定されもよいことが当業者には認識されよう。ワイパ組立体１１６は、支持部材１２０に動作可能に取り付けられるカプラ１２２をさらに有する。後でより詳細に説明されるように、カプラ１２２がアダプタ１２４に取り付けられるように構成され、アダプタ１２４がさらにワイパ組立体１１６をワイパアーム１１４に接続するように適合される。ワイパ組立体１１６は、フロントガラス１１０の表面から離れてワイパ組立体１１６が上昇するのを防止するための概して１１６で示されるエアフォイル組立体をさらに有することができる。ワイパ組立体１１６がまた、エアフォイル組立体１２６が支持部材１２０から外れるのを防止するための概して１２８で示される１つまたは複数の端部キャップをさらに有することができる。これらの構成要素の各々は後でさらに詳細に説明される。
【００２１】
[00135]掃拭要素１１８は特定の用途に対応する所定の長さとなるように構成されるが、しばしば、製造経費を大幅に増大させることなく掃拭要素１１８の長さを容易に調整するのを可能にする押し出し加工を介して製造される。掃拭要素１１８は可撓性ゴムから構成されるが、当業者には、本発明の範囲から逸脱することなく掃拭要素１１８がシリコーンまたは他の重合体などの任意の可撓性材料から構成されてもよいことが認識されよう。
【００２２】
[00136]本明細書で示される実施形態では、掃拭要素１１８は、掃拭要素１１８の中で横方向に延在して掃拭要素１１８に沿って長手方向に、長手方向端部の間を延在する反対側の溝（詳細には示されないが、当技術分野で一般に知られる）を有する。溝が支持部材１２０のスプライン１２０Ａを受ける。この構成は当技術分野では「ツインレール」ビームブレードと称される。しかし、本発明の範囲から逸脱することなく、支持部材１２０が接着などの他の手法で掃拭要素１１８に動作可能に取り付けられてもよいことが当業者には認識されよう。さらに、支持部材１２０が掃拭要素１１８に直接に係合されないようにするために、ワイパ組立体１１６が支持部材１２０と掃拭要素１１８との間に挿置される１つまたは複数のキャリア（図示されないが、当技術分野で一般に知られる）を採用することができることが認識されよう。
【００２３】
[00137]支持部材１２０は、ばね鋼または重合体などの弾性的に可撓性の材料から構成され得、その長手方向端部の間の中間位置から力を加えるように適合される。より具体的には、支持部材１２０は、中間位置にあるばね荷重式ワイパアーム１１４から力を受け取り、この力をその長手方向端部に向かって支持部材１２０のスパン全体に分布させる。この目的のために、支持部材１２０が所定の曲率半径で長手方向に湾曲していてよい。関連技術では、この所定の曲率半径は「自由形状」の曲率半径と称される場合もある。したがって、支持部材１２０の曲率は、用途の力の要求条件およびフロントガラス１１０の外形に応じて、対称であってもまたは非対称であってもよい。この可撓性で自由形状の、予め湾曲している支持部材１２０は、ワイパアーム１１４により支持部材１２０に力が加えられ支持部材１２０が平坦になるときに真っ直ぐになり、掃拭要素１１８をフロントガラス１１０に接触させる。したがって、細長い支持部材１２０は、多様な曲率を有するフロントガラス上での力の分布を保証し、フロントガラス１１０の周りを適切に覆うことを実現する自由形状の湾曲部を有する。
【００２４】
[00138]図３に示されるように、支持部材１２０のスプライン１２０Ａは、支持部材１２０の長手方向端部の間の長さ全体にわたって実質的に一定の幅および一定の厚さを有してよい。この一定の幅および厚さは、動作中にフロントガラス１１０上で掃拭要素１１８を固着／スリップさせたり（「ガタガタさせたり」）するような、横方向およびねじりの撓みを回避するために高い横方向剛性およびねじり剛性を提供するように適合される。したがって、支持部材１２０の断面は、支持部材１２０の製造を容易にする概略長方形の外側プロフィールを有する。より具体的には、支持部材１２０がばね鋼などの金属から構成される場合、支持部材１２０を製造するのに使用されるツールおよび機械の複雑さが、変化する幅および／または厚さを有する部材を製造する場合に要求される複雑さよりも軽減される。さらに、支持部材１２０が熱可塑性エラストマなどの重合体から構成される場合、ツールおよび押し出し加工の機械の複雑さも、変化する幅および／または厚さを製造するのに採用されるツールおよび押し出し加工の機械の複雑さよりも軽減される。しかし、本明細書で示される支持部材１２０は、本発明の範囲から逸脱することなく、変化する厚さおよび／または幅を有してもよいことが当業者には認識されよう。さらに、上で言及したように、支持部材１２０がモノリシックであってもまたは複数のスプライン１２０Ａであってもよいことが当業者には認識されよう。
【００２５】
[00139]支持部材１２０は、支持部材１２０のスプライン１２０Ａの長手方向端部の近くに位置する１つまたは複数のノッチ（詳細には示されない）を有することができ、これらの１つまたは複数のノッチは形状が概して台形または長方形であるが、支持部材１２０に対して端部キャップ１２８を保持するために端部キャップ１２８と協働するのに適する任意の形状であってもよい。加えて、支持部材１２０は、支持部材１２０をカプラ１２２に動作可能に取り付けるためにカプラ１２２と協働するための１つまたは複数の固定特徴部分１３０を有することができる。図３に示される実施形態では、固定特徴部分１３０は、支持部材１２０のスプライン１２０Ａをカプラ１２２に固定するためにカプラ１２２と協働する複数の長方形ノッチとして形成される。しかし、本発明の範囲から逸脱することなく、固定特徴部分１３０が任意適切な形状または構成であってよく、または全体が省略されてもよいことを当業者であれば認識するであろう。具体的には、カプラ１２２が複数の異なる手法で支持部材１２０に固定され得ることが当業者には認識されよう。非限定の例として、カプラ１２２は、本発明の範囲から逸脱することなく、支持部材１２０に接着されるか、溶接されるか、圧着されるか、ボルト留めされるか、リベット留めされるか、ｆｏｒｍｅｄ−ｏｖｅｒされるか、ロックされるか、または他の形で固定されてもよい。
【００２６】
[00140]上述したように、ワイパ組立体１１６は、通常、支持部材１２０に動作可能に設置される少なくとも１つのエアフォイル組立体１２６をさらに有する。エアフォイル組立体１２６がワイパ組立体１１６の長さに実質的に沿って延在し、ワイパ組立体１１６の上を空気が流れるのを可能にすることによりウィンドリフトの可能性を低減するように機能する。より具体的には、本明細書で示される実施形態では、エアフォイル組立体１２６が支持部材１２０に動作可能に設置される２つの個別の構成要素として形成され、カプラ１２２がエアフォイル１２６の間に配置される。しかし、本発明の範囲から逸脱することなく、エアフォイル組立体１２６が任意適切な数の個別の構成要素として形成されてよいことが当業者には認識されよう。非限定の例として、エアフォイル組立体１２６が単一の一体構成要素によって画定され得るか、掃拭要素１１８と一体化され得るか、または全体が省略されてもよい。
【００２７】
[00141]図２および図３に描かれるワイパ組立体１１６は、実質的に一定の断面に沿って延在する非対称の傾斜プロフィールを有するエアフォイル１２６を有するが、本発明の範囲から逸脱することなくエアフォイル１２６が異なる形で形成されてもよいことが当業者には認識されよう。エアフォイル組立体１２６は特定の用途に対応する所定の長さとなるように構成され、押し出し加工によって製造され得る。しかし、本発明の範囲から逸脱することなく、エアフォイル組立体１２６が射出成形などの他の手法で構成されてもよいことが当業者には認識されよう。さらに、押し出しにより製造することにより、製造経費を大幅に増大させることなくエアフォイル組立体１２６の長さを容易に調整することが可能となることが当業者には認識されよう。さらにまた、エアフォイル組立体１２６がプラスチックから構成されるが、本発明の範囲から逸脱することなく、エアフォイル組立体１２６が任意適切な材料から構成され得ることが当業者には認識されよう。さらに、エアフォイル組立体１２６が単一の材料から押し出されるが、本発明の範囲から逸脱することなく、エアフォイル組立体１２６は、同時押出、オーバーモールド、スキンコーティング（ｓｋｉｎ  ｃｏａｔｉｎｇ）などにより、複数の材料から形成されてもよいことが当業者には認識されよう。
【００２８】
[00142]図２および図３に示されるように、また、上述したように、ワイパ組立体１１６は、支持部材１２０の遠位端に隣接して配置されるように適合される、概して１２８で示される一対の端部キャップを有する。端部キャップ１２８は支持部材１２０に固定され、ワイパ組立体１１６のウィンドリフト特性を維持するためにおよび美的価値を上げるためにエアフォイル組立体１２６の外形を実質的に模倣するプロフィールを有することができる。端部キャップ１２８はまた、上述したような、ウィンドリフトと、スプライン１２０Ａを介するワイパアーム１１４からのこの領域へ分布される力の低下との組み合わせにより掃拭要素１１８の肢部に沿って局所的にガタガタするのを防止するのを補助する、支持部材１２０の遠位端に隣接するところで質量を増大させる。端部キャップ１２８は、端部キャップ１２８を支持部材１２０に固定するために支持部材１２０のスプライン１２０Ａ内に形成されるノッチ（詳細には示されない）に係合されるロッキングアーム（図示されないが、当技術分野で一般に知られる）または他の特徴を有することができることが認識されよう。
【００２９】
[00143]上述したように、本発明の一実施形態では、ワイパ組立体１１６は、支持部材１２０に動作可能に取り付けられるカプラ１２２を有する。図３に示されるように、カプラ１２２は、ベース部分１３２と、ベース部分１３２から延在するサドル１３４とを有する。サドル１３４は、後でより完全に考察されるように、アダプタ１２４に枢動可能に係合されるように構成される反対側の円筒形凹部１３６を有する。しかし、本発明の範囲から逸脱することなく、カプラ１２２が任意適切な手法でアダプタ１２４に接続されてよいことが当業者には認識されよう。本明細書で示される実施形態では、カプラ１２２が一体の一部片構成要素である。しかし、本発明の範囲から逸脱することなく、カプラ１２２は、支持部材１２０に動作可能に取り付けられるようにインターロックするかまたは他の形で協働する複数の構成要素として設計されてもよいことが当業者には認識されよう。カプラ１２２はプラスチックから構成され、射出形成加工を使用して形成される。しかし、本発明の範囲から逸脱することなく、カプラ１２２が任意適切な加工を使用して形成される任意適切な材料から構成されてよいことが当業者には認識されよう。
【００３０】
[00144]上述したように、アダプタ１２４はワイパアーム１１４に着脱自在に取り付けられるように構成される。具体的には、アダプタ１２４は、後でより完全に説明されることであるが、特定の種類の取り付け部材１３８を有するワイパアーム１１４にワイパ組立体１１６を着脱自在に取り付けるのを促進する。通常、取り付け部材１３８はワイパアーム１１４とは別個に形成され、その後で圧着または溶接などによりワイパアーム１１４に動作可能に取り付けられる。しかし、取り付け部材１３８がワイパアーム１１４と一体に形成されてもよいことが当業者には認識されよう。
【００３１】
[00145]次に図５Ａ〜図５Ｂを参照すると、取り付け部材１３８は、上壁１４２と、上壁１４２から垂下する一対の側壁１４４とを備えるターミナル端部１４０まで延在する。ここでは、ターミナル端部１４０は、上壁１４２の前方縁部１４０Ａと、側壁１４４の湾曲縁部１４０Ｂとによって画定される（図５Ａを参照）。側壁１４４の各々が内側に延在する突出部１４６を有する。突出部１４６が互いの方を向き、概して丸みのある長方形（ｒｏｕｎｄｅｄ−ｒｅｃｔａｎｇｕｌａｒ）のプロフィールを有し、長手方向においてターミナル端部１４０から離間される。側壁１４４の各々は、ターミナル端部１４０に形成されるＵ形の切り欠き部１４８をさらに有する。切り欠き部１４８は側壁１４４を通って横向きに形成され、各々は、上側切り欠き縁部１５０と、垂直方向において上側切り欠き縁部１５０の下方に離間される下側切り欠き縁部１５２と、上側切り欠き縁部１５０および下側切り欠き縁部１５２を接続してターミナル端部１４０の方を向く湾曲切り欠き縁部１５４とを画定する。取り付け部材１３８は、上壁１４４内に形成されるアパーチャ１５６をさらに有する。アパーチャ１５６が丸みのある長方形のプロフィールを有し、垂直方向において突出部１４６の上方に離間され、長手方向においてターミナル端部１４０から離間される。図５Ｂでは、アパーチャ１５６および突出部１４６の部分が想像線で示される。以下の考察から、ワイパアーム１１４または上述の取り付け部材１３８のいずれも本発明の一部を形成しないことが当業者には認識されよう。
【００３２】
[00146]以下に続く説明から認識されるように、本発明は、アダプタ１２４と、これらのアダプタ１２４を採用し、本明細書で説明される特定の種類の取り付け部材１３８に対しての着脱自在の取り付けを促進するように構成されるワイパブレード組立体１１６とを対象とする。より具体的には、２０個の別個のアダプタ１２４の実施形態が本明細書で説明される。閾値の問題として（Ａｓ  ａ  ｔｈｒｅｓｈｏｌｄ  ｍａｔｔｅｒ）、後でより詳細に考察するように、本発明の範囲から逸脱することなく、種々の実施形態に関連して示される特定の構造的特徴が再構成され得るか、または種々の他の実施形態の構造的特徴と別の形で組み合わされ得ることが当業者には認識されよう。
【００３３】
[0147]図４〜図５を再び参照すると、本発明のアダプタ１２４の第１の実施形態が示されている。アダプタ１２４が概して１５８で示されるボディを有し、ボディが第１の端部１６０および第２の端部１６２を有する。概して１６４で示される停止部がボディ１５８上の第１の端部１６０に形成される。停止部１６４が取り付け部材１３８のターミナル端部１４０に当接するように構成される。少なくとも１つのスロット１６６がボディ１５８内の第２の端部１６２に形成される。スロット１６６が取り付け部材１３８の突出部１４６のうちの１つを受けるように構成される。概して１６８で示される弾性フィンガがボディ１６０に動作可能に取り付けられ、取り付け部材１３８のアパーチャ１５６に係合されるように構成される歯１７０を有し、それにより、後でより詳細に説明するように、取り付け部材１３８のターミナル端部１４０に対して停止部１６４が当接するときにアダプタ１２４と取り付け部材１３８３との間での長手方向の移動を防止する。概して１７２で示される少なくとも１つのブレースがボディ１５８上の第１の端部１６０に形成される。ブレース１７２は、取り付け部材１３８のアパーチャ１５６に対して弾性フィンガ１６８の歯１７０が係合されるときに取り付け部材１３８の切り欠き部１４８のうちの１つで受けられるように構成され、ここでは、ブレース１７２が取り付け部材１３８の下側切り欠き縁部１５２に少なくとも部分的に当接し、取り付け部材１３８の上側切り欠き縁部１５０から離間された状態を維持する（図９を参照）。アダプタ１２４の、ボディ１５８、停止部１６４、スロット１６６、弾性フィンガ１６８、歯１７０、およびブレース１７２は、ワイパ組立体１１６をワイパアーム１１４に着脱自在に固定するのを実現するように協働する。これらの構成要素の各々は後でより詳細に説明される。
【００３４】
[00148]次に図２〜図４Ｂおよび図９〜図１１を参照すると、上述したように、アダプタ１２４がカプラ１２２に枢動可能に設置され、カプラ１２２が支持部材１２０に動作可能に取り付けられる。アダプタ１２４のボディ１５８は、第１の端部１６０と第２の端部１６２との間を延在するデッキ１７４、およびデッキ１７４から垂下する一対の反対側の側壁１７６を有する。アダプタ１２４の側壁１７６の各々が内側表面１７８および外側表面１８０を有する（図４Ａ〜図４Ｂを参照）。図９および図１１に示されるように、この実施形態では、側壁１７６の各々がデッキ１７４から鈍角に延在し、その結果、側壁１７６が互いから離れるように角度をつけられる。しかし、側壁１７６は、本発明の範囲から逸脱することなく、デッキ１７４に対して実質的に垂直に延在することを含めて、任意適切な手法で延在してよいことが認識されよう。同様に、各側壁１７６の内側表面１７８がこの実施形態では側壁１７６のそれぞれの外側表面１８０に実質的に平行であるが、側壁１７６の表面１７８、１８０は、本発明の範囲から逸脱することなく、任意適切な手法で、配置構成、配置、または他の形で構成されてもよいことが当業者には認識されよう。
【００３５】
[00149]図４Ｂに最も良好に示されるように、内側を向く一対のトラニオン１８２がボディ１５８の第１の端部１６０に配置される。トラニオン１８２がボディ１５８と一体に形成され、側壁１７６の内側表面１７８から互いの方に向かって延在し、カプラ１２２のサドル１３４内に形成される凹部１３６内に配置されるように構成され、それによりカプラ１２２に設置されるアダプタ１２４の枢動を可能にする。本明細書で説明されるアダプタ１２４の種々の実施形態はボディ１５８の第１の端部１６０に隣接して配置される一体に形成されるトラニオン１８２を採用するが、アダプタ１２４は、本発明の範囲から逸脱することなく、カプラ１２２を基準とした枢動を可能にするために異なる構造および／または構成要素を採用してもよいことが当業者には認識されよう。非限定の例として、トラニオン１８２および凹部１３６の配置を交換して、カプラ１２２がトラニオンを装備し、凹部がアダプタ１２４内に形成されるようにしてもよく、あるいはアダプタ１２４および／またはカプラ１２２内に形成される対応する支承孔および／またはノック部分に係合されるのにピンなどの追加の構成要素が採用されてもよい。
【００３６】
[00150]一実施形態では、アダプタ１２４は、使用時のアダプタ１２４とカプラ１２２と間での回転減衰（ｒｏｔａｔｉｏｎ  ｄａｍｐｅｎｉｎｇ）を実現するためにカプラ１２２のサドル１３４の一部分に少なくとも部分的に係合されるように構成される少なくとも１つの減衰構成物（ｄａｍｐｅｎｉｎｇ  ｆｏｒｍａｔｉｏｎ）１８４を有する。また、減衰構成物１８４がアダプタ１２４のボディ１５８に剛性を提供することが認識されよう。図４Ｂに示されるように、側壁１７６の各々は、内側を向いて垂直に延在するそれぞれの一対の減衰構成物１８４を有する。しかし、本発明の範囲から逸脱することなく、アダプタ１２４が任意適切な手法で構成される任意適切な数の減衰構成物１８４を採用してもよいか、あるいは減衰構成物１８４を完全に省略してもよいことが当業者には認識されよう。
【００３７】
[00151]上述したように、この実施形態では、アダプタ１２４は、取り付け部材１３８のターミナル端部１４０に当接するためにボディ１５８上の第１の端部１６０に形成される少なくとも１つの停止部１６４を有する。本明細書で示される第１の代表的な実施形態では、アダプタ１２４がボディ１５８上の第１の端部１６０に形成される概して１８６で示されるヘッドを有し、ヘッドがさらに停止部１６４を画定する。より具体的には、アダプタ１２４のヘッド１８６がデッキ１７４からヘッド上側表面１８８まで垂直方向の外側に延在して前方停止部１６４Ａを画定し、また、側壁１７６の各々からそれぞれのヘッド側部表面１９０まで外側に延在してそれぞれの側方停止部１６４Ｂを画定する（図４Ａ〜図４Ｂを参照）。ヘッド上側表面１８８がヘッド側部表面１９０の間を延在してヘッド側部表面１９０に結合し、これらの表面１８８、１９０は、取り付け部材１３８の形状およびプロフィールに対して相補的である滑らかなテーパ状のプロフィールをヘッド１８６に与えるように成形され、それにより美的価値を上げる。しかし、本発明の範囲から逸脱することなく、ヘッド上側表面１８８および／またはヘッド側部表面１９０が異なる形で配置されるかまたは構成されてもよいことが当業者には認識されよう。
【００３８】
[00152]前方停止部１６４Ａが取り付け部材１３８の上壁１４２によって画定されるターミナル端部１４０の前方縁部１４０Ａに当接するように構成され、側方停止部１６４Ｂの各々は、上述したように、取り付け部材１３８のそれぞれの側壁１４４によって画定されるターミナル端部１４０の側方縁部１４０Ｂのうちの１つに当接するように構成される。しかし、後でより詳細に説明される本発明の下記の実施形態の考察を反映すると、本発明の範囲から逸脱することなく、上述したようにヘッド１８６を使用してもしなくても、アダプタ１２４の停止部１６４が取り付け部材１３８のターミナル端部１４０の任意適切な部分に当接するのに十分である任意適切な手法で構成されてもよいことが当業者には認識されよう。非限定の例として、停止部１６４は、取り付け部材１３８のターミナル端部１４０の前方縁部１４０Ａのみに当接するように構成される、アダプタ１２４のデッキ１７４から垂直に延在する突出部によって実現され得る。さらに非限定の例として、停止部１６４は、取り付け部材１３８のターミナル端部１４０の側方縁部１４０Ｂのうちの１つのみに当接するように構成される、アダプタ１２４の側壁１７６のうちの１つから横方向に延在する突出部によって実現されてもよい。
【００３９】
[00153]上述したように、アダプタ１２４は、取り付け部材１３８の突出部１４６のうちの１つを受けるためにボディ１５８内の第２の端部１６２に形成される少なくとも１つのスロット１６６を有する。本明細書で示される第１の代表的な実施形態では、アダプタ１２４が第２の端部１６２に形成される一対のスロット１６６を有し、各スロットが取り付け部材１３８の突出部１４６のうちの１つを受ける。スロット１６６がボディ１５８の第２の端部１６２からボディ１５８の第１の端部１６０に向かって長手方向に延在する。より具体的には、スロット１６６の各々は、開口部１９２、チェンネル１９４、およびフロア１９６を有する（図９を参照）。開口部１９２がボディ１５８の第２の端部１６２に配置され、チャンネル１９４に結合されるようにテーパ状になっている。チャンネル１９４が第１の端部１６０に向かってフロア１９６まで長手方向に延在し、この実施形態では円形プロフィールを有する。図６Ａ〜図６Ｄのすべてを通して示される構成の下記の説明から認識されるであろうが、開口部１９２は、ワイパ組立体１１６とワイパアーム１１４との間の接続中にアダプタ１２４を基準として取り付け部材１３８を案内するように構成され、アダプタ１２４および取り付け部材１３８の第１の実施形態の種々の構成要素および構造の間の位置合わせを促進するのを補助する。
【００４０】
[00154]図９では、フロア１９６およびスロット１６６のチャンネル１９４の一部分が減衰構成物１８４のうちの１つの後ろで想像線で示されており、この実施形態では減衰構成物１８４がスロット１６６の中に部分的に延在する（図４Ａを参照）。継続して図９を参照すると、アダプタ１２４が取り付け部材１３８に固定されているとき、突出部１４６がスロット１６６のそれぞれのチャンネル１９４内に収容される。この実施形態では、チャンネル１９４は、突出部１４６の高さ２００より大きい幅１９８を有する概略長方形のプロフィールを有する。一実施形態では、チャンネル１９４の幅１９８と突出部１４６の高さ２００との差によって隙間２０２が画定される。隙間２０２の存在は、スロット１６６内での突出部１４６の円滑な係合を保証するのを補助することができ、取り付け部材１３８の製造公差のばらつきを補償するのを補助することができることが認識されよう。同様に、図９に示されるように、突出部１４６が長手方向においてスロット１６６のそれぞれのフロア１９６から離間され、それにより、取り付け部材１３８の製造公差のばらつきを補償するのを補助する。しかし、本発明の範囲から逸脱することなく、スロット１６６が突出部１４６を受けるのに十分である多くの異なる手法で構成されてもよいことが当業者には認識されよう。非限定の例として、スロット１６６のチャンネル１９４は、スロット１６６内での突出部１４６の相対的移動を制限するために、テーパ状のプロフィールまたは他のプロフィールを有することができ、ならびに／あるいは隙間２０２を最小にするようにサイズ決定される幅１９８を有することができる。同様に、チャンネル１９４は、取り付け部材１３８に対してアダプタ１２４が固定されているときに突出部１４６をそれぞれのフロア１９６の一部分に少なくとも部分的に当接させるように、構成され得ることが考えられる。
【００４１】
[00155]次に、図４Ａ〜図４Ｂ、図１０および図１１を参照すると、一実施形態で、アダプタ１２４は、側壁１７６のうちの１つから外側に延在し、取り付け部材１３８の側壁１４４のうちの１つに当接するように構成される、概して２０４で示される少なくとも１つの側部構成物を有する。後でより詳細に説明されるように、複数の側部構成物２０４がアダプタ１２４の側壁１７６の各々の上に配置され、取り付け部材１３８と固定されるアダプタ１２４との間の横方向の遊びを最小にする。第１の代表的な実施形態では、アダプタ１２４の各側壁１７６は、垂直方向において離間される一対の前方側部構成物２０４Ａと、後方側部構成物２０４Ｂとを有する。前方側部構成物２０４Ａがボディ１５８の第１の端部１６０に隣接して形成され、後方側部構成物２０４Ｂがボディ１５８の第２の端部１６２に隣接して形成される。アダプタ１２４の側壁１７６の各々上に形成される前方側部構成物２０４Ａの両方が丸みのある円筒形プロフィールを有し、切り欠き部１４８に隣接して取り付け部材１３８のそれぞれの側壁１４４に当接するようにサイズ決定されて離間される（図１０を参照）。より具体的には、この実施形態では、アダプタ１２４の各ブレース１７２は、垂直方向において、前方側部構成物２０４Ａの各対の間に挿置される（図７Ｂをさらに参照されたい）。後方側部構成物２０４Ｂが上述のスロット１６６のプロフィールに対して相補的であり、スロット１６６のプロフィールの境界を画定するようなプロフィールを有し、デッキ１７４の一部分に沿って平行に長手方向に延在する一部分も有し、それにより概略Ｚ形の構成物を形成する。ここでは、各後方側部構成物２０４Ｂがスロット１６６に隣接してアダプタ１２４のそれぞれの側壁１７６から外側に延在し、それにより、突出部１４６に隣接するところで取り付け部材１３８のそれぞれの側壁１４４に当接し（図１１を参照）、さらには頂壁１４２に隣接するところで側壁１４４に当接し、それにより横方向において側壁１７６を側壁１４４に位置合わせする。本明細書で示される第１の代表的な実施形態では、スロット１６６が側壁１７６および後方側部構成物２０４Ｂの両方で一致するようにそれらの中に形成され、それにより突出部１４６を受ける。
【００４２】
[00156]上述したように、この実施形態では、アダプタ１２４がボディ１５８に動作可能に取り付けられる弾性フィンガ１６８を有し、弾性フィンガ１６８は、取り付け部材１３８のアパーチャ１５６に係合されるように垂直方向に延在する歯１７０を備える。ここでは、弾性フィンガ１６８は、第１の端部１６０と第２の端部１６２との間でアダプタのデッキ１７４内に形成される窓２０６の中に延在する。ここでは、弾性フィンガ１６８が第１の端部１６０に向かって長手方向に延在する。弾性フィンガ１６８の歯１７０は、取り付け部材１３８のアパーチャ１５６のプロフィールに対して相補的である概して丸みのある長方形のプロフィールを有する。図９に最も良好に示されるように、歯１７０は、取り付け部材１３８のアパーチャ１５６の対応するアパーチャ面２１０に当接するように構成される歯面２０８を有する。歯１７０は、取り付け部材１３８のターミナル端部１４０に係合されることに反応して窓２０６の中へと弾性フィンガ１６８および歯１７０を下方へ撓ませるように構成される、歯面２０８から離れる方を向くカム面２１２をさらに有する。具体的には、この実施形態では、取り付け部材１３８の前方縁部１４０Ａが歯１７０のカム面２１２に係合され、それにより、取り付け部材１３８のアパーチャ１５６を長手方向において歯１７０に位置合わせさせるまで弾性フィンガ１６８および歯１７０を下方に撓ませ、その後、弾性フィンガ１６８が窓２０６から外れて上方へ戻り、歯１７０の歯面２０８がアパーチャ１５６のアパーチャ面２１０に当接し、それにより取り付け部材１３８とアダプタ１２４との間での長手方向の移動を制限する。
【００４３】
[00157]上述したように、第１の実施形態では、アダプタ１２４は、取り付け部材１３８の切り欠き部１４８のうちの１つで受けられるために、ボディ１５８上の第１の端部１６０に形成される少なくとも１つのブレース１７２を有する。第１の実施形態では、アダプタ１２４が一対のブレース１７２を有し、各ブレース１７２が側壁１７６のうちの１つから外側に延在して長手方向においてヘッド１８６に結合される。しかし、後で説明されるアダプタ１２４の下記の実施形態の考察から認識されるように、本発明の範囲から逸脱することなく、アダプタ１２４は、単一のブレース１７２のみを用いるなどの、多くの異なる手法で構成されてもよい。
【００４４】
[00158]図９に最も良好に示されるように、ブレース１７２の各々は、上側ブレース表面２１４、下側ブレース表面２１６、および湾曲ブレース表面２１８を有する。この実施形態では、取り付け部材１３８がアダプタ１２４に固定されているとき、下側ブレース表面２１６が切り欠き部１４８の下側切り欠き縁部１５２に少なくとも部分的に当接し、上側ブレース表面２１４が切り欠き部１４８の上側切り欠き縁部１５０の下方で離間される。より具体的には、第１の実施形態では、アダプタ１２４のいずれの部分も取り付け部材１３８の切り欠き部１４８の上側切り欠き縁部１５０に係合されたりまたは他の形で当接したりしない。図８Ｂおよび図９に示されるように、上側ブレース表面２１４は、下側ブレース表面２１６よりもアダプタ１２４のボディ１５８の第２の端部１６２の近くを延在する。ここでは、下側ブレース表面２１６が湾曲ブレース表面２１８まで延在して結合され、湾曲ブレース表面２１８が上方へ湾曲して上側ブレース表面２１４に結合される。この実施形態では、湾曲ブレース表面２１８が長手方向において切り欠き部１４８の湾曲切り欠き縁部１５４から離間される。しかし、後で説明される下記の実施形態の考察から認識されるように、ブレース１７２は、取り付け部材１３８に対してアダプタ１２４が固定されているときに切り欠き部１４８の切り欠き縁部１５４の一部分に対して湾曲ブレース表面２１８を当接させるかまたは他の形で係合させるように、構成され得る。
【００４５】
[00159]動作中、ワイパアーム１１４との適切な接続を実現するために、ワイパ組立体１１６のアダプタ１２４の第１の実施形態が第１の構成で配置され、その結果、取り付け部材１３８がアダプタ１２４の近くにくる（図６Ａを参照）。次いで、第２の構成が達成されるまで取り付け部材１３８がアダプタ１２４に係合され、第２の構成では、取り付け部材１３８のターミナル端部１４０の前方縁部１４０Ａがアダプタ１２４の弾性フィンガ１６８の歯１７０のカム面２１２に接触するようになる（図６Ｂを参照）。取り付け部材１３８がアダプタ１２４の第１の端部１６０に向かって長手方向に移動させられるとき、取り付け部材１３８の突出部１４６がアダプタ１２４のスロット１６６の開口部１９２に入り、開口部１９２が突出部１４６をスロット１６６のチャンネル１９４の中まで案内し、また同時に、歯１７０および弾性フィンガ１６８を窓２０６の中まで下方へ撓ませるのを補助し、これは、ブレース１７２の下側ブレース表面２１６が取り付け部材１３８の切り欠き部１４８の下側切り欠き縁部１５２に当接することによる（図６Ｃを参照）。取り付け部材１３８がアダプタ１２４の第１の端部１６０に向かって長手方向にさらに移動させられると、取り付け部材１３８のターミナル端部１４０がアダプタ１２４の停止部１６４に当接させられ、これは、第４の構成では、取り付け部材１３８のアパーチャ１５６がアダプタ１２４の歯１７０に長手方向において位置合わせされることにより、それにより、弾性フィンガ１６８が窓２０６から外れて上方へ戻り、歯１７０の歯面２０８がアパーチャ１５６のアパーチャ面２１０に当接し、それにより取り付け部材１３８とアダプタ１２４との間の長手方向の移動を制限する（図６Ｄを参照）。
【００４６】
[00160]上述したように、ワイパ組立体１１６のアダプタの第２の実施形態が図１２Ａ〜図１２Ｂに示される。以下の説明では、第１の実施形態の構造および構成要素と同じであるかまたは第１の実施形態の構造および構成要素に対応する第２の実施形態の構造および構成要素は２０００を加算される等しい参照符号を有する。
【００４７】
[00161]アダプタ２１２４の第２の実施形態が図１２Ａ〜図１２Ｂに描かれており、これは上述のアダプタ１２４の第１の実施形態と実質的に同様である。したがって、明瞭さおよび一貫性のために、アダプタ２１２４の第２の実施形態とアダプタ１２４の第１の実施形態との間の具体的な差異のみを以下で説明し、実施形態の間で共通の特定の構造的特徴および構成要素のみを本明細書で考察し、アダプタ２１２４の第２の実施形態の図面に描く。以下で特に明記しない限り、上記のアダプタ１２４の第１の実施形態の説明は、限定されることなく、アダプタ２１２４の第２の実施形態に関連する参照にも組み込まれ得ることが認識されよう。
【００４８】
[00162]図１２Ａに示されるように、第２の実施形態では、アダプタ２１２４は、ボディ２１５８の第２の端部２１６２に隣接する一対の後方面取り部分２２２０をさらに有する。後方面取り部分２２２０は側壁２１７６およびデッキ２１７４を基準として傾斜した角度で配置され、後方側部構成物２２０４内に形成される。後方面取り部分２２２０が取り付け部材１３８を用いてのアダプタ２１２４の組み立てを促進するのを補助することが認識されよう。具体的には、面取り部分２２２０は、アダプタ２１２４および取り付け部材１３８を横方向において位置合わせするのを補助するように構成される。
【００４９】
[00163]図１２Ｂに示されるように、アダプタ２１２４の第２の実施形態は、上述のアダプタ１２４の第１の実施形態と同様に形成される減衰構成物２１８４を有する（図１２Ｂを図４Ｂと比較されたい）。具体的には、アダプタ２１２４は、ボディ２１５８の第２の端部２１６２に隣接して形成される、内側を向いて垂直に延在する一対の減衰構成物２１８４を有し、アダプタ２１２４は、トラニオン２１８２に形成される一対の支承減衰構成物２２２２をさらに有する。支承減衰構成物２２２は内側を向き、概略Ｃ形のプロフィールを有し、ボディ２１５８の第１の端部２１６０に隣接するところでアダプタ２１２４のそれぞれの側壁２１７６の内側表面２１７８から横方向に延在する。
【００５０】
[00164]上述したように、ワイパ組立体１１６のアダプタの第３の実施形態は、図１３Ａ〜図１４、図１７、図１８、図２３、図２６Ａ〜図２６Ｃ、および図２９に示される。以下の説明では、第１の実施形態の構造および構成要素と同じであるかまたは第１の実施形態の構造および構成要素に対応する第３の実施形態の構造および構成要素は３０００を加算される等しい参照符号を有する。
【００５１】
[00165]アダプタ３１２４の第３の実施形態が図１３Ａ〜図１４に描かれており、これは上述のアダプタ１２４の第１の実施形態と同様である。ここでもやはり、第３の実施形態では、アダプタ３１２４のボディ３１５８が第１の端部３１６０と第２の端部３１６２との間を延在する。停止部３１６４が第１の端部３１６０に形成され、取り付け部材１３８のターミナル端部１４０に当接するように構成される。スロット３１６６がボディ３１５８内の第２の端部３１６２に形成され、取り付け部材１３８の突出部１４６を受けるように構成される。弾性フィンガ３１６８がボディ３１６０に動作可能に取り付けられ、弾性フィンガ３１６８は、取り付け部材１３８のターミナル端部１４０に対して停止部３１６４が当接するときにアダプタ３１２４と取り付け部材１３８との間の長手方向の移動を防止するために取り付け部材１３８のアパーチャ１５６に係合されるように構成される歯３１７０を備える。ブレース３１７２がボディ３１５８上の第１の端部３１６０に形成され、取り付け部材３１３８のアパーチャ１５６に対して弾性フィンガ３１６８の歯３１７０が係合されるときに取り付け部材１３８の切り欠き部１４８のうちの１つで受けられるように構成される。ブレース３１７２が取り付け部材１３８のそれぞれの下側切り欠き縁部１５２に少なくとも部分的に当接し、固定されているときの取り付け部材１３８の上側切り欠き縁部１５０から離間された状態を維持する（図１８を参照）。アダプタ３１２４の第３の実施形態の、ボディ３１５８、停止部３１６４、スロット３１６６、弾性フィンガ３１６８、歯３１７０、およびブレース３１７２の具体的な構成を以下でより詳細に説明する。
【００５２】
[00166]図１３Ａに最も良好に示されるように、アダプタ３１２４の第３の実施形態のボディ３１５８は、第１の端部３１６０と第２の端部３１６２との間を延在するデッキ３１７４をさらに有し、ここでは反対側の側壁３１７６がデッキ３１７４から垂下し、側壁３１７６の各々が内側表面３１７８および外側表面３１８０を有する。図１３Ｂに最も良好に示されるように、この実施形態では、側壁３１７６の各々がデッキ３１７４から実質的に垂直に延在し、その結果、側壁３１７６の内側表面３１７８および外側表面３１８０が互いに実質的に平行になる。しかし、アダプタ１２４の第１の実施形態に関連して上述したように、本発明の範囲から逸脱することなく、側壁３１７６が異なる形で構成されてもよいことが当業者には認識されよう。
【００５３】
[00167]ここでの第３の実施形態でもやはり、アダプタ３１２４は、第１の端部３１６０に隣接してボディ３１５８上に形成される内側を向くトラニオン３１８２を採用する。トラニオン３１８２が側壁３１７６のそれぞれの内側表面３１７８から互いの方に向かって延在し、カプラ１２２のサドル１３４内に形成される凹部１３６内に配置されるように構成され、それにより動作中のカプラ１２２を基準としたアダプタ３１２４の枢動を可能にする。しかし、アダプタ１２４の第１の実施形態に関連して上述したように、本発明の範囲から逸脱することなく、トラニオン３１８２は、カプラ１２２を基準としたアダプタ３１２４の枢動を可能にするのに十分である任意適切な手法で構成され得るかまたは別の形で配置され得るか、あるいはアダプタ３１２４およびカプラ１２２が枢動を可能にするために異なる構成の構造的特徴および／または構成要素を採用することでトラニオン３１８２が省略されてもよいことが当業者には認識されよう。
【００５４】
[00168]図１３Ａ〜図１４、図１７、および図１８を継続して参照すると、アダプタ３１２４の第３の実施形態の停止部３１６４がボディ３１５８上の第１の端部３１６０に同様に形成される。より具体的には、アダプタ３１２４のヘッド３１８６がボディ３１５８上の第１の端部３１６０に形成され、停止部３１６４を画定する。ヘッド３１８６がデッキ３１７４からヘッド上側表面３１８８まで垂直方向の外側に延在して前方停止部３１６４Ａを画定する。同様に、ヘッド３１８６が側壁３１７６の各々を基準として横方向の外側にそれぞれのヘッド側部表面３１９０まで延在し、対応するそれぞれの側方停止部３１６４を画定する（図１３Ａ〜図１３Ｂを参照）。ここでもやはり、ヘッド上側表面３１８８がヘッド側部表面３１９０の間を延在してヘッド側部表面３１９０に結合し、これらの表面３１８８、３１９０は、取り付け部材１３８の形状およびプロフィールに対して相補的である滑らかな円形プロフィールをヘッド３１８６に与えるように形成され、それにより美的価値を上げる。しかし、アダプタ１２４の第１の実施形態に関連して上述したように、ヘッド３１８６および／またはヘッド表面３１８６、３１８８は、本発明の範囲から逸脱することなく、任意適切な手法で配置されるかまたは構成されてもよいことが当業者には認識されよう。ここでは、前方停止部３１６４Ａは、取り付け部材１３８の上壁１４２によって画定されるターミナル端部１４０の前方縁部１４０Ａに当接するように同様に構成され、側方停止部３１６４Ｂの各々は、取り付け部材１３８のそれぞれの側壁１４４によって画定されるターミナル端部１４０の側方縁部１４０Ｂのうちの１つに当接するように構成される（図５Ａ〜図５Ｂを参照）。
【００５５】
[00169]アダプタ３１２４の第３の実施形態は、取り付け部材１３８のそれぞれの突出部１４６を受けるためにボディ３１５８内の第２の端部３１６２に形成されるスロット３１６６を有する。ここでもやはり、スロット３１６６がボディ３１５８の第２の端部３１６２からボディ３１５８の第１の端部３１６０に向かって長手方向に延在し、ここでは、第２の端部３１６２にある開口部３１９２がテーパ状になってチャンネル３１９４に結合するように構成され、チャンネル３１９４がさらにフロア３１９６まで延在してフロア３１９６に結合する。開口部３１９２およびチャンネル３１９４は、ワイパ組立体１１６とワイパアーム１１４との間の接続中にアダプタ３１２４を基準として取り付け部材１３８を案内にするように同様に構成され、アダプタ３１２４および取り付け部材１３８の種々の構成要素および構造的特徴の間の位置合わせを促進するのを補助する。
【００５６】
[00170]図１８に最も良好に示されるように、アダプタ３１２４のこの第３の実施形態では、スロット３１６６のフロア３１９６は、アダプタ３１２４が取り付け部材１３８に固定されているときに取り付け部材１３８のそれぞれの突出部１４６に当接するように構成される。この当接構成がアダプタ３１２４と取り付け部材１３８との間の長手方向の位置合わせを促進するのを補助することが当業者には認識されよう。具体的には、この第３の実施形態では、取り付け部材１３８の突出部１４６がスロット３１６６のフロア３１９６に当接しているとき、停止部３１６４が取り付け部材１３８のターミナル端部１４０に同様に当接し、弾性フィンガ３１６８の歯３１７０が取り付け部材１３８のアパーチャ１５６に長手方向において位置合わせされるようになる。しかし、アダプタ１２４の第１の実施形態に関連して上で説明したように、スロット３１６６は、取り付け部材３１８に対してアダプタ３１２４が固定されているときに取り付け部材１３８の突出部１４６をフロア３１９６から離間させるように、構成され得ることが当業者には認識されよう。同様に、上述のアダプタ１２４の第１の実施形態のチャンネル１９４は、突出部１４６の高さ２００を基準として、それらの間に隙間２０２が画定されて示されることになるように、成形されるが、アダプタ３１２４の第３の実施形態のチャンネル３１９４の幅３１９８は、比較すると、突出部１４６の高さ２００に比較的近い（図９を図１８と比較されたい）。ここでは、チャンネル３１９４は、製造公差のばらつきを許容しながら突出部１４６を収容するのを促進するのに十分な大きさの幅３１９８を有するが、この幅３１９８はまた、動作時の取り付け部材１３８と固定されたアダプタ３１２４との間の垂直方向の遊びを最小にするように突出部１４６の高さ２００を基準としてサイズ決定される。しかし、後で説明される下記の実施形態の考察から認識されるように、スロット３１６６は、取り付け部材１３８を用いた着脱自在の取り付けを促進するのに十分である任意適切なサイズ、形状、または構成のプロフィールで構成されてよいことが当業者には認識されよう。
【００５７】
[00171]再び図１３Ａ〜図１４、図１７、および図１８を参照すると、上述したように、アダプタ３１２４の第３の実施形態がまた、アダプタ３１２４と取り付け部材１３８との間での長手方向における保持を実現することを目的として取り付け部材１３８のアパーチャ１５６に係合されるのに弾性フィンガ３１６８および歯３１７０を採用する。この実施形態では、弾性フィンガ３１６８は、第１の端部３１６０と第２の端部３１６２との間でデッキ３１７４内に同様に形成される窓３２０６の中に長手方向に延在する。アダプタ３１２４のこの第３の実施形態では、弾性フィンガ３１６８が第２の端部３１６２に向かって長手方向に延在する（図１３Ａを図４と比較されたい）。アダプタ１２４の第１の実施形態に関連して上述したように、アダプタ３１２４の第３の実施形態の歯３１７０もやはり、取り付け部材１３８のアパーチャ１５６のプロフィールに対して相補的である概して丸みのある長方形のプロフィールを有する。ここでもやはり、歯面３２０８は、固定されているときの取り付け部材１３８のアパーチャ１５６のアパーチャ面２１０に当接するように構成され、カム面３２１２が歯面３２０８から離れる方を向き、取り付け部材１３８のターミナル端部１４０に係合されることに反応して窓３２０６の中へと弾性フィンガ３１６８および歯３１７０を下方へ撓ませるように構成される。具体的には、取り付け部材１３８の前方縁部１４０Ａが歯３１７０のカム面３２１２に同様に係合され、それにより、取り付け部材１３８のアパーチャ１５６を長手方向において歯３１７０に位置合わせさせるまで弾性フィンガ３１６８および歯３１７０を下方へ撓ませ、その後、弾性フィンガ３１６８が窓３２０６から外れて上方へ戻り、歯３１７０の歯面３２０８がアパーチャ１５６のアパーチャ面２１０に当接し、それにより取り付け部材１３８とアダプタ３１２４との間での長手方向の移動を制限する（図１８を参照）。
【００５８】
[00172]図１３Ａ〜図１３Ｂおよび図１８に最も良好に示されるように、上述したように、アダプタ３１２４の第３の実施形態は、取り付け部材１３８のそれぞれの切り欠き部１４８で受けられるためにボディ３１５８上の第１の端部３１６０に形成されるブレース３１７２を有する。各ブレース３１７２が側壁３１７６のうちの１つから横方向の外側に延在して長手方向においてヘッド３１８６に結合される。ここでもやはり、アダプタ３１２４が取り付け部材１３８に固定されているとき、下側ブレース表面３２１６が切り欠き部１４８の下側切り欠き縁部１５２に少なくとも部分的に当接し、上側ブレース表面３２１４が切り欠き部１４８の上側切り欠き縁部１５０の下方で離間され、アダプタ３１２４のいずれの部分も取り付け部材１３８の切り欠き部１４８の上側切り欠き縁部１５０に係合されたりまたは他の形で当接したりしない。下側ブレース表面３２１６が同様に湾曲ブレース表面３２１８まで長手方向に延在して結合され、湾曲ブレース表面３２１８が上方へ湾曲して上側ブレース表面３２１４に結合される。アダプタ３１２４のこの第３の実施形態では、アダプタ３１２４が取り付け部材１３８に固定されているとき、湾曲ブレース表面３２１８が取り付け部材１３８の切り欠き部１４８の湾曲切り欠き縁部１５４に当接する（図１８を図９と比較されたい）。
【００５９】
[00173]次に図２６Ａ〜図２６Ｃを参照すると、アダプタ３１２４の第３の実施形態を取り付け部材１３８に固定するための特定の組み立てステップが順番に示されている。ここでは、既に導入されている特定の参照符号を例示のために以下で引用するが、これらは図２６Ａ〜図２６Ｃでは明瞭さのために省略される。ワイパアーム１１４との適切な接続を実現するために、ワイパ組立体１１６のアダプタ３１２４の第３の実施形態は、アダプタ３１２４の近くで長手方向において取り付け部材１３８を離間させるように、配置される（図２６Ａを参照）。次いで、取り付け部材１３８がアダプタ３１２４に係合され、それにより取り付け部材１３８および／またはアダプタ３１２４が互いの方に向かって長手方向に移動させられ、その結果、取り付け部材１３８のターミナル端部１４０の前方縁部１４０Ａがアダプタ３１２４の弾性フィンガ３１６８の歯３１７０のカム面３２１２に接触するようになる（図２６Ｂを参照されたい：さらに、図１３Ａ〜図１３Ｂを参照されたい）。取り付け部材１３８がアダプタ３１２４の第１の端部３１６０に向かって長手方向にさらに移動すると、取り付け部材１３８の突出部１４６がアダプタ３１２４のスロット３１６６の開口部３１９２に入り、開口部３１９２が突出部１４６をスロット３１６６のチャンネル３１９４の中まで案内し、また同時に、歯３１７０および弾性フィンガ３１６８を窓３２０６の中まで下方へ撓ませるのを補助し、これは、ブレース３１７２の下側ブレース表面３２１６が取り付け部材１３８の切り欠き部１４８の下側切り欠き縁部１５２に当接することによる（図１３Ａ〜図１３Ｂも参照されたい）。取り付け部材１３８がアダプタ３１２４の第１の端部３１６０に向かって長手方向にさらに移動すると、取り付け部材１３８のターミナル端部１４０がアダプタ３１２４の停止部３１６４に当接させられ、これは、取り付け部材１３８のアパーチャ１５６がアダプタ３１２４の歯３１７０に長手方向において位置合わせされることにより（図２６Ｃを参照）、それにより、弾性フィンガ３１６８が窓３２０６から外れて上方へ戻り、歯３１７０をアパーチャ１５６の中へ送り、その結果、歯３１７０の歯面３２０８がアパーチャ１５６のアパーチャ面２１０に当接し、それにより取り付け部材１３８とアダプタ３１２４との間の長手方向の移動を制限する（図１８を参照）。アダプタ３１２４の第３の実施形態のいずれの部分も取り付け部材１３８の切り欠き部１４８の上側切り欠き縁部１５０に係合されたりまたは他の形で当接したりしないことが認識されよう。
【００６０】
[00174]上述したように、ワイパ組立体１１６のアダプタの第４の実施形態は、図１５、図１９、および図２０に示される。以下の説明では、第１の実施形態の構造および構成要素と同じであるかまたは第１の実施形態の構造および構成要素に対応する第４の実施形態の構造および構成要素は４０００を加算される等しい参照符号を有する。
【００６１】
[00175]図１５、図１９、および図２０に描かれるアダプタ４１２４の第４の実施形態は、やはり、上述のアダプタ３１２４の第３の実施形態と実質的に同様である（図１５を図１４と比較されたい）。したがって、明瞭さおよび一貫性のために、アダプタ４１２４の第４の実施形態とアダプタ３１２４の第３の実施形態との間の具体的な差異のみを以下で説明し、これらの実施形態の間で共通の特定の構造的特徴および構成要素のみを本明細書で考察し、アダプタ４１２４の第４の実施形態の図面に描く。以下で特に明記しない限り、上記のアダプタ３１２４の第３の実施形態の説明は、限定されることなく、アダプタ４１２４の第４の実施形態に関連する参照にも組み込まれ得ることが認識されよう。
【００６２】
[00176]図１５および図２０に最も良好に示されるように、アダプタ４１２４の第４の実施形態は、同様に、ボディ４１５８の第１の端部４１６０でヘッド４１８６によって画定される停止部４１６４、ならびにボディ４１５８の第２の端部４１６２にあるスロット４１６６、および歯４１７０を備える弾性フィンガ４１６８を有する。さらに、アダプタ４１２４は、取り付け部材１３８のそれぞれの切り欠き部１４８で受けられるためにボディ４１５８上の第１の端部４１６０に形成されるブレース４１７２をさらに有する。各ブレース４１７２が側壁４１７６のうちの１つから横方向の外側に延在して長手方向においてヘッド４１８６に結合される。ここでもやはり、アダプタ４１２４が取り付け部材１３８に固定されているとき、下側ブレース表面４２１６が切り欠き部１４８の下側切り欠き縁部１５２に少なくとも部分的に当接する。しかし、この第４の実施形態では、アダプタ４１２４のブレース４１７２が取り付け部材１３８のそれぞれの切り欠き部１４８を「塞ぐ」ように構成され、その結果、アダプタ４１２４のブレース４１７２の上側ブレース表面４２１４が取り付け部材１３８の切り欠き部１４８のそれぞれの上側切り欠き縁部１５０に当接する（図１５を図１４と比較されたい）。ここでは、下側ブレース表面４２１６および上側ブレース表面４２１２の両方がヘッド４１８６から湾曲ブレース表面４２１８まで長手方向に延在し、湾曲ブレース表面４２１８は、この第４の実施形態では、取り付け部材１３８の切り欠き部１４８の湾曲切り欠き縁部１５４に相補的に成形される円形プロフィールを有する。しかし、本発明の範囲から逸脱することなく、取り付け部材１３８を長手方向および垂直方向において保持するのを実現するために、ブレース４１７２は、少なくとも、第２の端部４１６２の弾性フィンガ４１６８ならびに第１の端部４１６０の停止部４１６４および／またはヘッド４１８６の少なくとも１つと協働するのに十分である任意適切な構造および／または構成で構成されてよいことが当業者には認識されよう。
【００６３】
[00177]上述したように、ワイパ組立体１１６のアダプタの第５の実施形態は、図１６、図２１、および図２２に示される。以下の説明では、第１の実施形態の構造および構成要素と同じであるかまたは第１の実施形態の構造および構成要素に対応する第５の実施形態の構造および構成要素は５０００を加算される等しい参照符号を有する。
【００６４】
[00178]図１６、図２１、および図２２に描かれるアダプタ５１２４の第５の実施形態は、やはり、上述のアダプタ３１２４の第３の実施形態と実質的に同様である（図１６を図１４と比較されたい）。したがって、明瞭さおよび一貫性のために、アダプタ５１２４の第５の実施形態とアダプタ３１２４の第３の実施形態との間の具体的な差異のみを以下で説明し、これらの実施形態の間で共通の特定の構造的特徴および構成要素のみを本明細書で考察し、アダプタ５１２４の第５の実施形態の図面に描く。以下で特に明記しない限り、上記のアダプタ３１２４の第３の実施形態の説明は、限定されることなく、アダプタ５１２４の第５の実施形態に関連する参照にも組み込まれ得ることが理解されよう。
【００６５】
[00179]図１６および図２２に最も良好に示されるように、アダプタ５１２４の第５の実施形態は、同様に、ボディ５１５８の第１の端部５１６０でヘッド５１８６によって画定される停止部５１６４、ならびにボディ５１５８の第２の端部５１６２にあるスロット５１６６、および歯５１７０を備える弾性フィンガ５１６８を有する。しかし、この第５の実施形態では、アダプタ５１２４は、取り付け部材１３８の切り欠き部１５８に係合されることなく取り付け部材１３８に固定されるように構成される。この目的のために、アダプタ５１２４は、ここでは、第１の端部５１６０でヘッド５１８６の停止部５１６４を採用し、スロット５１６６、および第２の端部５１６２で歯５１７０を備える弾性フィンガ５１６８を採用し、これらが取り付け部材１３８を垂直方向および長手方向において保持するのを実現するように協働する。ここでは、前方停止部５１６４Ａおよび側方停止部５１６４Ｂは、アダプタ５１２４を固定されているときの取り付け部材１３８のターミナル端部１４０の前方縁部１４０Ａおよび側方縁部１４０Ｂにそれぞれ当接するように構成される。アダプタ５１２４の第５の実施形態のいずれの部分も取り付け部材１３８の切り欠き部１４８の上側切り欠き縁部１５０に係合されたりまたは他の形で当接したりしないことが認識されよう。
【００６６】
[00180]図２０で最も良好に示されるように、側方停止部５１６４Ｂは、取り付け部材１３８のターミナル端部１４０との当接によりアダプタ５１２４のボディ５１５８の第１の端部５１６０での垂直方向および長手方向における保持を実現するように、前方停止部５１６４Ａを基準として構成される。具体的には、ヘッド５１８６によって画定される側方停止部５１６４Ｂは、長手方向において前方停止部５１６４Ａよりもボディ５１５８の第２の端部５１６２からさらに離れて離間される。同様に、ヘッド５１８６によって画定される側方停止部５１６４Ｂは、垂直方向において前方停止部５１６４Ａよりもヘッド上側表面１８８からさらに離れて離間される。この構成は第１の端部５１６０での保持を実現し、第２の端部５１６２でのスロット５１６６および弾性フィンガ５１６８によって可能となる保持と協働し、それにより、弾性フィンガ５１６８の歯５１７０が取り付け部材１３８のアパーチャ１５６に係合され、使用時にアダプタ５１２４を取り付け部材１２８に固定する。
【００６７】
[00181]次に図１４〜図１６を参照すると、アダプタ３１２４の第３の実施形態、アダプタ４１２４の第４の実施形態、およびアダプタ５１２４の第５の実施形態がそれぞれ示されている。上で示したように、アダプタ４１２４の第４の実施形態およびアダプタ５１２４の第５の実施形態は、ブレースの構成を除いて、アダプタ３１２４の第３の実施形態と実質的に同様である。具体的には、アダプタ３１２４の第３の実施形態は取り付け部材１３８の切り欠き部１４８の上側切り欠き縁部１５０から離間された状態を維持するブレース３１７２を採用するが、アダプタ４１２４の第４の実施形態は切り欠き部１４８を「塞ぐ」ブレース４１７２を採用し、アダプタ５１２４の第５の実施形態はブレースを完全に省略する。さらに、アダプタ３１２４の第３の実施形態、アダプタ４１２４の第４の実施形態、およびアダプタ５１２４の第５の実施形態の各々で、ヘッド３１８６、４１８６、５１８６によって画定される停止部３１６４、４１６４、５１６４は、ボディ３１５８、４１５８、５１５８の第１の端部３１６０、４１６０、５１６０での垂直方向および長手方向における保持を実現するのを補助する。ブレース３１７２、４１７２が取り付け部材１３８の切り欠き部１４８の一方または両方に沿って分布する係合を介して追加の保持を実現し、取り付け部材１３８に固定されるときの組み立ての容易さに寄与し、また、使用時のワイパ組立体１１６の美的価値を上げることが当業者には認識されよう。しかし、本発明の範囲から逸脱することなく、ブレース３１７２、４１７２が異なる形で構成または配置されてもよいか、あるいは第１の端部での十分な保持を他の形で達成するような特定の実施形態では省略されてもよいことがさらに認識されよう。
【００６８】
[00182]上述したように、ワイパ組立体１１６のアダプタの第６の実施形態は、図２４および図２７Ａ〜図２７Ｃに示される。以下の説明では、第１の実施形態の構造および構成要素と同じであるかまたは第１の実施形態の構造および構成要素に対応する第６の実施形態の構造および構成要素は６０００を加算される等しい参照符号を有する。
【００６９】
[00183]図２４および図２７Ａ〜図２７Ｃに描かれるアダプタ６１２４の第６の実施形態は、やはり、上述のアダプタ３１２４の第３の実施形態と実質的に同様である（図２４を図２３と比較されたい）。したがって、明瞭さおよび一貫性のために、アダプタ６１２４の第６の実施形態とアダプタ３１２４の第３の実施形態との間の具体的な差異のみを以下で説明し、これらの実施形態の間で共通の特定の構造的特徴および構成要素のみを本明細書で考察し、アダプタ６１２４の第６の実施形態の図面に描く。以下で特に明記しない限り、上記のアダプタ３１２４の第３の実施形態の説明は、限定されることなく、アダプタ６１２４の第６の実施形態に関連する参照にも組み込まれ得ることが認識されよう。
【００７０】
[00184]図２４に最も良好に示されるように、アダプタ６１２４の第６の実施形態は、同様に、ボディ６１５８の第１の端部６１６０でヘッド６１８６によって画定されるブレース６１７２および停止部６１６４の両方、ならびにボディ６１５８の第２の端部６１６２にあるスロット６１６６、および歯６１７０を備える弾性フィンガ６１６８を有する。しかし、アダプタ６１２４のこの第６の実施形態では、スロット６１６６が順番的な「トップダウンに直線的な」方式で取り付け部材１３８に固定されるのを促進する「Ｌ」形構成を有し、これは、アダプタ３１２４の第３の実施形態に関連して上で考察した直線的な方式とは異なる（図２７Ａ〜図２７Ｃを図２６Ａ〜図２６Ｃと比較されたい）。ここでは、スロット６１６６が同様にボディ６１５８のそれぞれの側壁６１７６内に形成され、取り付け部材１３８のそれぞれの突出部１４６を受けるように構成され、ここでは、チャンネル６１９４が第１の端部６１６０に向かって長手方向に延在してそれぞれのフロア６１９６に結合する。しかし、この第６の実施形態では、スロット６１６６の各々は、それぞれの側壁６１７６内に形成される概して６２２４で示される垂直方向開口部をさらに有し、この垂直方向開口部がデッキ６１７４まで垂直方向に延在し、それぞれのチャンネル６１９４に繋がるように配置される。後でより詳細に説明されるように、垂直方向開口部６２２４およびチャンネル６１９４は、ワイパ組立体１１６とワイパアーム１１４との間の接続中にアダプタ６１２４を基準として取り付け部材１３８を案内するように構成され、アダプタ６１２４および取り付け部材１３８の種々の構成要素および構造的特徴の間の位置合わせを促進するのを補助する。
【００７１】
[00185]次に図２７Ａ〜図２７Ｃを参照すると、アダプタ６１２４の第６の実施形態を取り付け部材１３８に固定するための特定の組み立てステップが順番に示されている。ここでは、既に導入されている特定の参照符号を例示のために以下で引用するが、これらは図２７Ａ〜図２７Ｃでは明瞭さのために省略される。ワイパアーム１１４との適切な接続を実現するために、ワイパ組立体１１６のアダプタ６１２４の第６の実施形態は、アダプタ６１２４の上方で垂直方向において取り付け部材１３８を離間させ、スロット６１６６の垂直方向開口部６２２４を取り付け部材１３８の突出部１４６に長手方向において位置合わせするように、配置される（図２７Ａを参照）。次いで、取り付け部材１３８がアダプタ６１２４に係合され、それにより取り付け部材１３８および／またはアダプタ６１２４が互いの方に向かって垂直方向に移動させられ、その結果、取り付け部材１３８の突出部１４６がスロット６１６６の垂直方向開口部６２２４の中まで案内されてそれに沿って移動し、スロット６１６６のチャンネル６１９４の方に向かう（図２７Ａを図２７Ｂと比較されたい）。図２７Ｂでは、スロット６１６６が例示のために想像線で示される。
【００７２】
[00186]取り付け部材１３８がアダプタ６１２４の近くで垂直方向にさらに移動すると、取り付け部材１３８の上壁１４２がアダプタ６１２４の弾性フィンガ６１６８の歯６１７０に接触し、それにより歯６１７０および弾性フィンガ６１６８を窓６２０６の中へと下方へ撓ませ、これは、取り付け部材１３８の上壁１４２がアダプタ６１２４のデッキ６１７４に当接することによる。アダプタ６１２４のこの第６の実施形態では、垂直方向開口部６２２４が頂点６２２６でスロット６１６６のチャンネル６１９４に交わり、チャンネル６１９４が突出部１４６を収容するように、およびアダプタ６１２４の第１の端部６１６０に向かう取り付け部材１３８のその後の線形移動を促進するようにサイズ決定される。図２７Ｂに最も良好に示されるように、スロット６１６６の、垂直方向開口部６２２４、頂点６２２６、およびスロット６１６６のチャンネル６１９４は、突出部１４６を収容するように、および組み立て中の取り付け部材１３８の中へのアダプタ６１２４の案内を促進するのを補助するようにサイズ決定される。図２７Ｂに最も良好に示されるように、この第６の実施形態のスロット６１６６は、頂点６２２６に突出部１４６が配置されるときに取り付け部材１３８のターミナル端部１４０をアダプタ６１２４のブレース６１７２から長手方向において離間させるように、構成される。頂点６２２６に到達した後、突出部１４６がチャンネル６１９４に沿って頂点６２２６から離れてフロア６１９６に向かって移動するとき、突出部１４６がチャンネル６１９４に入り、次いで取り付け部材１３８がアダプタ６１２４の第１の端部６１６０に向かって直線状に長手方向に移動することができる（図２７Ｂを図２７Ｃと比較されたい）。
【００７３】
[00187]取り付け部材１３８がアダプタ６１２４の第１の端部６１６０に向かって長手方向に移動すると、弾性フィンガ６１６８が窓６２０６の中へと下方に撓んだ状態を維持し、これは、ブレース６１７２の下側ブレース表面６２１６が取り付け部材１３８の切り欠き部１４８の下側切り欠き縁部１５２に当接することによる。取り付け部材１３８がアダプタ６１２４の第１の端部６１６０に向かって長手方向にさらに移動すると、取り付け部材１３８のターミナル端部１４０がアダプタ６１２４の停止部６１６４に当接させられ、これは、取り付け部材１３８のアパーチャ１５６がアダプタ６１２４の歯６１７０に長手方向において位置合わせされることにより（図２７Ｃを参照）、それにより、弾性フィンガ６１６８が窓６２０６から外れて上方へ戻り、歯６１７０の歯面６２０８がアパーチャ１５６のアパーチャ面２１０に当接し、それにより取り付け部材１３８とアダプタ６１２４との間の長手方向の移動を制限する。
【００７４】
[00188]上述したように、ワイパ組立体１１６のアダプタの第７の実施形態が図２５および図２８Ａ〜図２８Ｃに示される。以下の説明では、第１の実施形態の構造および構成要素と同じであるかまたは第１の実施形態の構造および構成要素に対応する第７の実施形態の構造および構成要素は７０００を加算される等しい参照符号を有する。
【００７５】
[00189]図２５および図２８Ａ〜図２８Ｃに描かれるアダプタ７１２４の第７の実施形態は、やはり、上述のアダプタ３１２４の第３の実施形態と実質的に同様である（図２５を図２３と比較されたい）。したがって、明瞭さおよび一貫性のために、アダプタ７１２４の第７の実施形態とアダプタ３１２４の第３の実施形態との間の具体的な差異のみを以下で説明し、これらの実施形態の間で共通の特定の構造的特徴および構成要素のみを本明細書で考察し、アダプタ７１２４の第７の実施形態の図面に描く。以下で特に明記しない限り、上記のアダプタ３１２４の第３の実施形態の説明は、限定されることなく、アダプタ７１２４の第７の実施形態に関連する参照にも組み込まれ得ることが理解されよう。
【００７６】
[00190]図２５に最も良好に示されるように、アダプタ７１２４の第７の実施形態は、同様に、ボディ７１５８の第１の端部７１６０でヘッド７１８６によって画定されるブレース７１７２および停止部７１６４の両方、ならびにボディ７１５８の第２の端部７１６２にあるスロット７１６６、および歯７１７０を備える弾性フィンガ７１６８を有する。しかし、アダプタ７１２４のこの第７の実施形態では、スロット７１６６は、アダプタ３１２４の第３の実施形態に関連して上で考察した直線的な方式とは異なる（図２８Ａ〜図２８Ｃを図２６Ａ〜図２６Ｃと比較されたい）、またさらには、アダプタ６１２４の第６の実施形態に関連して上で考察した順番的な「トップダウンの直線的な」方式とは異なる（図２８Ａ〜図２８Ｃを図２７Ａ〜図２７Ｃと比較されたい）、順番的な「トップダウンであり、下方および前方の組み合わせの直線体な」方式で、取り付け部材１３８に固定されるのを促進する湾曲構成を有する。ここでは、スロット７１６６が同様にボディ７１５８のそれぞれの側壁７１７６内に形成され、取り付け部材１３８のそれぞれの突出部１４６を受けるように構成され、ここでは、チャンネル７１９４が第１の端部７１６０に向かって長手方向に延在してそれぞれのフロア７１９６に結合する。上述のアダプタ６１２４の第６の実施形態と同様に、アダプタ６１２４の第７の実施形態のスロット７１６６は、同様に、それぞれの側壁７１７６内に形成される垂直方向開口部７２２４を有し、これらの垂直方向開口部７２２４がデッキ７１７４に向かって垂直方向に延在し、それぞれのチャンネル７１９４に繋がるように配置される。後でより詳細に説明されるように、垂直方向開口部７２２４およびチャンネル７１９４は、ワイパ組立体１１６とワイパアーム１１４との間の接続中にアダプタ７１２４を基準として取り付け部材１３８を案内するように構成され、アダプタ７１２４および取り付け部材１３８の種々の構成要素および構造的特徴の間の位置合わせを促進するのを補助する。
【００７７】
[00191]次に図２８Ａ〜図２８Ｃを参照すると、アダプタ７１２４の第７の実施形態を取り付け部材１３８に固定するための特定の組み立てステップが順番に示されている。ここでは、既に導入されている特定の参照符号を例示のために以下で引用するが、これらは図２８Ａ〜図２８Ｃでは明瞭さのために省略される。ワイパアーム１１４との適切な接続を実現するために、ワイパ組立体１１６のアダプタ７１２４の第７の実施形態は、アダプタ７１２４の上方で垂直方向において取り付け部材１３８を離間させ、スロット７１６６の垂直方向開口部７２２４を取り付け部材１３８の突出部１４６に長手方向において位置合わせするように、配置される（図２８Ａを参照）。次いで、取り付け部材１３８がアダプタ７１２４に係合され、それにより取り付け部材１３８および／またはアダプタ７１２４が互いの方に向かって垂直方向に移動させられ、その結果、取り付け部材１３８の突出部１４６がスロット７１６６の垂直方向開口部７２２４の中まで案内されてそれに沿って移動し、スロット７１６６のチャンネル７１９４の方に向かう（図２８Ａを図２８Ｂと比較されたい）。図２８Ｂでは、スロット７１６６が例示のために想像線で示される。
【００７８】
[00192]取り付け部材１３８がアダプタ７１２４の近くで垂直方向にさらに移動すると、取り付け部材１３８の上壁１４２がアダプタ７１２４の弾性フィンガ７１６８の歯７１７０に接触し、それにより歯７１７０および弾性フィンガ７１６８を窓７２０６の中へと下方へ撓ませ、これは、取り付け部材１３８の上壁１４２がアダプタ７１２４のデッキ７１７４に当接することによる。アダプタ７１２４のこの第７の実施形態では、スロット７１６６は、概して７２２８で示される個別のプロフィール領域をさらに有し、これらの個別のプロフィール領域がそれぞれの垂直方向開口部７２２４とスロット７１６６の対応するチャンネル７１９４との間を延在してそれらに結合する。プロフィール領域７２２８は、突出部１４６を収容するように、および垂直方向開口部７２２４に沿わせて突出部１４６を移動させるときに生じるトップダウンの移動の後でアダプタ７１２４の第１の端部７１６０に向かう取り付け部材１３８の垂直方向の下向きおよび長手方向の組み合わせの移動を促進するように、サイズ決定、成形、および構成される。プロフィール領域７２２８は、本発明の範囲から逸脱することなく、アダプタ７１２４を取り付け部材１３８の中まで案内するのに十分である任意適切な形状、プロフィール、または構成を有してよいことが当業者には認識されよう。さらに、スロット７１６６は、突出部１４６を案内するための個別の垂直方向開口部７２２４および／またはチャンネル７１９４を用いず実現されてもよく、それによりプロフィール領域７２２８がフロア７１９６およびデッキ７１７４から、またはアダプタ７１２４の別の適切な部分（詳細には示されない）から延在してよいことが認識されよう。
【００７９】
[00193]図２８Ｂに最も良好に示されるように、スロット７１６６の、垂直方向開口部７２２４、プロフィール領域７２２８、およびチャンネル７１９４は、突出部１４６を収容するように、および組み立て中の取り付け部材１３８の中へのアダプタ７１２４の案内を促進するのを補助するようにサイズ決定される。図２８Ｂに最も良好に示されるように、この第７の実施形態のスロット７１６６は、プロフィール領域７２２８に沿って突出部１４６が移動するときに取り付け部材１３８のターミナル端部１４０をアダプタ７１２４のブレース７１７２から長手方向において離間させるように、構成され、プロフィール領域７２２８がさらに、チャンネル７１９４に対して突出部１４６が接近するときにそれぞれの下側ブレース表面７２１６を取り付け部材１３８の切り欠き部１４８の上側切り欠き縁部１５０に当接させるように、成形および構成される。ここでは、突出部１４６がチャンネル７１９４に沿ってプロファイル領域７２２８から離れてフロア７１９６に向かって移動するとき、突出部１４６がチャンネル７１９４に入り、次いで取り付け部材１３８がアダプタ７１２４の第１の端部７１６０に向かって直線状に長手方向に移動することができる。（図２８Ｂを図２８Ｃと比較されたい）。
【００８０】
[00194]取り付け部材１３８がアダプタ７１２４の第１の端部７１６０に向かって長手方向に移動すると、弾性フィンガ７１６８が窓７２０６の中へと下方に撓んだ状態を維持し、これは、ブレース７１７２の下側ブレース表面７２１６が取り付け部材１３８の切り欠き部１４８の下側切り欠き縁部１５２に接触してそれに沿って移動することによる。取り付け部材１３８がアダプタ７１２４の第１の端部７１６０に向かって長手方向にさらに移動すると、取り付け部材１３８のターミナル端部１４０がアダプタ７１２４の停止部７１６４に当接させられ、これは、取り付け部材１３８のアパーチャ１５６がアダプタ７１２４の歯７１７０に長手方向において位置合わせされることにより（図２８Ｃを参照）、それにより、弾性フィンガ７１６８が窓７２０６から外れて上方へ戻り、歯７１７０の歯面７２０８がアパーチャ１５６のアパーチャ面２１０に当接し、それにより取り付け部材１３８とアダプタ７１２４との間の長手方向の移動を制限する。
【００８１】
[00195]次に図２３〜図２５を参照すると、アダプタ３１２４の第３の実施形態、アダプタ６１２４の第６の実施形態、およびアダプタ７１２４の第７の実施形態がそれぞれ示されている。上で示したように、アダプタ６１２４の第６の実施形態およびアダプタ７１２４の第７の実施形態は、スロットの構成を除いて、アダプタ３１２４の第３の実施形態と実質的に同様である。具体的には、アダプタ３１２４の第３の実施形態は取り付け部材１３８を用いての実質的に直線的な長手方向の方式の組み立てを促進するように構成されるスロット３１６６を採用するが（図２６Ａ〜図２６Ｃも参照されたい）、アダプタ６１２４の第６の実施形態は、取り付け部材１３８を用いての順番的な「トップダウンの直線的な」方式の組み立てを促進するように構成されるスロット６１６６を採用し（図２７Ａ〜図２７Ｃを参照）、アダプタ７１２４の第７の実施形態は、取り付け部材１３８を用いての順番的な「トップダウンであり、下方および前方の組み合わせの直線体な」方式での組み立てを促進するように構成されるスロット７１６６を採用する（図２８Ａ〜図２８Ｃを参照）。所定の方式の組み立て中にスロット３１６６、６１６６、７１６６がアダプタ３１２４、６１２４、７１２４を取り付け部材１３８の中へ案内するのを補助し、したがって、スロットは、異なる手法において、異なる向きにおいて、または個別のステップにおいて、ワイパ組立体１１６をワイパアーム１１４に取り付けるのを促進するように成形、構成、または配置され得ることが当業者には認識されよう。第６の実施形態のスロット６１６６および第７の実施形態のスロット７１６６によって可能となる組み立て方式は、有利には、ワイパアーム１１４へのアクセスを制限するように車両１００を構成するように、ならびに／あるいはワイパ組立体１１６の取り付け中にワイパアーム１１４を特定の限定される位置のみまでしか操作または移動され得ないようにするように、実施され得ることが認識されよう。
【００８２】
[00196]上述の、アダプタ３１２４の第３の実施形態のスロット３１６６、アダプタ６１２４の第６の実施形態のスロット６１６６、およびアダプタ７１２４の第７の実施形態のスロット７１６６は、多様な方式で取り付け部材１３８に対しての固定を行うことを目的として、本明細書で説明されるアダプタの特定の他の実施形態によって採用される構造的特徴および／または構成要素との組み合わせで使用されてよいことが当業者には認識されよう。非限定の例として、アダプタ７１２４の第７の実施形態のスロット７１６６がアダプタ４１２４の第４の実施形態のブレース４１７２と組み合わされ得る。
【００８３】
[00197]上述したように、ワイパ組立体１１６のアダプタの第８の実施形態が図３０に示される。以下の説明では、第１の実施形態の構造および構成要素と同じであるかまたは第１の実施形態の構造および構成要素に対応する第８の実施形態の構造および構成要素は８０００を加算される等しい参照符号を有する。
【００８４】
[00198]図３０に描かれるアダプタ８１２４の第８の実施形態は、やはり、上述のアダプタ３１２４の第３の実施形態と実質的に同様である（図３０を図２９と比較されたい）。したがって、明瞭さおよび一貫性のために、アダプタ８１２４の第８の実施形態とアダプタ３１２４の第３の実施形態との間の具体的な差異のみを以下で説明し、これらの実施形態の間で共通の特定の構造的特徴および構成要素のみを本明細書で考察し、アダプタ８１２４の第８の実施形態の図面に描く。以下で特に明記しない限り、上記のアダプタ３１２４の第３の実施形態の説明は、限定されることなく、アダプタ８１２４の第８の実施形態に関連する参照にも組み込まれ得ることが理解されよう。
【００８５】
[00199]図３０に示されるように、アダプタ８１２４の第８の実施形態は、同様に、ボディ８１５８の第１の端部８１６０でヘッド８１８６によって画定されるブレース８１７２および停止部８１６４の両方、ならびにボディ８１５８の第２の端部８１６２にあるスロット８１６６、および歯８１７０を備える弾性フィンガ８１６８を有する。ここでもやはり、弾性フィンガ８１６８は、第１の端部８１６０と第２の端部８１６２との間でデッキ８１７４内に形成される窓８２０６の中に長手方向に延在し、使用時にアパーチャ面２１０に対して歯面８２０８が当接するときにアダプタ８１２４と取り付け部材１３８との間での長手方向における保持を実現することを目的として取り付け部材１３８のアパーチャ１５６に係合されるのに歯８１７０を採用する。しかし、アダプタ８１２４のこの第８の実施形態では、弾性フィンガ８１８６は、上述のアダプタ３１２４の第３の実施形態に関連して描かれるように第２の端部に向かってではなく、アダプタ８１２４の第１の端部８１６０に向かって長手方向に延在する（図３０を図２９と比較されたい）。また、アダプタ８１２４の第８の実施形態の弾性フィンガ８１８６の構成および向きは、上述のアダプタ１２４の第１の実施形態の弾性フィンガ１８６の構成および向きと同様であることが認識されよう（図３０を図４Ａ〜図４Ｂと比較されたい）。
【００８６】
[00200]上述したように、ワイパ組立体１１６のアダプタの第９の実施形態が図３１に示される。以下の説明では、第１の実施形態の構造および構成要素と同じであるかまたは第１の実施形態の構造および構成要素に対応する第９の実施形態の構造および構成要素は９０００を加算される等しい参照符号を有する。
【００８７】
[00201]図３１に描かれるアダプタ９１２４の第９の実施形態は、やはり、上述のアダプタ３１２４の第３の実施形態と実質的に同様である（図３１を図２９と比較されたい）。したがって、明瞭さおよび一貫性のために、アダプタ９１２４の第９の実施形態とアダプタ３１２４の第３の実施形態との間の具体的な差異のみを以下で説明し、これらの実施形態の間で共通の特定の構造的特徴および構成要素のみを本明細書で考察し、アダプタ９１２４の第９の実施形態の図面に描く。以下で特に明記しない限り、上記のアダプタ３１２４の第３の実施形態の説明は、限定されることなく、アダプタ９１２４の第９の実施形態に関連する参照にも組み込まれ得ることが理解されよう。
【００８８】
[00202]図３１に示されるように、アダプタ９１２４の第９の実施形態は、同様に、ボディ９１５８の第１の端部９１６０でヘッド９１８６によって画定されるブレース９１７２および停止部９１６４の両方、ならびにボディ９１５８の第２の端部９１６２にあるスロット９１６６、および歯９１７０を備える弾性フィンガ９１６８を有する。ここでもやはり、弾性フィンガ９１６８は、使用時にアパーチャ面２１０に対して歯面９２０８が当接するときにアダプタ９１２４と取り付け部材１３８との間での長手方向における保持を実現することを目的として取り付け部材１３８のアパーチャ１５６に係合されるのに歯９１７０を採用する。しかし、アダプタ９１２４のこの第９の実施形態では、概して９２３０で示される側壁窓が第１の端部９１６０と第２の端部９１６２との間で側壁９１７６のうちの１つの中に形成される。具体的には、アダプタ９１２４のこの第９の実施形態では、側壁窓９２３０が「左側」の側壁９１７６内に形成され、デッキ９１７４内に形成される窓９２０６に結合される。ここでは、弾性フィンガ９１６８が側壁窓９２３０内を垂直に延在してさらにデッキ９１７４内に形成される窓９２０６内を横方向に延在する概略「Ｌ」形構成を有する。弾性フィンガ９１６８の歯９１７０は、同様に、上述したように取り付け部材１３８の一部分に対してカム面９２１２が係合されることに反応してデッキ９１７４の下方へと窓９２０６の中へ撓むように構成される。この第９の実施形態の弾性フィンガ９１６８の「Ｌ」形構成により、デッキ９１７４を基準として垂直方向下向きおよび「左側」の側壁９１７６を基準として横方向内向きの両方で撓みが生じることが認識されよう。
【００８９】
[00203]上述したように、ワイパ組立体１１６のアダプタの第１０の実施形態が図３２に示される。以下の説明では、第１の実施形態の構造および構成要素と同じであるかまたは第１の実施形態の構造および構成要素に対応する第１０の実施形態の構造および構成要素は１００００を加算される等しい参照符号を有する。
【００９０】
[00204]図３２に描かれるアダプタ１０１２４の第１０の実施形態は、やはり、上述のアダプタ３１２４の第３の実施形態と実質的に同様である（図３２を図２９と比較されたい）。したがって、明瞭さおよび一貫性のために、アダプタ１０１２４の第１０の実施形態とアダプタ３１２４の第３の実施形態との間の具体的な差異のみを以下で説明し、これらの実施形態の間で共通の特定の構造的特徴および構成要素のみを本明細書で考察し、アダプタ１０１２４の第１０の実施形態の図面に描く。以下で特に明記しない限り、上記のアダプタ３１２４の第３の実施形態の説明は、限定されることなく、アダプタ１０１２４の第１０の実施形態に関連する参照にも組み込まれ得ることが認識されよう。
【００９１】
[00205]図３２に示されるように、アダプタ１０１２４の第１０の実施形態は、同様に、ボディ１０１５８の第１の端部１０１６０でヘッド１０１８６によって画定されるブレース１０１７２および停止部１０１６４の両方、ならびにボディ１０１５８の第２の端部１０１６２にあるスロット１０１６６、および歯１０１７０を備える弾性フィンガ１０１６８を有する。ここでもやはり、弾性フィンガ１０１６８は、使用時にアパーチャ面２１０に対して歯面１０２０８が当接するときにアダプタ１０１２４と取り付け部材１３８との間での長手方向の保持を実現することを目的として取り付け部材１３８のアパーチャ１５６に係合されるのに歯１０１７０を採用する。上述のアダプタ９１２４の第９の実施形態と同様に、アダプタ１０１２４の第１０の実施形態も、第１の端部１０１６０と第２の端部１０１６２との間で側壁１０１７６のうちの１つの中に形成される側壁窓１０２３０を採用する。具体的には、アダプタ１０１２４のこの第１０の実施形態では、側壁窓１０２３０が「右側」の側壁１０１７６内に形成され、デッキ１０１７４内に形成される窓１０２０６に結合される。この構成が上述のアダプタ９１２４の第９の実施形態の構成の鏡像であり、ここでは、側壁窓９２３０が「左側」の側壁９１７６内に形成されることを認識されたい（図３２を図３１と比較されたい）。ここでもやはり、弾性フィンガ１０１６８が側壁窓１０２３０内を垂直に延在してさらにデッキ１０１７４内に形成される窓１０２０６内を横方向に延在する概略「Ｌ」形構成を有する。弾性フィンガ１０１６８の歯１０１７０は、同様に、上述したように取り付け部材１３８の一部分に対してカム面１０２１２が係合されることに反応してデッキ１０１７４の下方へと窓１０２０６の中へ撓むように構成される。この第１０の実施形態の弾性フィンガ１０１６８の「Ｌ」形構成により、デッキ１０１７４を基準として垂直方向下向きおよび「右側」の側壁１０１７６を基準として横方向内向きの両方で同様に撓みが生じることを認識されたい。
【００９２】
[00206]次に図２９〜図３２を参照すると、アダプタ３１２４の第３の実施形態、アダプタ８１２４の第８の実施形態、アダプタ９１２４の第９の実施形態、およびアダプタ１０１２４の第１０の実施形態がそれぞれ示されている。上で示したように、アダプタ８１２４の第８の実施形態、アダプタ９１２４の第９の実施形態、およびアダプタ１０１２４の第１０の実施形態は、弾性フィンガおよび窓の構成を除いて、アダプタ３１２４の第３の実施形態と実質的に同様である。具体的には、アダプタ３１２４の第３の実施形態は、デッキ３１７４内の窓３３２０６内を第２の端部３１６２に向かって延在する弾性フィンガ３１６８を採用するが、アダプタ８１２４の第８の実施形態は、デッキ８１７４内の窓８２０６内を第１の端部８１６０に向かって延在する弾性フィンガ８１６８を採用し、アダプタ９１２４の第９の実施形態は、デッキ９１７４内の窓９２０６および「左側」の側壁９１７６内に形成される側壁窓９２３０の両方の中を延在する「Ｌ」形の弾性フィンガ９１６８を採用し、アダプタ１０１２４の第１０の実施形態は、デッキ１０１７４内の窓１０２０６および「右側」の側壁１０１７６内に形成される側壁窓１０２３０の両方の中を延在する「Ｌ」形の弾性フィンガ１０１６８を採用する。
【００９３】
[00207]弾性フィンガ３１６８、８１６８、９１６８、１０１６８の異なる構成は、異なる種類のワイパアーム（示されないが、関連技術で一般に知られる）に対してアダプタ３１２４、８１２４、９１２４、１０１２４を接続するのを促進するのに採用され得るような他の構造的特徴または構成要素のためのスペースを得るのを可能にするように実装され得ることが当業者には認識されよう。加えて、弾性フィンガ３１６８、８１６８、９１６８、１０１６８の異なる構成は、アダプタ３１２４、８１２４、９１２４、１０１２４を製造するのに使用される工具類および／または設備を最適化することの機会を得るのを可能にすることが認識されよう。さらに、上述のアダプタ８１２４の第８の実施形態の弾性フィンガ８１６８、アダプタ９１２４の第９の実施形態の弾性フィンガ９１６８、およびアダプタ１０１２４の第１０の実施形態の弾性フィンガ１０１６８は、取り付け部材１３８のアパーチャ１５６に係合されることを目的として、本明細書で説明されるアダプタの特定の他の実施形態によって採用される構造的特徴および／または構成要素との組み合わせで使用されてよいことが当業者には認識されよう。非限定の例として、アダプタ９１２４の第９の実施形態の弾性フィンガ９１６８は、アダプタ７１２４の第７の実施形態のスロット７１６６およびアダプタ４１２４の第４の実施形態のブレース４１７２と組み合わされ得る。
【００９４】
[00208]上述したように、ワイパ組立体１１６のアダプタの第１１の実施形態が図３３Ａ〜図３５に示される。以下の説明では、第１の実施形態の構造および構成要素と同じであるかまたは第１の実施形態の構造および構成要素に対応する第１１の実施形態の構造および構成要素は１１０００を加算される等しい参照符号を有する。
【００９５】
[00209]図３３Ａ〜図３５に描かれるアダプタ１１１２４の第１１の実施形態は、上述のアダプタ３１２４の第３の実施形態と同様である（図３３Ａを図２９と比較されたい）。したがって、明瞭さおよび一貫性のために、アダプタ１１１２４の第１１の実施形態とアダプタ３１２４の第３の実施形態との間の具体的な差異のみを以下で説明し、これらの実施形態の間で共通の特定の構造的特徴および構成要素のみを本明細書で考察し、アダプタ１１１２４の第１１の実施形態の図面に描く。以下で特に明記しない限り、上記のアダプタ３１２４の第３の実施形態の説明は、限定されることなく、アダプタ１１１２４の第１１の実施形態に関連する参照にも組み込まれ得ることが認識されよう。
【００９６】
[00210]図３３Ａ〜図３３Ｂに示されるように、アダプタ１１１２４の第１１の実施形態は、同様に、ボディ１１１５８の第２の端部１１１６２にあるスロット１１１６６、および歯１１１７０を備える弾性フィンガ１１１６８を有する。しかし、この第１１の実施形態では、アダプタ１１１２４は、ボディ１１１５８の第１の端部１１１６０に隣接するところにある概して１１２３２で示されるシースを採用する。シース１１２３２がヘッド１１１８６からボディ１１１５８の第２の端部１１１６２に向かって長手方向に延在し、シース頂部１１２３４と、シース頂部１１２３４から垂下する一対のシース側部１１２３６とを有する（図３５も参照されたい）。ここでは、シース１１２３２がヘッド１１１８６に結合され、その結果、ヘッド上側表面１１１８８がシース頂部１１２３４の一部分により延長されてその一部分を画定し、ヘッド側部表面１１１９０が同様にそれぞれのシース側部１１２３６の複数の部分により延長されてそれらの複数の部分を画定する。図３３Ｂに示されるように、シース頂部１１２３４は、ターミナル端部１４０に隣接するところで取り付け部材１３８の上壁１４２の一部分に当接するように構成される下側当接面１１２３８を有する。下側当接面１１２３８がヘッド１１１８６によって画定されるヘッド上側表面１１１８８から垂直方向の下方に離間されてそこから離れる方を向く。シース側部１１２３６の各々は、ターミナル端部１４０に隣接するところで取り付け部材１３８のそれぞれの側壁１４４のうちの１つの側壁の一部分に当接するように構成される内側当接面１１２４０を有する。内側当接面１１２４０が互いの方を向き、ヘッド１１１８６によって画定されるヘッド側部表面１１１９０から横方向の内側に離間される。シース側部１１２３６がシース頂部１１２３４よりボディ１１１５８の第２の端部１１１６２の方にさらに長手方向に延在し、それによりシース１１２３２に傾斜プロフィールが与えられる。ここでは、シース側部１１２３６は、固定時に取り付け部材１３８の切り欠き部１４８を隠すために第２の端部１１１６２に向かって長手方向に十分に延在し、それにより美的価値を上げ、また、使用時に切り欠き部１４８をこれらの要素から保護する。しかし、シース１１２３２は、本発明の範囲から逸脱することなく第１の端部１１１６０で取り付け部材１３８の保持を実現するのに十分である任意適切な手法で構成されてよいことが認識されよう。
【００９７】
[00211]図３３Ｂに最も良好に示されるように、シース１１２３２の下側当接面１１２３８および内側当接面１１２４０は、アダプタ１１１２４のボディ１１１５８の第１の端部１１１６０で停止部１１１６４に隣接するシースポケット１１２４２を画定するように協働する（図３５も参照されたい）。シースポケット１１２４２は、組み立て中に取り付け部材１３８のターミナル端部１４０をアダプタ１１１２４の中まで案内するためにスロット１１１６６と協働するように構成され、これは、使用時に歯面１１２０８がアパーチャ面２１０に当接するときにアダプタ１１１２４と取り付け部材１３８との間での長手方向の保持を実現することを目的として、弾性フィンガ１１１６８の歯１１１７０が取り付け部材１３８のアパーチャ１５６に係合されることによる。
【００９８】
[00212]上述したように、ワイパ組立体１１６のアダプタの第１２の実施形態が図３６Ａ〜図３８に示される。以下の説明では、第１の実施形態の構造および構成要素と同じであるかまたは第１の実施形態の構造および構成要素に対応する第１２の実施形態の構造および構成要素は１２０００を加算される等しい参照符号を有する。
【００９９】
[00213]図３６Ａ〜図３８に描かれるアダプタ１２１２４の第１２の実施形態は、上述のアダプタ３１２４の第３の実施形態と同様である（図３６Ａを図２９と比較されたい）。したがって、明瞭さおよび一貫性のために、アダプタ１２１２４の第１２の実施形態とアダプタ３１２４の第３の実施形態との間の具体的な差異のみを以下で説明し、これらの実施形態の間で共通の特定の構造的特徴および構成要素のみを本明細書で考察し、アダプタ１２１２４の第１２の実施形態の図面に描く。以下で特に明記しない限り、上記のアダプタ３１２４の第３の実施形態の説明は、限定されることなく、アダプタ１２１２４の第１２の実施形態に関連する参照にも組み込まれ得ることが理解されよう。
【０１００】
[00214]図３６Ａ〜図３６Ｂに示されるように、アダプタ１２１２４の第１２の実施形態は、同様に、ボディ１２１５８の第２の端部１２１６２にあるスロット１２１６６、および歯１２１７０を備える弾性フィンガ１２１６８を有する。しかし、この第１２の実施形態では、アダプタ１２１２４がボディ１２１５８の第１の端部１２１６０に隣接するところにある概して１２２４４で示されるシェルフを採用する。シェルフ１２２４４が概略長方形のプロフィールを有し、垂直方向の上方へかつヘッド１２１８６から長手方向に離れるようにボディ１２１５８の第２の端部１２１６２に向かって延在する。ここでは、シェルフ１２２４４がヘッド１２１８６に結合され、ヘッド１２１８６から離れる方を向くシェルフ上側表面１２２４６を有する。図３６Ｂに示されるように、シェルフ１２２４４は、ターミナル端部１４０に隣接するところで取り付け部材１３８の上壁１４２の一部分に当接するように構成されるシェルフ当接面１２２４８をさらに有する。シェルフ当接面１２２４８がシェルフ上側表面１２２４６から垂直方向の下方に離間されてそこから離れる方を向く。ここでは、シェルフ１２２４４は、アダプタ１２１２４のボディ１２１５８の第１の端部１２１６０での取り付け部材１３８の保持を実現するのに十分に第２の端部１２１６２に向かってデッキ１２１７４上を長手方向に延在する。シェルフ１２２４４は、取り付け中にシェルフ１２２４４の下で取り付け部材１３８のターミナル端部１４０を案内するように構成される概して１２２５０で示されるシェルフ湾曲表面で長手方向において終端する。シェルフ湾曲表面１２２５０がシェルフ当接面１２２４８をシェルフ上側表面１２２４６に結合する。
【０１０１】
[00215]図３６Ｂに最も良好に示されるように、シェルフ１２２４４は横方向にも延在し、デッキ１２１７４の上方でアダプタ１２１２４の側壁１２１７６の間に配置される。しかし、本発明の範囲から逸脱することなく、シェルフ１２２４４は、ターミナル端部１４０に隣接するところで取り付け部材１３８の上壁１４２に当接することにより第１の端部１２１６０での取り付け部材１３８の保持を実現するのに十分である任意適切な手法で配置、成形、または他の形で構成されてもよいことが当業者には認識されよう。ここでもやはり、シェルフ１２２４４は、組み立て中に取り付け部材１３８のターミナル端部１４０をアダプタ１２１２４の中まで案内するためにスロット１２１６６と協働するように構成され、これは、使用時に歯面１２２０８がアパーチャ面２１０に当接するときにアダプタ１２１２４と取り付け部材１３８との間での長手方向の保持を実現することを目的として、弾性フィンガ１２１６８の歯１２１７０が取り付け部材１３８のアパーチャ１５６に係合されることによる。
【０１０２】
[00216]上述したように、ワイパ組立体１１６のアダプタの第１３の実施形態が図３９Ａ〜図４１に示される。以下の説明では、第１の実施形態の構造および構成要素と同じであるかまたは第１の実施形態の構造および構成要素に対応する第１３の実施形態の構造および構成要素は１３０００を加算される等しい参照符号を有する。
【０１０３】
[00217]図３９Ａ〜図４１に描かれるアダプタ１３１２４の第１３の実施形態は上述のアダプタ３１２４の第３の実施形態と同様である（図３９Ａを図２９と比較されたい）。したがって、明瞭さおよび一貫性のために、アダプタ１３１２４の第１３の実施形態とアダプタ３１２４の第３の実施形態との間の具体的な差異のみを以下で説明し、これらの実施形態の間で共通の特定の構造的特徴および構成要素のみを本明細書で考察し、アダプタ１３１２４の第１３の実施形態の図面に描く。以下で特に明記しない限り、上記のアダプタ３１２４の第３の実施形態の説明は、限定されることなく、アダプタ１３１２４の第１３の実施形態に関連する参照にも組み込まれ得ることが認識されよう。
【０１０４】
[00218]図３９Ａ〜図３９Ｂに示されるように、アダプタ１３１２４の第１３の実施形態は、同様に、ボディ１３１５８の第１の端部１３１６０でヘッド１３１８６によって画定されるブレース１３１７２および停止部１３１６４の両方、ならびにボディ１３１５８の第２の端部１３１６２にあるスロット１３１６６、および歯１３１７０を備える弾性フィンガ１３１６８を有する。しかし、この第１３の実施形態では、アダプタ１３１２４は、長手方向においてボディ１３１５８の第１の端部１３１６０からボディ１３１５８の第２の端部１３１６２に向かってブレース１３１７２の各々で延長される概して１３２５２で示されるブレース壁をさらに有する。ブレース壁１３２５２がそれぞれの側壁１３１７６の各々から横方向の外側に離間され、さらに、それぞれのブレース１３１７２から垂直方向の下方へ垂下する（図３９Ｂを参照）。ブレース壁１３２５２がそれぞれのブレース１３１７２さらにはヘッド１３１８６に結合される。具体的には、ブレース壁１３２５２がブレース１３１７２の上側ブレース表面１３２１４に結合される（図３９Ｂを参照）。
【０１０５】
[00219]ブレース壁１３２５２の各々は、ターミナル端部１４０に隣接するところでおよび切り欠き部１４８の下方で取り付け部材１３８のそれぞれの側壁１４４の一部分に当接するように構成される壁当接面１３２５４を有する。壁当接面１３２５４は、それぞれの側壁１３１７６の方の横方向内側を向く。図３９Ｂに最も良好に示されるように、ヘッド１３１８６によって画定される側方停止部１３１６４Ｂは、ブレース１３１７２およびブレース壁１３２５２に隣接して垂直方向においてその上方に配置される。図３９Ｂおよび図４１に示されるように、ブレース壁１３２５２の壁当接面１３２５４およびブレース１３１７２の下側ブレース表面１３２１４が互いに垂直に配置される。ここでは、壁当接面１３２５４、下側ブレース表面１３２１６、および側壁１３１７６は、取り付け部材１３８のターミナル端部１４０で切り欠き部１４８の下方で側壁１４４の各々の一部分を収容するためのポケット１３２５６を画定するように協働する。ここでは、ポケット１３２５６が下向きに開いている「Ｕ」形のプロフィールを有する。しかし、ポケット１３２５６は、使用時の取り付け部材１３８の保持を促進することを目的として、ポケット１３２５６は、アダプタのボディ１３１５８の第１の端部１３１６０に隣接するところで取り付け部材１３８に係合されるのに十分である任意適切な形状または構成を有してよいことが当業者には認識されよう。さらに、アダプタ１３１２４は、取り付け部材１３８の側壁１４４の底部に当接するための追加の構造（図示せず）を採用してよいことが認識されよう。
【０１０６】
[00220]ブレース壁１３２５２は、組み立て中に取り付け部材１３８のターミナル端部１４０をアダプタ１３１２４の中まで案内するためにスロット１３１６６と協働するように構成され、これは、使用時に歯面１３２０８がアパーチャ面２１０に当接するときにアダプタ１３１２４と取り付け部材１３８との間での長手方向の保持を実現することを目的として、弾性フィンガ１３１６８の歯１３１７０が取り付け部材１３８のアパーチャ１５６に係合されることによることが認識されよう。さらに、アダプタ１４１２４の第１４の実施形態のいかなる部分も取り付け部材１３８の切り欠き部１４８の上側切り欠き縁部１５０に係合されないことが認識されよう。
【０１０７】
[00221]上述したように、ワイパ組立体１１６のアダプタの第１４の実施形態が図４２Ａ〜図４４に示されている。以下の説明では、第１の実施形態の構造および構成要素と同じであるかまたは第１の実施形態の構造および構成要素に対応する第１４の実施形態の構造および構成要素は１４０００を加算される等しい参照符号を有する。
【０１０８】
[00222]図４２Ａ〜図４４に描かれるアダプタ１４１２４の第１４の実施形態は上述のアダプタ３１２４の第３の実施形態と同様である（図４２Ａを図２９と比較されたい）。したがって、明瞭さおよび一貫性のために、アダプタ１４１２４の第１４の実施形態とアダプタ３１２４の第３の実施形態との間の具体的な差異のみを以下で説明し、これらの実施形態の間で共通の特定の構造的特徴および構成要素のみを本明細書で考察し、アダプタ１４１２４の第１４の実施形態の図面に描く。以下で特に明記しない限り、上記のアダプタ３１２４の第３の実施形態の説明は、限定されることなく、アダプタ１４１２４の第１４の実施形態に関連する参照にも組み込まれ得ることが認識されよう。
【０１０９】
[00223]図４２Ａ〜図４２Ｂに示されるように、アダプタ１４１２４の第１４の実施形態は、同様に、ボディ１４１５８の第１の端部１４１６０にあるブレース１４１７２、ならびにボディ１４１５８の第２の端部１４１６２にあるスロット１４１６６、および歯１４１７０を備える弾性フィンガ１４１６８を有する。この第１４の実施形態では、アダプタ１４１２４のボディ１４１５８が第１の端部１４１６０と第２の端部１４１６０との間により滑らかな円形プロフィールを有し、それにより、アダプタ３１２４の第３の実施形態などに関連して上述したヘッドなどのようなものが一切排除される（図４２Ａを図２９と比較されたい）。むしろ、アダプタ１４１２４のこの第１４の実施形態では、スロット１４１６６のフロア１４１９６は、取り付け部材のそれぞれの突出部１４６に対してフロア１４１９６が当接するときにボディ１４１５８の第１の端部１４１６０に向かう取り付け部材１３８の長手方向の移動を制限するように構成される。加えて、フロア１４１９６は、固定されるアダプタ１４１２４と取り付け部材１３８との間での長手方向の移動を防止するように弾性フィンガ１４１６８と協働するように構成される。ここでもやはり、弾性フィンガ１４１６８の歯１４１７０は、使用時にアパーチャ面２１０に対して歯面１４２０８が当接するときにアダプタ１４１２４と取り付け部材１３８との間での長手方向の保持を実現するために取り付け部材１３８のアパーチャ１５６に係合される。
【０１１０】
[00224]図４４に最も良好に示されるように、アダプタ１４１２４のこの第１４の実施形態では、スロット１４１６６のフロア１４１９６および弾性フィンガ１４１６８の歯１４１７０の歯面１４２０８の両方は、第１の端部１４１６０に対してよりも第２の端部１４１６２に対してより接近するようにボディ１４１５８上に配置され、互いに対して離間されて長手方向において保持されるように配置される。この構成が使用時の長手方向における十分な保持を促進することが認識されよう。ここでは、アダプタ１４１２４のデッキ１４１７４が第１の端部１４１６０と第２の端部１４１６２との間で取り付け部材１３８の上壁１４２に当接することにより、垂直方向の保持が可能となる。加えて、突出部１４６がスロット１４１６６内で係合されることさらにはブレース１４１７２が切り欠き部１４８内で係合されることによっても、垂直方向の保持が可能となる。さらに、ブレース１４１７２は、ボディ１４１５８の第１の端部１４１６０に隣接するところでの追加的な長手方向の保持にも寄与し、これは、ブレース１４１７２の湾曲ブレース表面１４２１８が取り付け部材１３８のそれぞれの切り欠き部１４８の湾曲切り欠き縁部１５４に当接することによる（図４４を参照）。ここでもやはり、アダプタ１４１２４の第１４の実施形態のいかなる部分も、取り付け部材１３８の切り欠き部１４８の上側切り欠き縁部１５０に係合されないことが認識されよう。
【０１１１】
[00225]上述したように、ワイパ組立体１１６のアダプタの第１５の実施形態が図４５Ａ〜図５２に示される。以下の説明では、第１の実施形態の構造および構成要素と同じであるかまたは第１の実施形態の構造および構成要素に対応する第１５の実施形態の構造および構成要素は１５０００を加算される等しい参照符号を有する。
【０１１２】
[00226]図４５Ａ〜図４７に最も良好に示されるように、アダプタ１５１２４の第１５の実施形態は、同様に、第１の端部１５１６０と第２の端部１５１６２との間を延在するボディ１５１５８を有する。加えて、第１５の実施形態のアダプタ１５１２４は、後でより詳細に説明するように、第１の端部１５１６０に隣接するところでボディ１５１５８に枢動可能に取り付けられる概して１５２５８で示されるキャップをさらに有する。
【０１１３】
[00227]この第１５の実施形態では、アダプタ１５１２４のボディ１５１５８は、第１の端部１５１６０に隣接して形成され、キャップ１５２５８の保持構成物１５２６２を受けるように構成される概して１５２６０で示される保持ソケットを有し、それによりボディ１５１５８を基準としたキャップ１５２５８の枢動を選択的に制限する。取り付け部材１３８の上壁１４２内に形成されるアパーチャ１５６内に係合されるための突起部１５２６４が提供され、この突起部１５２６４は、第２の端部１５１６２に隣接するところでボディ１５１５８から垂直方向に延在する。ボディ１５１５８は、取り付け部材１３８の突出部１４６を受けるために第２の端部１５１６２に隣接して形成される概して１５２６６で示される一対の垂直方向スロットをさらに有する。キャップ１５２５８の、ならびに保持ソケット１５２６０、保持構成物１５２６２、突起部１５２６４、および垂直方向スロット１５２６６を含めた第１５の実施形態のアダプタ１５１２４のボディ１５１５８の種々の構成要素および構造的特徴は、各々、以下でさらに詳細に説明される。
【０１１４】
[00228]図４５Ｂに最も良好に示されるように、アダプタ１５１２４のボディ１５１５８は、第１の端部１５１６０と第２の端部１５１６２との間を延在するデッキ１５１７４をさらに有し、ここでは反対側の側壁１５１７６がデッキ１５１７４から垂下し、側壁１５１７６の各々が内側表面１５１７８および外側表面１５１８０を有する。側壁１５１７６の各々がデッキ１５１７４から実質的に垂直に延在し、その結果、側壁１５１７６の内側表面１５１７８および外側表面１５１８０が互いに実質的に平行になる。しかし、上の実施形態に関連して上述したように、本発明の範囲から逸脱することなく、側壁１５１７６が異なる形で構成されてもよいことが当業者には認識されよう。
【０１１５】
[00229]ここでの第１５の実施形態でもやはり、アダプタ１５１２４のボディ１５１５８は、第１の端部１５１６０に隣接してボディ１５１５８上に形成される内側を向くトラニオン１５１８２を採用する。トラニオン１５１８２が側壁１５１７６のそれぞれの内側表面１５１７８から互いの方に向かって延在し、カプラ１２２のサドル１３４内に形成される凹部１３６内に配置されるように構成され、それにより動作中のカプラ１２２を基準としたアダプタ１５１２４のボディ１５１５８の枢動を可能にする。しかし、上の実施形態に関連して上述したように、本発明の範囲から逸脱することなく、トラニオン１５１８２は、カプラ１２２を基準としたアダプタ１５１２４のボディ１５１５８の枢動を可能にするのに十分である任意適切な手法で構成され得るかまたは別の形で配置され得るか、あるいはアダプタ１５１２４およびカプラ１２２が枢動を可能にするために異なる構成の構造的特徴および／または構成要素を採用することでトラニオン１５１８２が省略されてもよいことが当業者には認識されよう。
【０１１６】
[00230]次に図４６を参照すると、アダプタ１５１２４の第１５の実施形態の分解図が示されており、ここではキャップ１５２５８がボディ１５１５８から取り外されている。上述したように、キャップ１５２５８がボディ１５１５８を基準として枢動するように構成される。この目的のために、後でより詳細に説明するように、ボディ１５１５８は、取り付け部材１３８に対してアダプタ１５１２４が固定されているときにボディ１５１５８を基準としてキャップ１５２５８が枢動することができるようにするためにキャップ１５２５８の対応するボス１５２７０を受けるように構成される、側壁１５１７６内に形成される反対側の孔１５２６８を有する。本発明の範囲から逸脱することなく、孔１５２６８および／またはボス１５２７０がアダプタ１５１２４のボディ１５１５８を基準としたアダプタ１５１２４のキャップ１５２５８の枢動を可能にするのに十分である任意適切な手法で構成され得るかまたは別の形で配置され得るか、あるいはそれらの間での選択的な相対的枢動を可能にするために異なる構成の構造的特徴および／または構成要素が採用されてもよいことが当業者には認識されよう。
【０１１７】
[00231]上述したように、アダプタ１５１２４の第１５の実施形態では、ボディ１５１５８の突起部１５２６４が取り付け部材１３８のアパーチャ１５６内に係合され、第２の端部１５１６２に隣接するところでの長手方向の保持を可能にする。突起部１５２６４は、有利には、ボディ１５１５８の剛体の一体構成要素として形成され、第１の端部１５１６０よりも第２の端部１５１６２に接近するように配置される。突起部１５２６４がデッキ１５１７４から垂直方向に延在して突起部面１５２７２を画定し、この突起部面１５２７２が第１の端部１５１６０の方を向き、取り付け部材１３８に対してアダプタ１５１２４が固定されるときに取り付け部材１３８のアパーチャ１５６のアパーチャ面２１０に当接するように構成される（図５０および図５２を参照）。図４５Ａ〜図４５Ｂに最も良好に示されるように、突起部１５２６４は、取り付け部材１３８のアパーチャ１５６のプロフィールに対して相補的である概して丸みのある長方形のプロフィールを有する。しかし、本発明の範囲から逸脱することなく、突起部１５２６４は、取り付け部材とアダプタ１５１２４のボディ１５１５８との間の長手方向の移動を制限することを目的として取り付け部材１３８のアパーチャ１５６内に配置されるのに十分である任意適切な形状、プロフィール、または構成を有してよいことが当業者には認識されよう。
【０１１８】
[00232]上述したように、アダプタ１５１２４の第１５の実施形態は、取り付け部材１３８の突出部１４６を収容するのに垂直方向スロット１５２６６を採用する。この目的のために、垂直方向スロット１５２６６が第２の端部１５１６２に隣接してそれぞれの側壁１５１７６内に形成され、デッキ１５１７１４から、側壁１５１７６の各々の中に画定される概して１５２７６で示される垂直方向フロアまで垂直方向下向きに延在する概して１５２７４で示される垂直方向チャンネルを各々が有する。図５０および図５２に示されるように、垂直方向フロア１５２７６は、取り付け部材１３８に対してアダプタ１５１２４が固定されているときに取り付け部材１３８の突出部１４６に当接するように構成され、それによりアダプタ１５１２４のボディ１５１５８の第２の端部１５１６２での垂直方向の保持に寄与する。
【０１１９】
[00233]次に図４７および図５２を参照すると、上述したように、アダプタ１５１２４の第１５の実施形態のボディ１５１５８は、ボディ１５１５８を基準としたキャップ１５２５８の枢動を選択的に制限することを目的としてキャップ１５２５８の保持構成物１５２６２を受けるのに、第１の端部１５１６０に隣接する保持ソケット１５２６０を採用する。ここでは、保持ソケット１５２６０が第１の端部１５１６０に隣接してデッキ１５１７４内に形成される長方形アパーチャによって画定され、ここでは、後でより詳細に説明されるように、保持面１５２７８が保持構成物１５２６２に係合されるように構成される。以下での保持構成物１５２６２の下記の説明から認識されるように、本発明の範囲から逸脱することなく、保持ソケット１５２６０および／または保持面１５２７８は、ボディ１５１５８を基準としたキャップ１５２５８の回転を選択的に制限するために保持構成物１５２６２と協働するのに十分である任適切な形状または構成を有してよい。
【０１２０】
[00234]次に図４６、図４７、および図５０を参照すると、上述したように、アダプタ１５１２４の第１５の実施形態のキャップ１５２５８は、保持ソケット１５２６０に対して保持構成物１５２６２が係合されるときにアダプタ１５１２４を取り付け部材１３８に固定するためにボディ１５１５８を基準として選択的に枢動させられ得る。ここでは、キャップ１５２５８は、概略長方形の頂壁１５２８０と、頂壁１５２８０から垂直方向下向きに垂下する一対の概略長方形の縁部壁１５２８２とを有し、縁部壁１５２８２がそれらの間で取り付け部材１３８の側壁１４４を収容するために横方向において互いから離間される。図４７に最も良好に示されるように、保持構成物１５２６２がキャップ１５２５８の頂壁１５２８０から垂下する。より具体的には、保持構成物１５２６２は、頂壁１５２８０に動作可能に取り付けられて球状部１５２８６まで垂直方向下向きに延在する弾性的に可撓性の構成物ボディ１５２８４を有し、球状部１５２８６がさらに、ボディ１５１５８を基準としたキャップ１５２５８の回転を防止するために保持ソケット１５２６０の保持面１５２７８に係合されるように構成される構成物面１５２８８を画定する。図５０に示されるように、構成物ボディ１５２８４は、突起部面１５２７２に対して構成物面１５２８８が当接するときに保持ソケット１５２６０内で収容されるように成形される概略長方形のプロフィールを有する。球状部１５２８６は、ボディ１５１５８の第２の端部１５１６２に向かって保持構成物１５２６２を撓ませるように構成される円形プロフィールを有し、これは、球状部１５２８６が保持ソケット１５２６０に隣接するところでデッキ１５１７４の一部分に係合されることによる（図５０を参照されたい；明瞭さのために特定の参照符号が省略される）。構成物面１５２８８が構成物ボディ１５２８４に対して垂直に配置され、キャップ１５２８５の頂壁１５２８０に平行である。本発明の範囲から逸脱することなく、保持構成物１５２６２および／または保持ソケット１５２６０は、ボディ１５１５８を基準としたキャップ１５２５８の回転を選択的に防止するのに十分である任適切な手法で、またそうするのに十分である任意適切な構造を用いて、配置、構成、または成形されてよいことが当業者には認識されよう。
【０１２１】
[00235]図４６および図５２に示されるように、アダプタ１５１２４のキャップ１５２５８は、各々の縁部壁１５２８２上に形成される概して１５２９０で示されるスペーサをさらに有する。スペーサ１５２９０が横方向内側の互いの方に延在し、取り付け部材１３８に対してアダプタ１５１２４が固定されているときに取り付け部材１３８のターミナル端部１４０に隣接して配置されるように構成される（図５２を参照）。スペーサ１５２９０が取り付け部材１３８のターミナル端部１４０から離間されて示されているが、スペーサ１５２９０は、取り付け部材１３８のターミナル端部１４０の一部分に当接するように固定されるときにボディ１５１５８の第２の端部１５１６２に向かって長手方向に延在するように構成されてよいことが認識されよう。図４６に示されるように、ボス１５２７０がそれぞれのスペーサ１５２９０から互いの方に横方向内側に延在する。上述したように、縁部壁１５２８２は、取り付け部材１３８の側壁１４４をそれらの間で収容するために横方向において互いから離間される。同様に、スペーサ１５２９０は、ボディ１５１５８の側壁１５１７６をそれらの間で収容するために横方向において互いから離間される。
【０１２２】
[00236]次に図４８Ａ〜図４８Ｃを参照すると、アダプタ１５１２４の第１５の実施形態を取り付け部材１３８に固定するための特定の組み立てステップが順番に示されている。ここでは、既に導入されている特定の参照符号を例示のために以下で引用するが、これらは図２６Ａ〜図２６Ｃでは明瞭さのために省略される。ワイパアーム１１４との適切な接続を実現するために、ワイパ組立体１１６のアダプタ１５１２４の第１５の実施形態は、アダプタ１５１２４のボディ１５１５８の上方で垂直方向において取り付け部材１３８を離間させ、キャップ１５２５８を回転させて頂壁１５２８０をボディ１５１５８の第２の端部１５１６２から離れる方向に長手方向に移動させて縁部壁１５２８２の間で取り付け部材１３８のターミナル端部１４０を収容するように、配置される（図４８Ａを参照）。次いで、取り付け部材１３８がアダプタ１５１２４のボディ１５１５８に係合され、それにより取り付け部材１３８および／またはアダプタ１５１２４が互いの方に向かって垂直方向に移動させられ、その結果、取り付け部材１３８の突出部１４６は、ボディ１５１５８の側壁１５１７６内に形成される垂直方向スロット１５２６６の垂直方向チャンネル１５２７４の中に入る。取り付け部材１３８の突出部１４６が垂直方向フロア１５２７６に当接するようになるまで垂直方向スロット１５２６６に沿って移動し、垂直方向フロア１５２７６がさらに、ボディ１５１５８の突起部１５２６４を取り付け部材１３８のアパーチャ１５６の中まで案内する（図４８Ｂを参照されたい；さらに、図５０および図５２を参照されたい）。次いで、アダプタ１５１２４のキャップ１５２５８がボディ１５１５８の第２の端部１５１６２に向かって回転させられ、その結果、保持構成物１５２６２が保持ソケット１５２６０の中へ撓ませられる。キャップ１５２５８がボディ１５１５８の第２の端部１５１６２に向かってさらに回転させられると、キャップ１５２５８の頂壁１５２８０がボディ１５１５８のデッキ１５１７４に当接し、保持構成物１５２６２がボディ１５１５８の第２の端部１５１６２から離れる方向に弾性的に戻り、その結果、保持構成物１５２６２の構成物ボディ１５２８４が保持ソケット１５２６０内に配置され、保持構成物１５２６２の構成物面１５２８８が保持ソケット１５２６０の保持面１５２７８に当接し、それによりボディ１５１５８を基準としたキャップ１５２５８のその後の回転を防止し、また同時にアダプタ１５１２４を取り付け部材１３８に固定する（図４８Ｃを参照）。ここでは、キャップ１５２５８とボディ１５１５８との間の協働が、取り付け部材１３８の上壁１４２および側壁１４４との係合を介して、第１の端部１５１６０に隣接するところでの垂直方向および横方向の保持を可能にする。加えて、ボディ１５１５８の突起部１５２６４および垂直方向スロット１５２６６は、取り付け部材１３８のアパーチャ１５６および突出部１４６のそれぞれとの係合を介して、第２の端部１５１６２に隣接するところでの、長手方向、横方向、および垂直方向の保持を可能にする（図５０および図５２を参照）。ここでもやはり、アダプタ１５１２４のボディ１５１５８またはキャップ１５２５８のい��なる部分も、取り付け部材１３８の切り欠き部１４８の上側切り欠き縁部１５０に係合されたりまたは他の形で当接したりしないことが認識されよう。
【０１２３】
[00237]上述したように、ワイパ組立体１１６のアダプタの第１６の実施形態が図５３Ａ〜図６０に示される。以下の説明では、第１の実施形態の構造および構成要素と同じであるかまたは第１の実施形態の構造および構成要素に対応する第１６の実施形態の構造および構成要素は１６０００を加算される等しい参照符号を有する。
【０１２４】
[00238]図５３Ａ〜図６０に描かれるアダプタ１６１２４の第１６の実施形態は上述のアダプタ１５１２４の第１５の実施形態と同様である（図５３Ａ〜図５５を図４５Ａ〜図４７と比較されたい）。したがって、明瞭さおよび一貫性のために、アダプタ１６１２４の第１６の実施形態とアダプタ１５１２４の第１５の実施形態との間の具体的な差異のみを以下で説明し、これらの実施形態の間で共通の特定の構造的特徴および構成要素のみを本明細書で考察し、アダプタ１６１２４の第１６の実施形態の図面に描く。以下で特に明記しない限り、上記のアダプタ１５１２４の第１５の実施形態の説明は、限定されることなく、アダプタ１６１２４の第１６の実施形態に関連する参照にも組み込まれ得ることが認識されよう。
【０１２５】
[00239]図５３Ａ〜図５５に最も良好に示されるように、アダプタ１６１２４の第１６の実施形態は、同様に、第１の端部１６１６０でキャップ１６２５８をボディ１６１５８に枢動可能に設置するような、および第２の端部１６１６２に隣接するところでボディ１６１５８内に垂直方向スロット１６２６６を形成するような構成を採用する。ここでもやはり、キャップ１６２５８は、頂壁１６２８０から垂直方向下向きに垂下する保持構成物１６２６２を有し、保持構成物１６２６２がボディ１６１５８内に形成される保持ソケット１６２６０と協働し、それによりボディ１６１５８を基準としたキャップ１６２５８の枢動を選択的に制限する。しかし、アダプタ１６１２４の第１６の実施形態では、保持ソケット１６２６０は、アダプタ１５１２４の第１５の実施形態に関連して上述したようにボディ１５１５８の第１の端部１５１６０にではなく、ボディ１６１５８の第２の端部１６１６２に隣接して形成される（図５４〜図５５を図４６〜図４７と比較されたい）。
【０１２６】
[00240]図５５に最も良好に示されるように、保持ソケット１６２６０が概略長方形のプロフィールを有し、デッキ１６１７４を通るように垂直方向に形成され、横方向において側壁１６１７６と垂直方向スロット１６２６６との間に配置される。この第１６の実施形態では、保持ソケット１６２６０が概して１６２９２で示されるソケット面を画定し、このソケット面は、後でより詳細に説明するように、取り付け部材１３８に対してアダプタ１６１２４が固定されているときに取り付け部材１３８のアパーチャ１５６のアパーチャ面２１０に長手方向において位置合わせされるように構成される（図５８および図６０を参照）。この目的のために、この第１６の実施形態では、キャップ１６２５８の保持構成物１５２６２は、取り付け部材１３８に対してアダプタ１６１２４が固定されているときに、ボディ１６１５８内に形成される保持ソケット１６２６０と、取り付け部材１３８のアパーチャ１５６との両方を通るように構成物ボディ１５２８４を延在させるように、構成される。ここでは、図５８および図６０に示されるように、構成物面１６２８８が取り付け部材１３８の上壁１４２の下側に係合され、構成物ボディ１６２８４がボディ１６１５８のソケット１６２６０のソケット面１６２９２と、取り付け部材１３８のアパーチャ１５６のアパーチャ面２１０との両方に当接する（図５８を参照されたい；明瞭さのために特定の参照符号が省略される）。
【０１２７】
[00241]次に図５６Ａ〜図５６Ｃを参照すると、アダプタ１６１２４の第１６の実施形態を取り付け部材１３８に固定するための特定の組み立てステップが順番に示されている。ここでは、既に導入されている特定の参照符号を例示のために以下で引用するが、これらは図５６Ａ〜図５６Ｃでは明瞭さのために省略される。ワイパアーム１１４との適切な接続を実現するために、ワイパ組立体１１６のアダプタ１６１２４の第１６の実施形態は、アダプタ１６１２４のボディ１６１５８の上方で垂直方向において取り付け部材１３８を離間させ、キャップ１６２５８を回転させて頂壁１６２８０をボディ１６１５８の第２の端部１６１６２から離れる方向に長手方向に移動させてキャップ１６２５８の縁部壁１６２８２の間で取り付け部材１３８のターミナル端部１４０を収容するように、配置される（図５６Ａを参照）。次いで、取り付け部材１３８がアダプタ１６１２４のボディ１６１５８に係合され、それにより取り付け部材１３８および／またはアダプタ１６１２４が互いの方に向かって垂直方向に移動させられ、その結果、取り付け部材１３８の突出部１４６は、ボディ１６１５８の側壁１６１７６内に形成される垂直方向スロット１６２６６の垂直方向チャンネル１６２７４の中に入る。取り付け部材１３８の突出部１４６が垂直方向フロア１６２７６に当接するようになるまで垂直方向スロット１６２６６に沿って移動し、垂直方向フロア１６２７６がさらに、ボディ１６１５８の保持ソケット１６２６０を取り付け部材１３８のアパーチャ１５６に位置合わせする（図５６Ｂを参照されたい；さらに、図５８および図６０を参照されたい）。次いで、アダプタ１６１２４のキャップ１６２５８がボディ１６１５８の第２の端部１６１６２に向かって回転させられ、その結果、保持構成物１６２６２が保持ソケット１６２６０の中へ、および取り付け部材１３８のアパーチャ１５６の中へ撓ませられる。キャップ１６２５８がボディ１６１５８の第２の端部１６１６２に向かってさらに回転させられると、キャップ１６２５８の頂壁１６２８０がボディ１６１５８のデッキ１６１７４に当接し、保持構成物１６２６２がボディ１６１５８の第２の端部１６１６２から離れる方向に弾性的に戻り、その結果、保持構成物１６２６２の構成物ボディ１６２８４は、ボディ１６１５８の保持ソケット１６２６０と、取り付け部材１３８のアパーチャ１５６との両方の中に配置され、保持構成物１６２６２の構成物面１６２８８が取り付け部材１３８の上壁１４２の下側に当接し、それによりボディ１６１５８を基準としたキャップ１６２５８のその後の回転を防止し、また同時にそれによりアダプタ１６１２４を取り付け部材１３８に固定する（図５６Ｃを参照）。ここでは、キャップ１６２５８とボディ１６１５８との間の協働が、取り付け部材１３８の上壁１４２および側壁１４４との係合を介して、第１の端部１６１６０に隣接するところでの垂直方向および横方向の保持を可能にする。加えて、ボディ１６１５８の両方の垂直方向スロット１６２６６、さらには保持構成物１６２６２と保持ソケット１６２６０との間の協働が、取り付け部材１３８の突出部１４６およびアパーチャ１６６のそれぞれとの係合を介して、��２の端部１６１６２に隣接するところでの、長手方向、横方向、および垂直方向の保持を可能にする（図５８および図６０を参照）。ボディ１６１５８の保持ソケット１６１６０のソケット面１６２９２および取り付け部材１３８のアパーチャ１５６のアパーチャ面２１０に対してキャップ１６２５８の保持構成物１６２６２の構成物ボディ１６２８４が当接することが、第２の端部１６１６２に隣接するところでの長手方向の保持に大きく寄与することが認識されよう。ここでもやはり、アダプタ１６１２４のボディ１６１５８またはキャップ１６２５８のいかなる部分も、取り付け部材１３８の切り欠き部１４８の上側切り欠き縁部１５０に係合されたりまたは他の形で当接したりしないことが認識されよう。
【０１２８】
[00242]上述したように、ワイパ組立体１１６のアダプタの第１７の実施形態が図６１Ａ〜図６５に示される。以下の説明では、第１の実施形態の構造および構成要素と同じであるかまたは第１の実施形態の構造および構成要素に対応する第１７の実施形態の構造および構成要素は１７０００を加算される等しい参照符号を有する。
【０１２９】
[00243]さらに、後で説明される下記のアダプタ１７１２４の第１７の実施形態の説明から認識されるように、アダプタ１５１２４の第１５の実施形態の特定の構造的特徴がアダプタ１７１２４の第１７の実施形態によっても同様に採用される。したがって、明瞭さおよび一貫性のために、第１５の実施形態の構造および構成要素と同じであるかまたは第１５の実施形態の構造および構成要素に対応する第１７の実施形態の特定の構造および構成要素は２０００を加算される参照符号を有する。
【０１３０】
[00244]図６１Ａ〜図６１Ｂに最も良好に示されるように、アダプタ１７１２４の第１７の実施形態のボディ１７１５８が同様に第１の端部１７１６０と第２の端部１７１６２との間を延在する。上述のアダプタ１５１２４の第１５の実施形態と同様に、アダプタ１７１２４の第１７の実施形態も、取り付け部材１３８の上壁１４２内に形成されるアパーチャ１５６内に係合されるための突起部１７２６４と、取り付け部材１３８の突出部１４６を受けるための、第２の端部１７１６２に隣接して形成される一対の垂直方向スロット１７２６６とを採用する（図６１Ａを図４５Ａと比較されたい）。さらに、この第１７の実施形態では、ボディ１７１５８は、後でより詳細に説明するように、第１の端部１７１６０に隣接して形成され、アダプタ１７１２４を取り付け部材１３８に固定することを目的として取り付け部材１３８のターミナル端部１４０の一部分を受けるように構成される、概して１７２９４で示されるリテーナをさらに有する。第１７の実施形態のアダプタ１７１２４の種々の構成要素および構造的特徴の各々を後でより詳細に説明する。
【０１３１】
[00245]図６１Ａ〜図６１Ｂに最も良好に示されるように、アダプタ１７１２４のボディ１７１５８は、第１の端部１７１６０と第２の端部１７１６２との間を延在するデッキ１７１７４をさらに有し、ここでは反対側の側壁１７１７６がデッキ１７１７４から垂下し、側壁１７１７６の各々が内側表面１７１７８および外側表面１７１８０を有する。側壁１７１７６の各々がデッキ１７１７４から実質的に垂直に延在し、その結果、側壁１７１７６の内側表面１７１７８および外側表面１７１８０が互いに実質的に平行になる。しかし、上の実施形態に関連して上述したように、本発明の範囲から逸脱することなく、側壁１７１７６が異なる形で構成されてもよいことが当業者には認識されよう。
【０１３２】
[00246]ここでの第１７の実施形態でもやはり、アダプタ１７１２４のボディ１７１５８は、第１の端部１７１６０に隣接してボディ１７１５８上に形成される内側を向くトラニオン１７１８２を採用する（図６１Ａおよび図６５を参照）。トラニオン１７１８２が側壁１７１７６のそれぞれの内側表面１７１７８から互いの方に向かって延在し、カプラ１２２のサドル１３４内に形成される凹部１３６内に配置されるように構成され、それにより動作中のカプラ１２２を基準としたアダプタ１７１２４のボディ１７１５８の枢動を可能にする。しかし、上の実施形態に関連して上述したように、本発明の範囲から逸脱することなく、トラニオン１７１８２は、カプラ１２２を基準としたアダプタ１７１２４のボディ１７１５８の枢動を可能にするのに十分である任意適切な手法で構成され得るかまたは別の形で配置され得るか、あるいはアダプタ１７１２４およびカプラ１２２が枢動を可能にするために異なる構成の構造的特徴および／または構成要素を採用することでトラニオン１７１８２が省略されてもよいことが当業者には認識されよう。
【０１３３】
[00247]上述したように、アダプタ１７１２４の第１７の実施形態では、突起部１７２６４が取り付け部材１３８のアパーチャ１５６内に係合され、第２の端部１７１６２に隣接するところでの長手方向の保持を可能にする。突起部１７２６４は、有利には、ボディ１７１５８の剛体の一体構成要素として形成され、第１の端部１７１６０よりも第２の端部１７１６２に接近するように配置される。突起部１７２６４がデッキ１７１７４から垂直方向に延在して突起部面１７２７２を画定し、この突起部面１７２７２が第１の端部１７１６０の方を向き、取り付け部材１３８に対してアダプタ１７１２４が固定されるときに取り付け部材１３８のアパーチャ１５６のアパーチャ面２１０に当接するように構成される（図６４を参照）。図６１Ａ〜図６１Ｂに最も良好に示されるように、突起部１７２６４は、取り付け部材１３８のアパーチャ１５６のプロフィールに対して相補的である概して丸みのある長方形のプロフィールを有する。しかし、本発明の範囲から逸脱することなく、突起部１７２６４は、取り付け部材とアダプタ１７１２４のボディ１７１５８との間の長手方向の移動を制限することを目的として取り付け部材１３８のアパーチャ１５６内に配置されるのに十分である任意適切な形状、プロフィール、または構成を有してよいことが当業者には認識されよう。
【０１３４】
[00248]上述したように、アダプタ１７１２４の第１７の実施形態も、取り付け部材１３８の突出部１４６を収容するのに垂直方向スロット１７２６６を採用する。この目的のために、垂直方向スロット１７２６６が第２の端部１７１６２に隣接してそれぞれの側壁１７１７６内に形成され、デッキ１７１７４からそれぞれの垂直方向フロア１７２７６まで垂直方向下向きに延在する垂直方向チャンネル１７２７４を各々が有する。図６５に示されるように、垂直方向フロア１７２７６は、取り付け部材１３８に対してアダプタ１７１２４が固定されているときに取り付け部材１３８の突出部１４６に当接するように構成され、それによりアダプタ１７１２４のボディ１７１５８の第２の端部１７１６２での垂直方向の保持に寄与する。この第１７の実施形態では、アダプタ１７１２４は、それぞれの垂直方向フロア１７２７６の上方で垂直方向において離間される、垂直方向チャンネル１７２７４の各々の中に配置されるタブ１７２９６をさらに有する。タブ１７２９６が互いから離れるように横方向の外側に延在し（図６５を参照）、取り付け部材１３８に対してアダプタ１７１２４が固定されるときにボディ１７１５８の第２の端部１７１６２で垂直方向の保持を促進するように構成される。具体的には、タブ１７２９６は、取り付け部材１３８に対してアダプタ１７１２４が固定されているときに垂直方向フロア１７２７６から離れるような垂直方向チャンネル１７２７４内での取り付け部材１３８の突出部１４６の垂直方向の移動を妨害するように構成される。したがって、タブ１７２９６は、垂直方向チャンネル１７２７４に沿って垂直方向フロア１７２７６まで突出部１４６が移動するのを可能にするように、および垂直方向フロア１７２７６に対して突出部１４６が当接するときに垂直方向チャンネル１６２４７から出るように突出部１４６がその後で移動するのを阻止するように、構成される。この目的のために、タブ１７２９６は、取り付け部材１３８の突出部１４６に係合されることに反応して、垂直方向フロア１７２７６に対して突出部１４６が当接するようになるまでボディ１７１５８の側壁１７１７６を互いの方に横方向に付勢するように構成され得、側壁１７１７６が弾性的に戻って互いから離れるように横方向に移動する。しかし、本発明の範囲から逸脱することなく、タブ１７２９６は、ボディ１７１５８の第２の端部１７１６２に隣接するところでの垂直方向の保持を促進するのに十分である任意適切な手法で、成形されるか、サイズ決定されるか、離間されるか、配置構成されるか、または他の形で構成されてよいことが当業者には認識されよう。さらに、他の構造的特徴または構成要素により十分な垂直方向の保持が可能となるような特定の用途においてタブ１７２９６が省略されてもよいことが当業者には認識されよう。
【０１３５】
[00249]図６１Ａ〜図６１Ｂを再び参照すると、上述したように、リテーナ１７２９４が第１の端部１７１６０に隣接するところでボディ１７１５８上に形成され、取り付け部材１３８のターミナル端部１４０に固定するように構成される。この目的のために、後でより詳細に説明するように、概して１７２９８で示されるリビングヒンジがリテーナを側壁１７１７６に接続し、取り付け部材１３８に係合されることに反応してボディ１７１５８の第２の端部１７１６２を基準としてリテーナ１７２９４が弾性的に移動するのを可能にする。この実施形態では、リテーナ１７２９４は、横方向に延在するクロスブレース（ｃｒｏｓｓｂｒａｃｅ）１７３００と、クロスブレース１７３００から垂直方向下向きに垂下する一対のピラー１７３０２とを有し、リビングヒンジ１７２９８がピラー１７３０２の各々を側壁１７１７６のうちの１つに結合させる。リビングヒンジ１７２９８の各々は、後でより詳細に説明するように、リテーナ１７２９４の弾性的移動を促進するように構成される湾曲プロフィールを有する。ここでは、リビングヒンジ１７２９８は、ピラー１７３０２および側壁１７１７６に隣接して垂直方向においてリビングヒンジ１７２９８の上方にくるように配置される長手方向に延在する谷部１７３０４を画定する。本発明の範囲から逸脱することなく、リテーナ１７２９４および／またはリビングヒンジ１７２９８が多数の異なる手法で構成され得ることが当業者には認識されよう。非限定の例として、リテーナ１７２９４がクロスブレース１７３００から垂下する単一のピラーを採用することができ、ここでは、単一のリビングヒンジ１７２９８がピラーと側壁１７１７６との間を延在してそれらを結合させる（図示せず）。
【０１３６】
[00250]リテーナ１７２９４のクロスブレース１７３００は、概して１７３０６で示されるクロスブレースカム（ｃｒｏｓｓｂｒａｃｅ  ｃａｍ）と、クロスブレースカム１７３０６から垂直方向の下方に離間されるクロスブレース面１７３０８とを有する。クロスブレースカム１７３０６およびクロスブレース面１７３０８の各々は、ボディ１７１５８の第２の端部１７１６２に向かって谷部１７３０４の中へ長手方向に延在する。ここでは、クロスブレースカム１７３０６およびクロスブレース面１７３０８の複数の部分がリビングヒンジ１７２９８から垂直方向の上方に離間される（図６４を参照）。図６１Ａ〜図６１Ｂに最も良好に示されるように、クロスブレースカム１７３０６は、後でより詳細に説明されるように、組み立て中に取り付け部材１３８の上壁１４２に係合されるように構成される円形プロフィールを有する。しかし、本発明の範囲から逸脱することなく、クロスブレースカム１７３０６は、取り付け部材１３８を用いた着脱自在の取り付けを可能にするのに十分である任意適切なプロフィールを有してよいことが当業者には認識されよう。クロスブレース１７３００のクロスブレース面１７３０８がクロスブレースカム１７３０６から垂直方向の下方に離間され、デッキ１７１７４と実質的に平行になるように、さらにはピラー１７３０２に対して実質的に垂直になるように構成される。ここでは、後でより詳細に説明するように、クロスブレース面１７３０８がターミナル端部１４０に隣接するところで取り付け部材１３８の上壁１４２に当接するように構成され、それにより、ボディ１７１５８の第１の端部１７１６０に隣接するところの垂直方向の保持を促進する。本発明の範囲から逸脱することなく、クロスブレース面１７３０８がボディ１７１５８の第１の端部１７１６０に隣接するところで垂直方向の保持を促進するのに十分である任意適切な手法で構成される任意適切なプロフィールを有してよいことが当業者には認識されよう。
【０１３７】
[00251]次に図６２Ａ〜図６２Ｃを参照すると、アダプタ１７１２４の第１７の実施形態を取り付け部材１３８に固定するための特定の組み立てステップが順番に示されている。ここでは、既に導入されている特定の参照符号を例示のために以下で引用するが、これらは図６２Ａ〜図６２Ｃでは明瞭さのために省略される。ワイパアーム１１４との適切な接続を実現するために、ワイパ組立体１１６のアダプタ１７１２４の第１７の実施形態は、アダプタ１７１２４のボディ１７１５８の上方で垂直方向において取り付け部材１３８を離間させるように、配置される（図６２Ａを参照）。次いで、取り付け部材１３８がアダプタ１７１２４のボディ１７１５８に係合され、それにより取り付け部材１３８および／またはアダプタ１７１２４が互いの方に向かって垂直方向に移動させられ、その結果、取り付け部材１３８の突出部１４６は、ボディ１７１５８の側壁１７１７６内に形成される垂直方向スロット１７２６６の垂直方向チャンネル１７２７４の中に入る（図６２Ｂでは想像線で示される）。取り付け部材１３８の突出部１４６が垂直方向スロット１７２６６に沿って移動し、タブ１７２９６を通過し、後で考察するように、垂直方向フロア１７２７６に対して突出部１４６を当接させるまで側壁１７１７６を互いに向かって横方向の内側に撓ませる。突出部１４６が垂直方向スロット１７２６６に沿って移動するとき、リテーナ１７２９４がターミナル端部１４０に隣接するところで取り付け部材１３８の上壁１４２に係合され、このとき、垂直方向スロット１７２６６によって可能となる位置合わせによりさらに、ボディ１７１５８の突起部１７２６４を取り付け部材１３８のアパーチャ１５６の中まで案内するのを補助する（図６２Ｂを参照されたい；さらに、図６４および図６５も参照されたい）。リテーナ１７２９４のクロスブレース１７３００のクロスブレースカム１７３０６が取り付け部材１３８の上壁１４２に当接し、タブ１７２９６を突出部１４６が通過してそれぞれの垂直方向スロット１７２６６の垂直方向フロア１７２７６に当接するまで、リビングヒンジ１７２９８を介してボディ１７１５８の第２の端部１７１６２から離れるように撓ませられ、それにより、リテーナ１７２９４がその後で第２の端部１７１６２に向かって弾性的に戻り、クロスブレース面１７３０８が取り付け部材１３８の上壁１４２に係合される（図６２Ｂおよび図６２Ｃを比較されたい）。ここでは、リテーナ１７２９４が第１の端部１７１６０に隣接するところでの垂直方向および長手方向の保持を促進し、側壁１７１７６およびボディ１７１５８のデッキ１７１７４と協働して横方向の保持を可能にする。同様に、突起部１７２６４および垂直方向スロット１７２６６が協働して、取り付け部材１３８のアパーチャ１５６および突出部１４６のそれぞれとの係合を介して、第２の端部１７１６２に隣接するところでの、長手方向、横方向、および垂直方向の保持を可能にする。さらに、タブ１７２９６は、取り付け部材１３８の突出部１４６との係合を介して、第２の端部１７１６２に隣接するところでの垂直方向の保持をさらに促進するのを補助する。ここでもやはり、アダプタ１７１２４のいかなる部分も取り付け部��１３８の切り欠き部１４８の上側切り欠き縁部１５０に係合されたりまたは他の形で当接したりしないことが認識されよう。
【０１３８】
[00252]上述したように、ワイパ組立体１１６のアダプタの第１８の実施形態が図６６Ａ〜図７０に示される。以下の説明では、第１の実施形態の構造および構成要素と同じであるかまたは第１の実施形態の構造および構成要素に対応する第１８の実施形態の構造および構成要素は１８０００を加算される等しい参照符号を有する。
【０１３９】
[00253]図６６Ａ〜図７０に描かれるアダプタ１８１２４の第１８の実施形態は上述のアダプタ１７１２４の第１７の実施形態と同様である（図６６Ａ〜図６６Ｂを図６１Ａ〜図６１Ｂと比較されたい）。したがって、明瞭さおよび一貫性のために、アダプタ１８１２４の第１８の実施形態とアダプタ１７１２４の第１７の実施形態との間の具体的な差異のみを以下で説明し、これらの実施形態の間で共通の特定の構造的特徴および構成要素のみを本明細書で考察し、アダプタ１８１２４の第１８の実施形態の図面に描く。以下で特に明記しない限り、上記のアダプタ１７１２４の第１７の実施形態の説明は、限定されることなく、アダプタ１８１２４の第１８の実施形態に関連する参照にも組み込まれ得ることが認識されよう。
【０１４０】
[00254]図６６Ａ〜図６６Ｂに示されるように、アダプタ１８１２４の第１８の実施形態は、同様に、突出部１８２６４、垂直方向スロット１８２６６、およびタブ１８２９６を有し、これらは、アダプタ１８１２４のボディ１８１５８の第２の端部１８１６２に隣接するところでの取り付け部材１３８の保持を可能にするように協働する。ここでもやはり、突起部１８２６４がデッキ１８１７４から垂直方向に延在し、垂直方向スロット１８２６６が側壁１８１７６内に形成され、タブ１８２９６が垂直方向スロット１８２６６内に配置され、互いから離れるように横方向の外側に延在する。しかし、アダプタ１８１２４のこの第１８の実施形態では、ボディ１８１５８の第１の端部１８１６０に隣接するところでの保持が概して１８３１０で示される一対の側壁フックによって可能となり、後でより詳細に説明するように、一対の側壁フックが取り付け部材１３８に着脱自在に固定されるように構成される。
【０１４１】
[00255]側壁フック１８３１０が第１の端部１８１６０に隣接するところでアダプタ１８１２４のボディ１８１５８のそれぞれの側壁１８１７６内に形成される。図６６Ａ〜図６６Ｂに最も良好に示されるように、フック窓１８３１２が第１の端部１８１６０に隣接するところでデッキ１８１７４の下方で離間される側壁１８１７６の各々の中に形成され、ここでは、側壁フック１８１３０がデッキ１８１７４の方に向かってそれぞれのフック窓１８３１２の中を延在する（図６９も参照されたい）。ここでは、フック窓１８３１２が概略長方形のプロフィールを有し、それぞれの側壁１８１７６の内側表面１８１７８と外側表面１８１８０との間に形成される。しかし、以下に続く説明から認識されるように、本発明の範囲から逸脱することなく、フック窓１８３１２が側壁フック１８３１０を収容するのに十分である任意適切な形状または構成を有してよいことが当業者には認識されよう。
【０１４２】
[00256]側壁フック１８３１０の各々は、概して１８３１６で示されるフックカムまでデッキ１８１７４に向かって垂直方向に延在するフックボディ１８３１４を有する。フックカム１８３１６が傾斜プロフィールを有し、フックボディ１８３１４からそれぞれの側壁１８１７６の外側表面１８１８０を越えて横方向の外側に延在し、後でより詳細に説明するように、使用時に取り付け部材１３８のそれぞれの切り欠き部１４８の下側切り欠き縁部１５２に係合されるように構成されるフック面１８３１８を画定する。フック面１８３１８は概して長方形であり、フックボディ１８３１４に対して実質的に垂直に画定され、デッキ１８１７４に実質的に平行になるように構成され、それぞれの側壁１８１７６の外側表面１８１８０を越えて横方向に延在する。しかし、本発明の範囲から逸脱することなく、側壁フック１８３１０が取り付け部材１３８の切り欠き部１４８の下側切り欠き縁部１５２に着脱自在に係合されるのに十分である任意適切な形状または構成を有してよいことが当業者には認識されよう。さらに、アダプタ１８１２４の第１８の実施形態が２つの側壁フック１８３１０を有するものとして描かれているが、本発明の範囲から逸脱することなく、単一の側壁フック１８３１０が利用されてもよいことを認識されたい。
【０１４３】
[00257]次に図６７Ａ〜図６７Ｃを参照すると、アダプタ１８１２４の第１８の実施形態を取り付け部材１３８に固定するための特定の組み立てステップが順番に示されている。ここでは、既に導入されている特定の参照符号を例示のために以下で引用するが、これらは図２６Ａ〜図２６Ｃでは明瞭さのために省略される。ワイパアーム１１４との適切な接続を実現するために、ワイパ組立体１１６のアダプタ１８１２４の第１８の実施形態は、アダプタ１８１２４のボディ１８１５８の上方で垂直方向において取り付け部材１３８を離間させるように、配置される（図６７Ａを参照）。次いで、取り付け部材１３８がアダプタ１８１２４のボディ１８１５８に係合され、それにより取り付け部材１３８および／またはアダプタ１８１２４が互いの方に向かって垂直方向に移動させられ、その結果、取り付け部材１３８の突出部１４６は、ボディ１８１５８の側壁１８１７６内に形成される垂直方向スロット１８２６６の垂直方向チャンネル１８２７４の中に入る（図６７Ｂでは想像線で示される）。取り付け部材１３８の突出部１４６が垂直方向スロット１８２６６に沿って移動し、タブ１８２９６を通過し、後で考察するように、垂直方向フロア１８２７６に対して突出部１４６を当接させるまで側壁１８１７６を互いに向かって横方向の内側に撓ませる。突出部１４６が垂直方向スロット１８２６６に沿って移動するとき、側壁フック１８３１０のフックカム１８３１６が取り付け部材１３８のそれぞれの側壁１４４に係合され（図６７Ｂを参照）、それにより、突出部１４６をそれぞれの垂直方向スロット１８２６６の垂直方向フロア１８２７６に当接させるまで側壁フック１８３１０を互いの方に向かってそれぞれのフック窓１８３１２の中へ撓ませ、それにより、側壁フック１８３１０が互いから離れるように弾性的に撓み、フック面１８３１８が取り付け部材の切り欠き部１４８のそれぞれの下側切り欠き縁部１５２に係合される（図６７Ｃを参照されたい；さらに、図６９も参照されたい）。ここでもやはり、垂直方向スロット１８２６６によって可能となる位置合わせにより、ボディ１８１５８の突起部１８２６４を取り付け部材１３８のアパーチャ１５６の中まで案内するのを補助する（図６９〜図７０を参照）。ここでは、側壁フック１８３１０が第１の端部１８１６０に隣接するところでの垂直方向の保持を促進し、側壁１８１７６およびボディ１８１５８のデッキ１８１７４と協働して横方向の保持を可能にする。同様に、突起部１８２６４および垂直方向スロット１８２６６が協働して、取り付け部材１３８のアパーチャ１５６および突出部１４６のそれぞれとの係合を介して、第２の端部１８１６２に隣接するところでの、長手方向、横方向、および垂直方向の保持を可能にする。さらに、タブ１８２９６は、取り付け部材１３８の突出部１４６との係合を介して、第２の端部１８１６２に隣接するところでの垂直方向の保持をさらに促進するのを補助する。ここでもやはり、アダプタ１８１２４のいかなる部分も取り付け部材１３８の切り欠き部１４８の上側切り欠き縁部１５０に係合されたりまたは他の形で当接したりしないことが認識されよう。
【０１４４】
[00258]上述したように、ワイパ組立体１１６のアダプタの第１９の実施形態が図７１Ａ〜図７４に示される。以下の説明では、第１の実施形態の構造および構成要素と同じであるかまたは第１の実施形態の構造および構成要素に対応する第１９の実施形態の構造および構成要素は１９０００を加算される等しい参照符号を有する。
【０１４５】
[00259]図７１Ａ〜図７４に描かれるアダプタ１９１２４の第１９の実施形態は上述のアダプタ１８１２４の第１８の実施形態と同様であり（図７１Ａ〜図７１Ｂを図６６Ａ〜図６６Ｂと比較されたい）、上述のアダプタの他の実施形態に関連して使用される特定の構造的特徴をさらに有する。したがって、明瞭さおよび一貫性のために、アダプタ１９１２４の第１９の実施形態とアダプタ１８１２４の第１８の実施形態との間の具体的な差異のみを以下で説明し、これらの実施形態の間で共通の特定の構造的特徴および構成要素、ならびに上で説明した他の実施形態を本明細書で考察し、アダプタ１９１２４の第１９の実施形態の図面に描く。以下で特に明記しない限り、これらの既述の実施形態の説明は、限定されることなく、アダプタ１９１２４の第１９の実施形態に関連する参照にも組み込まれ得ることが認識されよう。
【０１４６】
[00260]図７１Ａ〜図７１Ｂに示されるように、アダプタ１９１２４の第１９の実施形態は、上述のアダプタ１８１２４の第１８の実施形態と同様に、ボディ１９１５８の第１の端部１９１６０に隣接するところで側壁１９１７６内に形成されるフック窓１９３１２内を延在する側壁フック１９３１０を採用し、側壁フック１９３１０は、後でより詳細に説明されるように、第１の端部１９１６０に隣接するところでの垂直方向の保持を可能にするように取り付け部材１３８の切り欠き部１４８の下側切り欠き縁部１５２に係合される。さらに、アダプタ１９１２４の第１９の実施形態は、上述のアダプタ３１２４の第３の実施形態と同様に、ボディ１９１５８の第１の端部１９１６０に隣接して形成されるヘッド１９１６８を有し、ヘッド１９１６８がさらに、後でより詳細に説明されるように、第１の端部１９１６０に隣接するところでの長手方向の保持を可能にするように取り付け部材１３８のターミナル端部１４０に当接するための停止部１９１６４を画定する。さらに、上述のアダプタ６１２４の第６の実施形態と同様に、アダプタ１９１２４の第１９の実施形態は、第２の端部１９１６２に隣接するところで側壁１９１７６内に形成されるスロット１９１６６を採用し、スロット１９１６６の各々は、デッキ１９１７４と頂点１９２２６との間を垂直方向に延在する垂直方向開口部１９２２４、および頂点１９２２６とフロア１９１９６との間を長手方向に延在するチャンネル１９１９４を利用する。しかし、アダプタ１９１２４のこの第１９の実施形態では、後でより詳細に説明するように、デッキ１９１７４から延在し、取り付け部材１３８のアパーチャ１５６に係合されるように構成される、概して１９３２０で示されるステップ突出部により、ボディ１９１５８の第２の端部１９１６２に隣接するところでの追加の保持が可能となる。
【０１４７】
[00261]図７１Ｂに最も良好に示されるように、アダプタ１９１２４のこの第１９の実施形態では、ヘッド１９１８６のヘッド上側表面１９１８８は、上述のアダプタ３１２４の第３の実施形態のヘッド上側表面３１８８の湾曲プロフィールとは異なり、デッキ１９１７４に対して概して垂直となるように構成される（図７１Ｂを図１３Ｂと比較されたい）。同様に、アダプタ１９１２４の第１９の実施形態のヘッド１９１８６は、上述のアダプタ３１２４の第３の実施形態のヘッド側部表面３１９０の湾曲プロフィールとは異なり、側壁１９１７６に対して概して垂直であるヘッド側部表面１９１９０を採用する（図７１Ａを図１３Ａと比較されたい）。実際には、図７４に最も良好に示されるように、アダプタ１９１２４の第１９の実施形態が取り付け部材１３８に固定されるとき、ヘッド側部表面１９１９０が取り付け部材３８のターミナル端部１４０の側方縁部１４０Ｂに当接し、ヘッド上側表面１９１８８が取り付け部材１３８のターミナル端部１４０の前方縁部１４０Ａから離間された状態を維持する。しかし、本発明の範囲から逸脱することなく、アダプタ１９１２４の第１９の実施形態のヘッド１９１８６が任意適切な手法で構成または別の形で配置されてもよいことが当業者には認識されよう。
【０１４８】
[00262]上述したように、アダプタ１９１２４の第１９の実施形態は、取り付け部材１３８の突出部１４６を受けるために、ボディ１９１５８の第２の端部１９１６２に隣接するところで側壁１９１７６内に形成されるスロット１９１６６を採用する。図７２Ａ〜図７２Ｄに関連して後でより詳細に説明するように、スロット１９１６６は、組み立て中に取り付け部材１３８をアダプタ１９１２４の中まで案内するようにステップ突出部１９３２０と協働するように構成および成形される。
【０１４９】
[00263]図７１Ａ、図７１、および図７４に最も良好に示されるように、ステップ突出部１９３２０は、ステップボディ１９３２２およびステップアーム１９３２４によって画定される概略Ｌ形のプロフィールを有する。ステップボディ１９３２２が概して丸みのある長方形のプロフィールを有し、デッキ１９１７４から垂直方向に延在し、後でより詳細に説明するように、取り付け部材１３８の上壁１４２内に形成されるアパーチャ１５６内に収容されるように成形される。ステップアーム１９３２４は、同様に、概して丸みのある長方形のプロフィールを有し、ボディ１９１５８の第１の端部１９１６０から離れるようにステップボディ１９３２２から長手方向に延在する。ここでは、ステップアーム１９３２４がデッキ１９１７４の上方で垂直方向において離間され、後でより詳細に説明するように、取り付け部材１３８の上壁１４２内に形成されるアパーチャ１５６を通過するように、および取り付け部材１３８の上壁１４２に当接するように、成形される。
【０１５０】
[00264]次に図７２Ａ〜図７２Ｄを参照すると、アダプタ１９１２４の第１９の実施形態を取り付け部材１３８に固定するための特定の組み立てステップが順番に示されている。ここでは、既に導入されている特定の参照符号を例示のために以下で引用するが、これらは図７２Ａ〜図７２Ｄでは明瞭さのために省略される。ワイパアーム１１４との適切な接続を実現するために、ワイパ組立体１１６のアダプタ１９１２４の第１９の実施形態は、アダプタ１９１２４のボディ１９１５８の上方で垂直方向において取り付け部材１３８を離間させて、取り付け部材１３８の突出部１４６をスロット１９１６６の垂直方向開口部１９２２４に位置合わせするように、配置される（図７２Ａを参照）。次いで、取り付け部材１３８がアダプタ１９１２４のボディ１９１５８に係合され、それにより取り付け部材１３８および／またはアダプタ１９１２４が互いの方に向かって垂直方向に移動させられ、その結果、取り付け部材１３８の突出部１４６は、スロット１９１６６の垂直方向開口部１９２２４の中に入る（図７２Ｂを図７２Ａと比較されたい）。取り付け部材１３８の突出部１４６がスロット１９１６６の垂直方向開口部１９２２４に沿って移動するとき、側壁フック１９３１０のフックカム１９３１６が取り付け部材１３８のそれぞれの側壁１４４に係合され（図７２Ｂを参照）、それにより、突出部１４６をスロット１９１６６の頂点１９２６６に当接させるまで側壁フック１９３１０を互いの方に向かってそれぞれのフック窓１９３１２の中へ撓ませ（図７２Ｃを図７２Ｂと比較されたい）、それにより、側壁フック１９３１０が互いから離れるように弾性的に撓み、フック面１９３１８が取り付け部材の切り欠き部１４８のそれぞれの下側切り欠き縁部１５２に係合される（図７２Ｃを参照されたい；さらに図７４も参照されたい）。ここでは、突出部１４６がスロット１９１６６の垂直方向開口部１９２２４に沿って移動しながら頂点１９２６６に接近するとき、ステップアーム１９３２４が取り付け部材１３８の上壁１４２内に形成されるアパーチャ１５６を通過する。次いで、突出部１４６は、スロット１９１６６のフロア１９１９６に当接するようになるまで頂点１９２６６から離れるようにスロット１９１６６のチャンネル１９１９４に沿って長手方向に移動することができる。突出部１４６がスロット１９１６６のフロア１９１９６に向かって移動すると、ステップ突出部１９３２０のステップアーム１９３２４が取り付け部材１３８の上壁１４２に係合され、ここでは、ステップ突出部１９３２０のステップボディ１９３２２が取り付け部材１３８のアパーチャ１５６を通過する（図７２Ｄを参照されたい；さらに図７４を参照されたい）。ここでは、ヘッド１９１８６のヘッド側部表面１９１９０が取り付け部材１３８のターミナル端部１４０の側方縁部１４０Ｂに当接し、ボディ１９１５８の第１の端部１９１６０に隣接するところでの長手方向の保持を可能にする。加えて、側壁フック１９３１０が第１の端部１９１６０に隣接するところでの垂直方向の保持を促進し、横方向の保持を可能にするためにボディ１９１５８の側壁１９１７６およびデッキ１９１７４と協働する。さらに、上述したように、��ロット１９１６６およびステップ突出部１９３２０は、ボディ１９１５８の第２の端部１９１６２に隣接するところでアダプタ１９１２４の保持を可能にするように相補的に成形されて協働する。ここでは、スロット１９１６６のフロア１９１９６が取り付け部材１３８の突出部１４６に当接して第２の端部１９１６２に隣接するところでの長手方向および垂直方向の保持を促進し、ステップ突出部１９３２０のステップアーム１９３２４が取り付け部材１３８の上壁１４２に当接し、第２の端部１９１６２に隣接するところでの垂直方向の保持をさらに促進する。ここでもやはり、アダプタ１９１２４のいかなる部分も取り付け部材１３８の切り欠き部１４８の上側切り欠き縁部１５０に係合されたりまたは他の形で当接したりしないことが認識されよう。
【０１５１】
[00265]アダプタ１９１２４の第１９の実施形態のスロット１９１６６は、本発明の範囲から逸脱することなく、ステップ突出部１９３２０を使用することなく、ボディ１９１５８の第２の端部１９１６２に隣接するところで十分な垂直方向の保持を促進するように構成され得ることが認識されよう。同様に、アダプタ１９１２４の第１９の実施形態のスロット１９１６６は、本発明の範囲から逸脱することなく、ヘッド１９１８６を使用することなく、アダプタ１９１２４の十分な長手方向の保持を促進するように側壁フック１９３１０と協働するように構成され得る。
【０１５２】
[00266]上述したように、ワイパ組立体１１６のアダプタの第２０の実施形態が図７５Ａ〜図７９に示される。以下の説明では、第１の実施形態の構造および構成要素と同じであるかまたは第１の実施形態の構造および構成要素に対応する第２０の実施形態の構造および構成要素は２００００を加算される等しい参照符号を有する。
【０１５３】
[00267]図７５Ａ〜図７９に描かれるアダプタ２０１２４の第２０の実施形態は、やはり、上述のアダプタ３１２４の第３の実施形態と同様である（図７５Ａ〜図７５Ｂを図１３Ａ〜図１３Ｂと比較されたい）。したがって、明瞭さおよび一貫性のために、アダプタ２０１２４の第２０の実施形態とアダプタ３１２４の第３の実施形態との間の具体的な差異のみを以下で説明し、これらの実施形態の間で共通の特定の構造的特徴および構成要素のみを本明細書で考察し、アダプタ２０１２４の第２０の実施形態の図面に描く。以下で特に明記しない限り、上記のアダプタ３１２４の第３の実施形態の説明は、限定されることなく、アダプタ２０１２４の第２０の実施形態に関連する参照にも組み込まれ得ることが認識されよう。
【０１５４】
[00268]図７５Ａ〜図７５Ｂに最も良好に示されるように、アダプタ２０１２４の第２０の実施形態は、同様に、ヘッド２０１８６によって画定される停止部２０１６４を有し、さらにはデッキ２０１７４の下方に離間されて側壁１９１７６から横方向に延在するブレース２０１７２を有する。ここでもやはり、停止部２０１６４およびブレース２０１７２がボディ２０１５８の第１の端部２０１６０に配置され、取り付け部材１３８に対してアダプタ２０１２４が固定されているときに第１の端部２０１６０に隣接するところでの、垂直方向、横方向、および長手方向の保持を促進するように協働する。しかし、この第２０の実施形態では、アダプタ２０１２４は、後でより詳細に説明するように、取り付け部材１３８に対してアダプタ２０１２４が固定されているときに第２の端部２０１６２に隣接するところの保持を可能にするのに一対の弾性ロック２０３２６を採用する。
【０１５５】
[00269]弾性ロック２０３２６がボディ２０１５８の第２の端部２０１６２に隣接して配置される。ここでは、Ｌ形のノック部分２０３２８がボディ２０１５８の第２の端部２０１６２に隣接するところで個々のそれぞれの側壁２０１７６を通って横方向に形成され、弾性ロック２０３２６がノック部分２０３２８内に配置され、ボディ２０１５８の第１の端部２０１６２から離れるように概して長手方向に延在する。この目的のため、弾性ロック２０３２６の各々は、側壁２０１７６からロックカム２０３３２まで長手方向に延在する、それぞれのノック部分２０３２８内に配置されるロックボディ２０３３０を有する。ここでは、ロックボディ２０３３０が概略長方形のプロフィールを有し、それぞれの側壁２０１７６の外側表面２０１８０から横方向の内側に離間され、それにより取り付け部材１３８の突出部１４６のうちの１つを収容する。この目的のために、ロックカム２０３３２がそれぞれの側壁２０１７６の内側表面２０１７８から離れるように横方向の外側に延在し、取り付け部材１３８に対してアダプタ２０１２４が固定されているときに取り付け部材１３８の突出部１４６に当接するように構成される対応するロック面２０３３４を画定する（図７８を参照）。ここでは、ロックカム２０３３２は、取り付け部材１３８の突出部１４６に係合されることに反応して弾性ロック２０３２６を互いの方に横方向の内側に付勢するように構成される湾曲プロフィールを有し、それにより、その後、突出部１４６に対してロック面２０３３４が当接するときに弾性ロック２０３２６が互いから離れるように横方向に戻る。弾性ロック２０３２６は、ボディ２０１５８の第２の端部２０１６２に隣接するところで取り付け部材１３８を保持するのを可能にするために、ノック部分２０３２８に隣接するところで側壁２０１７６と協働することが認識されよう。
【０１５６】
[00270]図７６に示されるように、アダプタ２０１２４の第２０の実施形態が取り付け部材１３８に固定されると、取り付け部材１３８の側壁１４４は、取り付け部材１３８の突出部１４６の相対位置により弾性ロック２０３２６にアクセスするのを阻止することができるかまたは他の形で制限することができる。取り付け部材１３８からアダプタ２０１２４を脱着するのを促進することを補助するなどのために、弾性ロック２０３２６へアクセスするのを促進するために、一実施形態では、弾性ロック２０３２６が概して２０３３６で示されるアクチュエータを装備する。ここでは、アクチュエータ２０３３６がアクチュエータボディ２０３３８およびアクチュエータヘッド２０３４０を有する。アクチュエータボディ２０３３８が概略Ｌ形のプロフィールで形成され、それぞれのアクチュエータヘッド２０３４０と弾性ロック２０３２６のそれぞれのロックボディ２０３３０との間を延在する。アクチュエータヘッド２０３４０がやはり概略長方形のプロフィールを有する。図７９に最も良好に示されるように、アクチュエータボディ２０３３８は、ロックボディ２０３３０から垂直方向の下側に、さらには取り付け部材１３８の側壁１４４の下でそれぞれのアクチュエータヘッド２０３４０まで横方向に延在するように、構成される。ここでは、アダプタ２０１２４を取り付け部材１３８から解放するために、アクチュエータヘッド２０３４０が互いの方に横方向に押圧され得、それにより、取り付け部材１３８の突出部１４６からロック面２０３３４が外されるようになるまで弾性ロック２０３２６を横方向の内側に付勢し、それにより取り付け部材１３８を基準としてアダプタ２０１３４を長手方向に移動させることが可能となる。ここでもやはり、アダプタ２０１２４のいかなる部分も取り付け部材１３８の切り欠き部１４８の上側切り欠き縁部１５０に係合されたりまたは他の形で当接したりしないことが認識されよう。
【０１５７】
[00271]このようにして、本発明の実施形態は、上述したワイパアーム１１４の取り付け部材１３８に対してワイパ組立体１１６を単純な形で着脱自在に取り付けるのを実現する。車両のフロントガラス１１０に対してのワイパアーム１１４および／またはワイパ組立体１１６の複雑な相対的な位置決めを必要とすることなく、アダプタの実施形態の種々の構成要素および構造的特徴は、アダプタを基準として取り付け部材１３８を、長手方向、垂直方向、および横方向において効率的に固定するように協働することが当業者には認識されよう。具体的には、本発明の実施形態は、効率的で複雑ではない手法で、上述した取り付け部材１３８に対してワイパ組立体１１６を設置するのを可能にすることが当業者には認識されよう。したがって、本発明は、より有利な位置において、有意に浅い角度でワイパ組立体１１６およびワイパアーム１１４を接続することの機会を増やすことを可能にし、またしたがって、非常に多くの車両１００のタイプ、型式（ｍａｋｅ）、およびモデルにおいて使い勝手を大幅に向上させ、これは具体的には、車両１００がワイパアーム１１４を覆うかまたは他の形で部分的に隠すカウル１０２を利用するような場合である。さらに、アダプタの実施形態はワイパアーム１１４と固定されるワイパ組立体１１６との間の遊びを最小にするのを可能にし、それにより掃拭の質を向上させ、使用時のワイパ組立体１１６の寿命を最適化する。さらに、アダプタの実施形態が有用性と製造可能性との間で実際的であるバランスをとり、また同時に、ワイパシステム３２内で使用されるワイパ組立体１１６を向上させることの有意な機会を可能にすることが認識されよう。
【０１５８】
[00272]本発明を例示的に説明してきた。使用される専門用語が単語の本質として限定的ではなく説明的であることを意図されることが理解されよう。上記の教示に照らして本発明の多くの修正形態および変形形態が可能である。したがって、添付の特許請求の範囲の範囲内で、本発明は、具体的に説明した形以外でも実施され得る。
【図１】
2019504793.tif 000003
【図２】
2019504793.tif 000004
【図３】
2019504793.tif 000005
【図４Ａ】
2019504793.tif 000006
【図４Ｂ】
2019504793.tif 000007
【図５Ａ】
2019504793.tif 000008
【図５Ｂ】
2019504793.tif 000009
【図６Ａ】
2019504793.tif 000010
【図６Ｂ】
2019504793.tif 000011
【図６Ｃ】
2019504793.tif 000012
【図６Ｄ】
2019504793.tif 000013
【図７Ａ】
2019504793.tif 000014
【図７Ｂ】
2019504793.tif 000015
【図８Ａ】
2019504793.tif 000016
【図８Ｂ】
2019504793.tif 000017
【図９】
2019504793.tif 000018
【図１０】
2019504793.tif 000019
【図１１】
2019504793.tif 000020
【図１２Ａ】
2019504793.tif 000021
【図１２Ｂ】
2019504793.tif 000022
【図１３Ａ】
2019504793.tif 000023
【図１３Ｂ】
2019504793.tif 000024
【図１４】
2019504793.tif 000025
【図１５】
2019504793.tif 000026
【図１６】
2019504793.tif 000027
【図１７】
2019504793.tif 000028
【図１８】
2019504793.tif 000029
【図１９】
2019504793.tif 000030
【図２０】
2019504793.tif 000031
【図２１】
2019504793.tif 000032
【図２２】
2019504793.tif 000033
【図２３】
2019504793.tif 000034
【図２４】
2019504793.tif 000035
【図２５】
2019504793.tif 000036
【図２６Ａ】
2019504793.tif 000037
【図２６Ｂ】
2019504793.tif 000038
【図２６Ｃ】
2019504793.tif 000039
【図２７Ａ】
2019504793.tif 000040
【図２７Ｂ】
2019504793.tif 000041
【図２７Ｃ】
2019504793.tif 000042
【図２８Ａ】
2019504793.tif 000043
【図２８Ｂ】
2019504793.tif 000044
【図２８Ｃ】
2019504793.tif 000045
【図２９】
2019504793.tif 000046
【図３０】
2019504793.tif 000047
【図３１】
2019504793.tif 000048
【図３２】
2019504793.tif 000049
【図３３Ａ】
2019504793.tif 000050
【図３３Ｂ】
2019504793.tif 000051
【図３４】
2019504793.tif 000052
【図３５】
2019504793.tif 000053
【図３６Ａ】
2019504793.tif 000054
【図３６Ｂ】
2019504793.tif 000055
【図３７】
2019504793.tif 000056
【図３８】
2019504793.tif 000057
【図３９Ａ】
2019504793.tif 000058
【図３９Ｂ】
2019504793.tif 000059
【図４０】
2019504793.tif 000060
【図４１】
2019504793.tif 000061
【図４２Ａ】
2019504793.tif 000062
【図４２Ｂ】
2019504793.tif 000063
【図４３】
2019504793.tif 000064
【図４４】
2019504793.tif 000065
【図４５Ａ】
2019504793.tif 000066
【図４５Ｂ】
2019504793.tif 000067
【図４６】
2019504793.tif 000068
【図４７】
2019504793.tif 000069
【図４８Ａ】
2019504793.tif 000070
【図４８Ｂ】
2019504793.tif 000071
【図４８Ｃ】
2019504793.tif 000072
【図４９】
2019504793.tif 000073
【図５０】
2019504793.tif 000074
【図５１】
2019504793.tif 000075
【図５２】
2019504793.tif 000076
【図５３Ａ】
2019504793.tif 000077
【図５３Ｂ】
2019504793.tif 000078
【図５４】
2019504793.tif 000079
【図５５】
2019504793.tif 000080
【図５６Ａ】
2019504793.tif 000081
【図５６Ｂ】
2019504793.tif 000082
【図５６Ｃ】
2019504793.tif 000083
【図５７】
2019504793.tif 000084
【図５８】
2019504793.tif 000085
【図５９】
2019504793.tif 000086
【図６０】
2019504793.tif 000087
【図６１Ａ】
2019504793.tif 000088
【図６１Ｂ】
2019504793.tif 000089
【図６２Ａ】
2019504793.tif 000090
【図６２Ｂ】
2019504793.tif 000091
【図６２Ｃ】
2019504793.tif 000092
【図６３】
2019504793.tif 000093
【図６４】
2019504793.tif 000094
【図６５】
2019504793.tif 000095
【図６６Ａ】
2019504793.tif 000096
【図６６Ｂ】
2019504793.tif 000097
【図６７Ａ】
2019504793.tif 000098
【図６７Ｂ】
2019504793.tif 000099
【図６７Ｃ】
2019504793.tif 000100
【図６８】
2019504793.tif 000101
【図６９】
2019504793.tif 000102
【図７０】
2019504793.tif 000103
【図７１Ａ】
2019504793.tif 000104
【図７１Ｂ】
2019504793.tif 000105
【図７２Ａ】
2019504793.tif 000106
【図７２Ｂ】
2019504793.tif 000107
【図７２Ｃ】
2019504793.tif 000108
【図７２Ｄ】
2019504793.tif 000109
【図７３】
2019504793.tif 000110
【図７４】
2019504793.tif 000111
【図７５Ａ】
2019504793.tif 000112
【図７５Ｂ】
2019504793.tif 000113
【図７６】
2019504793.tif 000114
【図７７】
2019504793.tif 000115
【図７８】
2019504793.tif 000116
【図７９】
2019504793.tif 000117
【国際調査報告】
2019504793.tif 000118
2019504793.tif 000119
2019504793.tif 000120
2019504793.tif 000121